(57)【特許請求の範囲】
【請求項１】
光ネットワークの運用・管理・保守の対象であり複数の入力端および出力端を有する光スイッチ回路網と、
入力端と第１の出力端と第２の出力端とを持ち他ノードに接続される光伝送路が前記入力端に接続されかつ前記光スイッチ回路網が前記第１の出力端に接続され前記入力端へ入力される光を前記第１の出力端と前記第２の出力端とに分岐または分波して出力する光分離手段と、
光受信手段と、
前記光ネットワークの運用・管理・保守に関する情報を処理する情報処理手段と、
第１の入力端と第２の入力端と出力端とを持ち前記第１の入力端へ入力される電気信号と前記第２の入力端へ入力される電気信号とを時分割多重して重畳した信号を前記出力端へ出力する電気信号重畳手段と、
電気信号出力装置と、
出力端が前記光スイッチ回路網に接続される光送信手段と
からなり、
前記光スイッチ回路網の出力端は他ノードと接続される光伝送路と接続され、
前記光分離手段の第２の出力端は前記光受信手段の入力端に接続され、
前記光受信手段の出力端は前記情報処理手段の入力端に接続され、
前記情報処理手段の出力端は前記電気信号重畳手段の第２の入力端に接続され、
前記信号出力装置の出力端は前記電気信号重畳手段の第１の入力端に接続され、
前記電気信号重畳手段の出力端は前記光送信手段の入力端に接続され、
前記信号出力装置から前記電気信号重畳手段の第１の入力端に主信号を入力し、
前記情報処理手段の出力端から前記電気信号重畳手段の第２の入力端にネットワークの運用・管理・保守に関する情報を入力し、
前記情報処理手段は前記運用・管理・保守に関する情報が自光ネットワーク装置宛か否かを判断し、自光ネットワーク装置宛の場合、自光ネットワーク装置において前記運用・管理・保守に関する情報の処理を行い、自光ネットワーク装置宛でない場合、出力すべき宛先である光伝送路を決定し前記運用・管理・保守に関する情報を送出する
ことを特徴とする光ネットワーク装置。
【請求項２】
光ネットワークの運用・管理・保守の対象であり複数の入力端および複数の出力端を有し、他ノードに光伝送路で接続された光スイッチ回路網と、
前記光スイッチ回路網の出力端のいずれかが接続される光受信手段と、
入力端と第１の出力端と第２の出力端とを持ち前記入力端へ入力された電気信号を前記第１の出力端と前記第２の出力端とに時分割多重分離して出力する電気信号分離手段と、
電気信号入力手段と、
前記光ネットワークの運用・管理・保守に関する情報を処理する情報処理手段と、
第１の入力端と第２の入力端と出力端とを持ち前記第１の入力端へ入力される電気信号と前記第２の入力端へ入力される電気信号とを時分割多重した信号を前記出力端へ出力する電気信号重畳手段と、
電気信号出力手段と、
前記光スイッチ回路網の入力端のいずれかに接続される前記光送信手段と
からなり、
前記光受信手段の出力端は前記電気信号分離手段の入力端に接続され、
前記電気信号分離手段の第１の出力端は前記電気信号入力手段に接続され、
前記電気信号分離手段の第２の出力端は前記情報処理手段に接続され、
前記情報処理手段の出力端は前記電気信号重畳手段の第２の入力端に接続され、
前記信号出力手段の出力端は前記電気信号重畳手段の第１の入力端に接続され、
前記電気信号重畳手段の出力端は前記光送信手段に接続され、
前記電気信号出力装置から前記電気信号重畳手段の第１の入力端に主信号を入力し、
前記情報処理手段の出力端から前記電気信号重畳手段の第２の入力端にネットワークの運用・管理・保守に関する情報を入力し、
前記情報処理手段は前記運用・管理・保守に関する情報が自光ネットワーク装置宛か否かを判断し、自光ネットワーク装置宛の場合、自光ネットワーク装置において前記運用・管理・保守に関する情報の処理を行い、自光ネットワーク装置宛でない場合、出力すべき宛先である光伝送路を決定し前記運用・管理・保守に関する情報を送出する
ことを特徴とする光ネットワーク装置。
【発明の詳細な説明】
【０００１】
【産業上の利用分野】
本発明は、光通信ネットワークで用いられる光ネットワーク・ノード構成及び光ネットワークの運用・管理、及び保守の方法に関するものである。
【０００２】
【従来の技術】
光通信を用いると、光の持つ広帯域性により、１本の光伝送路中の容量を大きくすることができる。しかし、信号の目的ノードと関係ない途中のノードに於いて、光信号全てに対し光電変換を行うと、装置が大きくなり、コストも増加する等の欠点がある。そこで、光信号を光のまま切り替える光ネットワークが注目を浴びてきている。光スイッチを用いることにより、大容量の光信号を光のまま一括して切り替えて網の再編成や障害回復を行うことができる。
【０００３】
そこで、従来、図４１に示すような光ネットワークノード装置（白垣ら、イー・シー・オー・シー’９３  （ＥＣＯＣ’９３：Ｅｕｒｏｐｅａｎ  Ｃｏｎｆｅｒｎｅｃｅ  ｏｎ  Ｏｐｔｉｃａｌ  Ｃｏｍｍｕｎｉｃａｔｉｏｎ）プロシーディング第２巻、ＴｕＰ５．３，１５３ページ参照）が開発されていた。そのノード構成のブロック図を図４１に示し、ノード中で用いられている光スイッチ回路網４１０１の構成例を図４２に示す。図４１に於いて、４１００は光クロスコネクト・ノードを表す。４１０５〜４１１０は他ノードと接続される光伝送路である。４１０２はＳＤＨのパスのデジタル・クロスコネクト・システムで、４１０３、４１０４はＳＤＨの転送フレームの終端装置（Ｏｐｔｉｃａｌ  ＬｉｎｅＴｅｒｍｉｎａｔｏｒｓ  ａｎｄ  Ｍｕｌｔｉｐｌｅｘｅｒｓ）である。４１０５〜４１１０は他ノードと接続される光伝送路である。４１０１は光スイッチ回路網で、その構成例を図４２に示す。４２０１〜４２２４はＬｉＮｂＯ３を用いて構成された８×８のマトリクス光スイッチで、４３０１〜４３６４は光スイッチ回路網の入力端で、４４０１〜４４６４は光スイッチ回路網の出力端である。マトリクス光スイッチ４２０１〜４２２４を図４２に示すように接続することにより、光スイッチ回路網を構成することができる。
【０００４】
光伝送路４１０６、４１０７を伝送されてきた光信号は光スイッチ回路網４１０１により光信号のまま切り替えられ、他ノードと接続される光伝送路４１０９、４１１０に伝送される。このようにノード４１００に於いて、伝送されてきた光信号を電気信号に変換することなく、光信号のまま切り替えて他ノードへと伝送するので、大容量の光信号を一括して切り替えることができ、速い網障害回復を行うことができる。又、大容量の光信号を時間多重分離して切り替える必要がないため、ノード装置の小型化も可能となる等の利点がある。
【０００５】
【発明が解決しようとする課題】
以上説明した技術を用いれば、大容量の光信号を光のまま一括して切り替えて網の再編成や障害回復を行うことができ、ノード装置の小型化も期待できる。しかし、光伝送路４１０６、４１０７を伝送されてきた光信号は、光のままノード４１００を通過するので、このノード構成のままでは、ノード４１００に於いて光伝送路４１０６、４１０７に関わるネットワークの運用、管理、及び保守情報の授受を行うことができない。ネットワークの運用、管理、及び保守情報の授受の実現のためには、例えば、光ネットワークの運用、管理、及び保守情報の伝送専用の光伝送路を別に用意しなければならず、経済的でない。又、光のまま通過するノード４１００に於いて、光信号、光伝送路、光スイッチ等を常に監視できず、網障害が発生した時に障害点がすぐに確定できない等、効率的にネットワークの運用、管理及び保守を行うことができない。
【０００６】
【課題を解決するための手段】
第１の発明は、光ネットワーク装置であって、光受信手段と、光機能回路手段と、入力端と第１の出力端と第２の出力端とを持ち光伝送路が前記入力端に接続され前記入力端へ入力される光を前記第１の出力端と前記第２の出力端とに分離して出力する光分離手段と、ネットワークの運用、管理、及び保守情報を処理する情報処理手段とからなり、前記光分離手段の第１の出力端は前記光機能回路手段の入力端に接続され、前記光分離手段の第２の出力端は前記光受信手段の入力端に接続され、前記光受信手段の出力端は前記情報処理手段の入力端に接続されることを特徴とする。
【０００７】
第２の発明は、請求項１記載の光ネットワーク装置であって、前記光分離手段が、入力端へ第１群に属する波長の光と第２群に属する波長の光との波長分割多重光が入力される場合に前記第１群に属する波長の光を前記第１の出力端へ出力し前記第２群に属する波長の光を前記第２の出力端へ出力することを特徴とする。
【０００８】
第３の発明は、光ネットワーク装置であって、光送信手段と、光機能回路手段と、第１の入力端と第２の入力端と出力端とを持ち光伝送路が前記出力端に接続され前記第１の入力端への入力光と前記第２の入力端への入力光とを重畳したものを前記出力端へ出力する光重畳手段と、ネットワークの運用、管理、及び保守情報を処理する情報処理手段とからなり、前記光機能回路手段の出力端は前記光重畳手段の第１の入力端に接続され、前記情報処理手段の出力端は前記光送信手段の入力端に接続され、前記光送信手段の出力端は前記光重畳手段の第２の入力端に接続されることを特徴とする。
【０００９】
第４の発明は、光ネットワーク装置であって、入力端と第１の出力端と第２の出力端とを持ち光伝送路が前記入力端に接続され前記入力端へ入力される光を前記第１の出力端と前記第２の出力端とに分離して出力する光分離手段と、光機能回路手段と、光送信手段と、光受信手段と、第１の入力端と第２の入力端と出力端とを持ち光伝送路が前記出力端に接続され前記第１の入力端への入力光と前記第２の入力端への入力光とを重畳したものを前記出力端へ出力する光重畳手段と、ネットワークの運用、管理、及び保守情報を処理する情報処理手段とからなり、前記光分離手段の第１の出力端は前記光機能回路手段の入力端に接続され、前記光機能回路手段の出力端は前記光重畳手段の第１の入力端に接続され、前記光分離手段の第２の出力端は前記光受信手段の入力端に接続され、前記光受信手段の出力端は前記情報処理手段の入力端に接続され、前記情報処理手段の出力端は前記光送信手段の入力端に接続され、前記送信手段の出力端は前記重畳手段の第２の入力端に接続されることを特徴とする。
【００１０】
第５の発明は、光ネットワーク装置であって、入力端と第１の出力端と第２の出力端とを持ち光伝送路が前記入力端に接続され前記入力端へ入力される光を前記第１の出力端と前記第２の出力端とに分離して出力する光分離手段と、光機能回路手段と、光送信手段と、光受信手段と、第１の入力端と第２の入力端と出力端とを持ち前記第１の入力端への入力光と前記第２の入力端への入力光とを重畳したものを前記出力端へ出力する光重畳手段と、ネットワークの運用、管理、及び保守情報を処理する情報処理手段とからなり、前記光分離手段の第１の出力端は前記光重畳手段の第１の入力端に接続され、前記光重畳手段の出力端は前記光機能回路手段の入力端に接続され、前記光分離手段の第２の出力端は前記光受信手段の入力端に接続され、前記光受信手段の出力端は前記情報処理手段の入力端に接続され、前記情報処理手段の出力端は前記光送信手段の入力端に接続され、前記送信手段の出力端は前記重畳手段の第２の入力端に接続されることを特徴とする。
【００１１】
第６の発明は、光ネットワーク装置であって、入力端と第１の出力端と第２の出力端とを持ち前記入力端へ入力される光を前記第１の出力端と前記第２の出力端とに分離して出力する光分離手段と、光機能回路手段と、光送信手段と、光受信手段と、第１の入力端と第２の入力端と出力端とを持ち光伝送路が前記出力端に接続され前記第１の入力端への入力光と前記第２の入力端への入力光とを重畳したものを前記出力端へ出力する光重畳手段と、ネットワークの運用、管理、及び保守情報を処理する情報処理手段とからなり、前記光機能回路手段の出力端は前記光分離手段の入力端に接続され、前記光分離手段の第１の出力端は前記光重畳手段の第１の入力端に接続され、前記光分離手段の第２の出力端は前記光受信手段の入力端に接続され、前記光受信手段の出力端は前記情報処理手段の入力端に接続され、前記情報処理手段の出力端は前記光送信手段の入力端に接続され、前記送信手段の出力端は前記重畳手段の第２の入力端に接続されることを特徴とする。
【００１２】
第７の発明は、請求項１記載の光ネットワーク装置であって、前記光機能回路手段が、複数の光スイッチを用いて構成され複数の入力端と複数の出力端とを持つ光スイッチ回路網であることを特徴とする。
【００１３】
第８の発明は、請求項２記載の光ネットワーク装置であって、前記光機能回路手段が、複数の光スイッチを用いて構成され複数の入力端と複数の出力端とを持つ光スイッチ回路網であることを特徴とする。
【００１４】
第９の発明は、請求項３記載の光ネットワーク装置であって、前記光機能回路手段が、複数の光スイッチを用いて構成され複数の入力端と複数の出力端とを持つ光スイッチ回路網であることを特徴とする。
【００１５】
第１０の発明は、請求項４記載の光ネットワーク装置であって、前記光機能回路手段が、複数の光スイッチを用いて構成され複数の入力端と複数の出力端とを持つ光スイッチ回路網であることを特徴とする。
【００１６】
第１１の発明は、請求項４記載の光ネットワーク装置であって、前記光分離手段が、入力端へ第１詳に属する波長の光と第２群に属する波長の光との波長分割多重光が入力される場合に前記第１群に属する波長の光を前記第１の出力端へ出力し前記第２群に属する波長の光を前記第２の出力端へ出力し、前記光送信手段が前記第１群に属さない波長の光を送出し、前記光受信手段が前記第２群に属する波長の光の受信が可能であることを特徴とする。
【００１７】
第１２の発明は、請求項５記載の光ネットワーク装置であって、前記光分離手段が、入力端へ第１群に属する波長の光と第２群に属する波長の光との波長分割多重光が入力される場合に前記第１群に属する波長の光を前記第１の出力端へ出力し前記第２群に属する波長の光を前記第２の出力端へ出力し、前記光送信手段が前記第１群に属さない波長の光を送出し、前記光受信手段が前記第２群に属する波長の光の受信が可能であることを特徴とする。
【００１８】
第１３の発明は、請求項６記載の光ネットワーク装置であって、前記光分離手段が、入力端へ第１群に属する波長の光と第２群に属する波長の光との波長分割多重光が入力される場合に前記第１群に属する波長の光を前記第１の出力端へ出力し前記第２群に属する波長の光を前記第２の出力端へ出力し、前記光送信手段が前記第１群に属さない波長の光を送出し、前記光受信手段が前記第２群に属する波長の光の受信が可能であることを特徴とする。
【００１９】
第１４の発明は、請求項１１記載の光ネットワーク装置であって、前記光機能回路手段が、複数の光スイッチを用いて構成され複数の入力端と複数の出力端とを持つ光スイッチ回路網であることを特徴とする。
【００２０】
第１５の発明は、ネットワークの運用、管理、及び保守情報の伝送方式であって、第１群に属する波長の光信号を第２の光ネットワーク装置へ光伝送路を用いて伝送する第１の光ネットワーク装置から第２の光ネットワーク装置へのネットワークの運用、管理、及び保守情報の伝送方式に於いて、第１の光ネットワーク装置は、ネットワークの運用、管理、及び保守情報を持つ第２群に属する波長の光信号を生成し、前記第２群に属する光信号と前記第１群に属する波長の光信号とを重畳した光信号を前記光伝送路を用いて伝送し、第２の光ネットワーク装置は、伝送されてきた前記重畳した光信号から前記第２群に属する光信号を抽出し、前記第２群に属する光信号を光受信手段手段を用いて受信し、ネットワークの運用、管理、及び保守情報を得ることを特徴とする。
【００２１】
第１６の発明は、請求項１５に記載のネットワークの運用、管理、及び保守情報の伝送方式であって、前記第１の光ネットワーク装置及び前記第２の光ネットワーク装置が、複数の光スイッチを用いて構成され複数の入力端と複数の出力端とを持つ光スイッチ回路網であることを特徴とする。
【００２２】
第１７の発明は、光ネットワーク装置であって、光機能回路手段と、入力端と第１の出力端と第２の出力端とを持ち光伝送路が前記第１の出力端に接続され前記入力端へ入力される光を前記第１の出力端と前記第２の出力端とに分離して出力する光分離手段と、光受信手段と、ネットワークの運用、管理、及び保守情報を処理する情報処理手段とからなり、前記光機能回路手段の出力端は前記光分離手段の入力端に接続され、前記光分離手段の第２の出力端は前記光受信手段の入力端に接続され、前記光受信手段の出力端は前記情報処理手段の入力端に接続されることを特徴とする。
【００２３】
第１８の発明は、請求項１７記載の光ネットワーク装置であって、前記光分離手段が、入力端へ第１群に属する波長の光と第２群に属する波長の光との波長分割多重光が入力される場合に前記第１群に属する波長の光を前記第１の出力端へ出力し前記第２群に属する波長の光を前記第２の出力端へ出力し、前記光受信手段が前記第２群に属する波長の光の受信が可能であることを特徴とする。
【００２４】
第１９の発明は、光ネットワーク装置であって、光送信手段と、光機能回路手段と、第１の入力端と第２の入力端と出力端とを持ち光伝送路が前記第１の入力端に接続され前記第１の入力端への入力光と前記第２の入力端への入力光とを重畳したものを前記出力端へ出力する光重畳手段と、ネットワークの運用、管理、及び保守情報を処理する情報処理手段とからなり、前記情報処理手段の出力端は前記光送信手段の入力端に接続され、前記光送信手段の出力端は前記光重畳手段の第２の入力端に接続され、前記光重畳手段の出力端は前記光機能回路手段の入力端に接続されることを特徴とする。
【００２５】
第２０の発明は、光ネットワーク装置であって、光機能回路手段と、入力端と第１の出力端と第２の出力端とを持ち光伝送路が前記第１の出力端に接続され前記入力端へ入力される光を前記第１の出力端と前記第２の出力端とに分離して出力する光分離手段と、光受信手段と、光送信手段と、第１の入力端と第２の入力端と出力端とを持ち光伝送路が前記第１の入力端に接続され前記第１の入力端への入力光と前記第２の入力端への入力光とを重畳したものを前記出力端へ出力する光重畳手段と、ネットワークの運用、管理、及び保守情報を処理する情報処理手段とからなり、前記光重畳手段の出力端は前記光機能回路手段の入力端に接続され、前記光機能回路手段の出力端は前記光分離手段の第１の入力端に接続され、前記光分離手段の第２の出力端は前記光受信手段の入力端に接続され、前記光受信手段の出力端は前記情報処理手段の入力端に接続され、前記情報処理手段の出力端は前記尾光送信手段の入力端に接続され、前記光送信手段の出力端は前記光重畳手段の第２の入力端に接続されることを特徴とする。
【００２６】
第２１の発明は、請求項２０記載の光ネットワーク装置であって、前記光分離手段が、入力端へ第１群に属する波長の光と第２群に属する波長の光との波長分割多重光が入力される場合に前記第１群に属する波長の光を前記第１の出力端へ出力し前記第２群に属する波長の光を前記第２の出力端へ出力し、前記光送信手段が前記第２群に属する波長の光を送出することを特徴とする。
【００２７】
第２２の発明は、請求項１７記載の光ネットワーク装置であって、前記光機能回路手段が、複数の光スイッチを用いて構成され複数の入力端と複数の出力端とを持つ光スイッチ回路網であることを特徴とする。
【００２８】
第２３の発明は、請求項１８記載の光ネットワーク装置であって、前記光機能回路手段が、複数の光スイッチを用いて構成され複数の入力端と複数の出力端とを持つ光スイッチ回路網であることを特徴とする。
【００２９】
第２４の発明は、請求項１９記載の光ネットワーク装置であって、前記光機能回路手段が、複数の光スイッチを用いて構成され複数の入力端と複数の出力端とを持つ光スイッチ回路網であることを特徴とする。
【００３０】
第２５の発明は、請求項２０記載の光ネットワーク装置であって、前記光機能回路手段が、複数の光スイッチを用いて構成され複数の入力端と複数の出力端とを持つ光スイッチ回路網であることを特徴とする。
【００３１】
第２６の発明は、請求項２１記載の光ネットワーク装置であって、前記光機能回路手段が、複数の光スイッチを用いて構成され複数の入力端と複数の出力端とを持つ光スイッチ回路網であることを特徴とする。
【００３２】
第２７の発明は、光ネットワーク装置の監視方式であって、第１群の波長に属する波長の光信号が電気信号に変換されることなく光のまま入力端から出力端へ通過してしまう光ネットワーク装置の監視方式に於いて、第２群に属する波長の光信号を生成し、前記第２群に属する光信号と前記第１群に属する波長の光信号とを重畳した光信号を前記光ネットワーク装置へ入力し、前記光ネットワーク装置から出力される前記重畳した光信号から前記第２群に属する光信号を抽出し、前記第２群に属する波長の光信号を光受信手段を用いて受信し、光ネットワークの監視情報を得ることを特徴とする。
【００３３】
第２８の発明は、請求項２７記載の光ネットワーク装置の監視方式であって、前記光ネットワーク装置が、複数の光スイッチを用いて構成され複数の入力端と複数の出力端とを持つ光スイッチ回路網であることを特徴とする。
【００３４】
第２９の発明は、光ネットワーク装置であって、入力端と第１の出力端と第２の出力端とを持ち光伝送路が前記入力端に接続され前記入力端へ入力される光を前記第１の出力端と前記第２の出力端とに分離して出力する第１の光分離手段と、第１の入力端と第２の入力端と出力端とを持ち前記第１の入力端への入力光と前記第２の入力端への入力光とを重畳したものを前記出力端へ出力する第１の光重畳手段と、光機能回路手段と、第１の光送信手段と、第２の光送信手段と、第１の光受信手段と、第２の光受信手段と、入力端と第１の出力端と第２の出力端とを持ち前記入力端へ入力される光を前記第１の出力端と前記第２の出力端とに分離して出力する第２の光分離手段と、第１の入力端と第２の入力端と出力端とを持ち光伝送路が前記出力端に接続され前記第１の入力端への入力光と前記第２の入力端への入力光とを重畳したものを前記出力端へ出力する第２の光重畳手段と、少なくとも第１の入力端と第２の入力端と第１の出力端と第２の出力端とを持ちネットワークの運用、管理、及び保守情報を処理する情報処理手段とからなり、前記第１の光分離手段の第１の出力端は前記第１の光重畳手段の第１の入力端に接続され、前記第１の光重畳手段の出力端は前記光機能回路手段の入力端に接続され、前記光機能回路手段の出力端は前記第２の光分離手段の入力端に接続され、前記第２の光分離手段の第１の出力端は前記第２の光重畳手段の第１の入力端に接続され、前記第１の光分離手段の第２の出力端は前記第１の光受信手段の入力端に接続され、前記第１の光受信手段の出力端は前記情報処理手段の第１の入力端に接続され、前記情報処理手段の第１の出力端は前記第１の光送信手段の入力端に接続され、前記第１の光送信手段の出力端は前記第２の光重畳手段の第２の入力端に接続され、前記情報処理手段の第２の出力端は前記第２の光送信手段の入力端に接続され、前記第２の光送信手段の出力端は前記第１の光重畳手段の第２の入力端に接続され、前記第２の光分離手段の第２の出力端は前記第２の光受信手段の入力端に接続され、前記第２の光受信手段の出力端は前記情報処理手段の第２の入力端に接続されることを特徴とする。
【００３５】
第３０の発明は、請求項２９記載の光ネットワーク装置であって、前記第１の光分離手段が、入力端へ第１群に属する波長の光と第２群に属する波長の光との波長分割多重光が入力される場合に前記第１群に属する波長の光を前記第１の出力端へ出力し前記第２群に属する波長の光を前記第２の出力端へ出力し、前記第２の光分離手段が、入力端へ前記第１群に属する波長の光と第３群に属する波長の光との波長分割多重光が入力される場合に前記第１群に属する波長の光を前記第１の出力端へ出力し前記第３詳に属する波長の光を前記第２の出力端へ出力し、前記第１の光送信手段が前記第３群に属する波長の光を送出し、前記第２の光送信手段が前記第１群に属さない波長の光を送出し、前記第１の光受信手段が前記第２群に属する波長の光の受信が可能であり、前記第２の光受信手段が前記第３群に属する波長の光の受信が可能であることを特徴とする。
【００３６】
第３１の発明は、請求項１記載の光ネットワーク装置であって、前記光分離手段が、光のパワーを分岐する光分岐手段であることを特徴とする。
【００３７】
第３２の発明は、請求項１記載の光ネットワーク装置であって、前記光受信手段が、光信号に予め重畳されたサブキャリアを復調する光受信手段であることを特徴とする。
【００３８】
第３３の発明は、請求項３１記載の光ネットワーク装置であって、前記光受信手段が、光信号に予め重畳されたサブキャリアを復調する光受信手段であることを特徴とする。
【００３９】
第３４の発明は、請求項３１記載の光ネットワーク装置であって、前記光機能回路手段が、複数の光スイッチを用いて構成され複数の入力端と複数の出力端とを持つ光スイッチ回路網であることを特徴とする。
【００４０】
第３５の発明は、請求項３２記載の光ネットワーク装置であって、前記光機能回路手段が、複数の光スイッチを用いて構成され複数の入力端と複数の出力端とを持つ光スイッチ回路網であることを特徴とする。
【００４１】
第３６の発明は、請求項３３記載の光ネットワーク装置であって、前記光機能回路手段が、複数の光スイッチを用いて構成され複数の入力端と複数の出力端とを持つ光スイッチ回路網であることを特徴とする。
【００４２】
第３７の発明は、ネットワークの連用、管理、及び保守情報の伝送方式であって、光信号を第２の光ネットワーク装置へ光伝送路を用いて伝送する第１の光ネットワーク装置から第２の光ネットワーク装置へのネットワークの運用、管理、及び保守情報の伝送方式に於いて、第１の光ネットワーク装置は、ネットワークの運用、管理、及び保守情報を持つように変調されたサブキャリアを付加し、前記光伝送路を用いて伝送し、第２の光ネットワーク装置は、伝送されてきた前記光信号から前記サブキャリアを抽出し、前記ネットワークの運用、管理、及び保守情報を復調し、ネットワークの運用、管理、及び保守情報を得ることを特徴とする。
【００４３】
第３８の発明は、請求項３７記載のネットワークの運用、管理、及び保守情報の伝送方式であって、前記第１の光ネットワーク装置及び前記第２の光ネットワーク装置が、複数の光スイッチを用いて構成され複数の入力端と複数の出力端とを持つ光スイッチ回路網であることを特徴とする。
【００４４】
第３９の発明は、請求項３７記載のネットワークの運用、管理、保守情報の伝送方式であって、前記ネットワークの運用、管理、及び保守情報が、光信号が通る経路に対する識別子であることを特徴とする。
【００４５】
第４０の発明は、請求項３８記載のネットワークの運用、管理、保守情報の伝送方式であって、前記ネットワークの運用、管理、及び保守情報が、光信号が通る経路に対する識別子であることを特徴とする。
【００４６】
第４１の発明は、光ネットワーク装置であって、入力端と第１の出力端と第２の出力端とを持ち光伝送路が前記入力端に接続され前記入力端へ入力される光を前記第１の出力端と前記第２の出力端とに分離して出力する第１の光分離手段と、入力端と第１の出力端と第２の出力端とを持ち前記入力端へ入力される光を前記第１の出力端と前記第２の出力端とに分離して出力する第２の光分離手段と、第１の入力端と第２の入力端と出力端とを持ち前記第１の入力端への入力光と前記第２の入力端への入力光とを重畳したものを前記出力端へ出力する第１の光重畳手段と、光機能回路手段と、第１の光送信手段と、第２の光送信手段と、第１の光受信手段と、第２の光受信手段と、第３の光受信手段と、入力端と第１の出力端と第２の出力端とを持ち前記入力端へ入力される光を前記第１の出力端と前記第２の出力端とに分離して出力する第３の光分離手段と、第１の入力端と第２の入力端と出力端とを持ち光伝送路が前記出力端に接続され前記第１の入力端への入力光と前記第２の入力端への入力光とを重畳したものを前記出力端へ出力する第２の光重畳手段と、少なくとも第１の入力端と第２の入力端と第３の入力端と第１の出力端と第２の出力端とを持ちネットワークの運用、管理、及び保守情報を処理する情報処理手段とからなり、前記第１の光分離手段の第１の出力端は前記第３の光分離手段の入力端に接続され、前記第３の光分離手段の第１の出力端は前記第１の光重畳手段の第１の入力端に接続され、前記第１の光重畳手段の出力端は前記光機能回路手段の入力端に接続され、前記光機能回路手段の出力端は前記第２の光分離手段の入力端に接続され、前記第２の光分離手段の第１の出力端は前記第２の光重畳手段の第１の入力端に接続され、前記第１の光分離手段の第２の出力端は前記第１の光受信手段の入力端に接続され、前記第１の光受信手段の出力端は前記情報処理手段の第１の入力端に接続され、前記情報処理手段の第１の出力端は前記第１の光送信手段の入力端に接続され、前記第１の光送信手段の出力端は前記第２の光重畳手段の第２の入力端に接続され、前記情報処理手段の第２の出力端は前記第２の光送信手段の入力端に接続され、前記第２の光送信手段の出力端は前記第１の光重畳手段の第２の入力端に接続され、前記第２の光分離手段の第２の出力端は前記第２の光受信手段の入力端に接続され、前記第２の光受信手段の出力端は前記情報処理手段の第２の入力端に接続され、前記第３の光重畳手段の出力端は前記第３の光受信手段の入力端に接続され、前記第３の光受信手段の出力端は前記情報処理手段の第３の入力端に接続されることを特徴とする。
【００４７】
第４２の発明は、請求項４１記載の光ネットワーク装置であって、前記第１の光分離手段が、入力端へ第１群に属する波長の光と第２群に属する波長の光との波長分割多重光が入力される場合に前記第１群に属する波長の光を前記第１の出力端へ出力し前記第２群に属する波長の光を前記第２の出力端へ出力し、前記第２の光分離手段が、入力端へ前記第１群に属する波長の光と第３群に属する波長の光との波長分割多重光が入力される場合に前記第１群に属する波長の光を前記第１の出力端へ出力し前記第３詳に属する波長の光を前記第２の出力端へ出力し、前記第１の光送信手段が前記第１群に属さない波長の光を送出し、前記第２の光送信手段が前記第３群に属する波長の光を送出し、前記第１の光受信手段が前記第２群に属する波長の光の受信が可能であり、前記第２の光受信手段が前記第３群に属する波長の光の受信が可能であり、前記第３の光分離手段が光分岐手段であり、前記第３の光受信手段が光信号に予め重畳されたサブキャリアを復調する光受信手段であることを特徴とする。
【００４８】
第４３の発明は、光ネットワーク装置であって、入力端と第１の出力端と第２の出力端とを持ち光伝送路が前記入力端に接続され前記入力端へ入力される光を前記第１の出力端と前記第２の出力端とに分離して出力する第１の光分離手段と、入力端と第１の出力端と第２の出力端とを持ち前記入力端へ入力される光を前記第１の出力端と前記第２の出力端とに分離して出力する第２の光分離手段と、第１の入力端と第２の入力端と出力端とを持ち前記第１の入力端への入力光と前記第２の入力端への入力光とを重畳したものを前記出力端へ出力する第１の光重畳手段と、光機能回路手段と、第１の光送信手段と、第２の光送信手段と、第１の光受信手段と、第２の光受信手段と、第３の光受信手段と、入力端と第１の出力端と第２の出力端とを持ち前記入力端へ入力される光を前記第１の出力端と前記第２の出力端とに分離して出力する第３の光分離手段と、第１の入力端と第２の入力端と出力端とを持ち光伝送路が前記出力端に接続され前記第１の入力端への入力光と前記第２の入力端への入力光とを重畳したものを前記出力端へ出力する第２の光重畳手段と、少なくとも第１の入力端と第２の入力端と第３の入力端と第１の出力端と第２の出力端とを持ちネットワークの運用、管理、及び保守情報を処理する情報処理手段とからなり、前記第１の光分離手段の第１の出力端は前記第１の光重畳手段の第１の入力端に接続され、前記第１の光重畳手段の出力端は前記光機能回路手段の入力端に接続され、前記光機能回路手段の出力端は前記第２の光分離手段の入力端に接続され、前記第２の光分離手段の第１の出力端は前記第３の光分離手段の入力端に接続され、前記第３の光分離手段の第１の出力端は前記第２の光重畳手段の第１の入力端に接続され、前記第１の光分離手段の第２の出力端は前記第１の光受信手段の入力端に接続され、前記第１の光受信手段の出力端は前記情報処理手段の第１の入力端に接続され、前記情報処理手段の第１の出力端は前記第１の光送信手段の入力端に接続され、前記第１の光送信手段の出力端は前記第２の光重畳手段の第２の入力端に接続され、前記情報処理手段の第２の出力端は前記第２の光送信手段の入力端に接続され、前記第２の光送信手段の出力端は前記第１の光重畳手段の第２の入力端に接続され、前記第２の光分離手段の第２の出力端は前記第２の光受信手段の入力端に接続され、前記第２の光受信手段の出力端は前記情報処理手段の第２の入力端に接続され、前記第３の光重畳手段の出力端は前記第３の光受信手段の入力端に接続され、前記第３の光受信手段の出力端は前記情報処理手段の第３の入力端に接続されることを特徴とする。
【００４９】
第４４の発明は、請求項４３記載の光ネットワーク装置であって、前記第１の光分離手段が、入力端へ第１群に属する波長の光と第２群に属する波長の光との波長分割多重光が入力される場合に前記第１群に属する波長の光を前記第１の出力端へ出力し前記第２群に属する波長の光を前記第２の出力端へ出力し、前記第２の光分離手段が、入力端へ前記第１群に属する波長の光と第３群に属する波長の光との波長分割多重光が入力される場合に前記第１群に属する波長の光を前記第１の出力端へ出力し前記第３群に属する波長の光を前記第２の出力端へ出力し、前記第１の光送信手段が前記第１群に属さない波長の光を送出し、前記第２の光送信手段が前記第３群に属する波長の光を送出し、前記第１の光受信手段が前記第２群に属する波長の光の受信が可能であり、前記第２の光受信手段が前記第３群に属する波長の光の受信が可能であり、前記第３の光分離手段が光のパワーを分岐する光分岐手段であり、前記第３の光受信手段が光信号に予め重畳されたサブキャリアを復調する光受信手段であることを特徴とする。
【００５０】
第４５の発明は、請求項３記載の光ネットワーク装置であって、前記光送信手段が、前記ネットワークの運用、管理、及び保守情報が予め変調された副搬送波を用いて変調された光信号を送出することを特徴とする。
【００５１】
第４６の発明は、光ネットワーク装置であって、光機能回路手段と、ネットワークの運用、管理、及び保守情報を処理する情報処理手段と、前記情報処理手段の出力信号を変調する変調器手段と、入力端と出力端とを持ち前記入力端へ入力された光信号を前記変調器手段の出力信号で変調する光信号変調手段とからなり、前記光信号変調手段の出力端は前記光機能回路手段の入力端に接続され、前記情報処理手段の出力端は前記変調器手段の入力端に接続され、前記変調器手段の出力端は前記光信号変調手段に接続されることを特徴とする。
【００５２】
第４７の発明は、光ネットワーク装置であって、光機能回路手段と、ネットワークの運用、管理、及び保守情報を処理する情報処理手段と、前記情報処理手段の出力信号を変調する変調器手段と、入力端と出力端とを持ち前記入力端へ入力された光信号を前記変調器手段の出力信号で変調する光信号変調手段とからなり、前記光機能回路手段の出力端は前記光信号変調手段の入力端に接続され、前記情報処理手段の出力端は前記変調器手段の入力端に接続され、前記変調器手段の出力端は前記光信号変調手段に接続されることを特徴とする。
【００５３】
第４８の発明は、光ネットワーク装置であって、光送信手段と、光機能回路手段と、第１の入力端と第２の入力端と出力端とを持ち光伝送路が前記第１の入力端に接続され前記第１の入力端への入力光と前記第２の入力端への入力光とを重畳したものを前記出力端へ出力する光重畳手段と、ネットワークの運用、管理、及び保守情報を処理する情報処理手段とからなり、前記光重畳手段の出力端は前記光機能回路手段の入力端に接続され、前記情報処理手段の出力端は前記光送信手段の入力端に接続され、前記光送信手段の出力端は前記光重畳手段の第２の入力端に接続されることを特徴とする。
【００５４】
第４９の発明は、請求項４５記載の光ネットワーク装置であって、前記光機能回路手段が、複数の光スイッチを用いて構成され複数の入力端と複数の出力端とを持つ光スイッチ回路網であることを特徴とする。
【００５５】
第５０の発明は、請求項４６記載の光ネットワーク装置であって、前記光機能回路手段が、複数の光スイッチを用いて構成され複数の入力端と複数の出力端とを持つ光スイッチ回路網であることを特徴とする。
【００５６】
第５１の発明は、請求項４７記載の光ネットワーク装置であって、前記光機能回路手段が、複数の光スイッチを用いて構成され複数の入力端と複数の出力端とを持つ光スイッチ回路網であることを特徴とする。
【００５７】
第５２の発明は、請求項４８記載の光ネットワーク装置であって、前記光機能回路手段が、複数の光スイッチを用いて構成され複数の入力端と複数の出力端とを持つ光スイッチ回路網であることを特徴とする。
【００５８】
第５３の発明は、光ネットワーク装置であって、複数の入力端を持つ光機能回路手段と、入力端と第１の出力端と第２の出力端とを持ち光伝送路が前記入力端に接続され前記入力端へ入力される光を前記第１の出力端と前記第２の出力端とに分離して出力するｍ個の光分離手段と、ｍ個の入力端と１個の出力端とを持ち前記ｍ個の入力端へ入力された光信号の内の１個の入力端へ入力した光信号を選択する選択手段と、光受信手段と、ネットワークの運用、管理、及び保守情報を処理する情報処理手段とからなり、前記光分離手段の第１の出力端は前記光機能回路手段の入力端にそれぞれ接続され、前記光分離手段の第２の出力端は前記選択手段の入力端にそれぞれ接続され、前記選択手段の出力端は前記光受信手段の入力端に接続され、前記光受信手段の出力端は前記情報処理手段の入力端に接続されることを特徴とする。
【００５９】
第５４の発明は、光ネットワーク装置であって、複数の入力端を持つ光機能回路手段と、入力端と第１の出力端と第２の出力端とを持ち光伝送路が前記入力端に接続され前記入力端へ入力される光を前記第１の出力端と前記第２の出力端とに分離して出力するｍ個の光分離手段と、ｍ個の光受信手段と、ｍ個の入力端と１個の出力端とを持ち前記ｍ個の入力端へ入力された電気信号の内の１個の入力端へ入力した電気信号を選択する選択手段と、ネットワークの運用、管理、及び保守情報を処理する情報処理手段とからなり、前記光分離手段の第１の出力端は前記光機能回路手段の入力端にそれぞれ接続され、前記光分離手段の第２の出力端は前記光受信手段の入力端にそれぞれ接続され、前記光受信手段の出力端は前記選択手段の入力端にそれぞれ接続され、前記選択手段の出力端は前記情報処理手段の入力端に接続されることを特徴とする。
【００６０】
第５５の発明は、光ネットワーク装置であって、光送信手段と、１個の入力端とｍ個の出力端とを持ち入力端へ入力された光をｍ分岐して各出力端へ出力する光分岐手段と、複数の出力端を持つ光機能回路手段と、第１の入力端と第２の入力端と出力端とを持ち光伝送路が前記出力端に接続され前記第１の入力端への入力光と前記第２の入力端への入力光とを重畳したものを前記出力端へ出力するｍ個の光重畳手段と、ネットワークの運用、管理、及び保守情報を処理する情報処理手段とからなり、前記光機能回路手段の出力端は前記光重畳手段の第１の入力端にそれぞれ接続され、前記情報処理手段の出力端は前記光送信手段の入力端に接続され、前記光送信手段の出力端は前記光分岐手段の入力端に接続され、前記光分岐手段の出力端は前記光重畳手段の第２の入力端にそれぞれ接続されることを特徴とする。
【００６１】
第５６の発明は、光ネットワーク装置であって、ｍ個の光送信手段と、１個の入力端とｍ個の出力端とを持ち入力端へ入力された電気信号をｍ分岐した電気信号をそれぞれの出力端に出力する分岐手段と、複数の出力端を持つ光機能回路手段と、第１の入力端と第２の入力端と出力端とを持ち光伝送路が前記出力端に接続され前記第１の入力端への入力光と前記第２の入力端への入力光とを重畳したものを前記出力端へ出力するｍ個の光重畳手段と、ネットワークの運用、管理、及び保守情報を処理する情報処理手段とからなり、前記光機能回路手段の出力端は前記光重畳手段の第１の入力端にそれぞれ接続され、前記情報処理手段の出力端は前記分岐手段の入力端に接続され、前記分岐手段の出力端は前記光送信手段の入力端にそれぞれ接続され、前記光送信手段の出力端は前記光重畳手段の第２の入力端にそれぞれ接続されることを特徴とする。
【００６２】
第５７の発明は、光ネットワーク装置であって、複数の入力端を持つ光機能回路手段と、入力端と第１の出力端と第２の出力端とを持ち光伝送路が前記入力端に接続され前記入力端へ入力される光を前記第１の出力端と前記第２の出力端とに分離して出力するｍ個の光分離手段と、ｍ個の入力端と１個の出力端とを持ち前記ｍ個の入力端へ入力された光信号の内の１個の入力端へ入力した光信号を選択する選択手段と、光受信手段と、光送信手段と、１個の入力端とｍ個の出力端とを持ち入力端へ入力された光を各出力端へ分岐して出力する光分岐手段と、第１の入力端と第２の入力端と出力端とを持ち光伝送路が前記出力端に接続され前記第１の入力端への入力光と前記第２の入力端への入力光とを重畳したものを前記出力端へ出力するｍ個の光重畳手段と、ネットワークの運用、管理、及び保守情報を処理する情報処理手段とからなり、前記光分離手段の第１の出力端は前記光機能回路手段の入力端にそれぞれ接続され、前記光分離手段の第２の出力端は前記選択手段の入力端にそれぞれ接続され、前記選択手段の出力端は前記光受信手段の入力端に接続され、前記光受信手段の出力端は前記情報処理手段の入力端に接続され、前記光機能回路手段の出力端は前記光重畳手段の第１の入力端にそれぞれ接続され、前記情報処理手段の出力端は前記光送信手段の入力端に接続され、前記光送信手段の出力端は前記光分岐手段の入力端に接続され、前記光分岐手段の出力端は前記光重畳手段の第２の入力端にそれぞれ接続されることを特徴とする。
【００６３】
第５８の発明は、光ネットワーク装置であって、複数の入力端を持つ光機能回路手段と、入力端と第１の出力端と第２の出力端とを持ち光伝送路が前記入力端に接続され前記入力端へ入力される光を前記第１の出力端と前記第２の出力端とに分離して出力するｍ個の光分離手段と、ｍ個の光受信手段と、ｍ個の入力端と１個の出力端とを持ち前記ｍ個の入力端へ入力された電気信号の内の１個の入力端へ入力した電気信号を選択する選択手段と、光送信手段と、１個の入力端とｍ個の出力端とを持つ光分岐手段と、第１の入力端と第２の入力端と出力端とを持ち光伝送路が前記出力端に接続され前記第１の入力端への入力光と前記第２の入力端への入力光とを重畳したものを前記出力端へ出力するｍ個の光重畳手段と、ネットワークの運用、管理、及び保守情報を処理する情報処理手段とからなり、前記光分離手段の第１の出力端は前記光機能回路手段の入力端にそれぞれ接続され、前記光分離手段の第２の出力端は前記光受信手段の入力端にそれぞれ接続され、前記光受信手段の出力端は前記選択手段の入力端にそれぞれ接続され、前記選択手段の出力端は前記情報処理手段の入力端に接続され、前記光機能回路手段の出力端は前記光重畳手段の第１の入力端にそれぞれ接続され、前記情報処理手段の出力端は前記光送信手段の入力端に接続され、前記光送信手段の出力端は前記光分岐手段の入力端に接続され、前記光分岐手段の出力端は前記光重畳手段の第２の入力端にそれぞれ接続されることを特徴とする。
【００６４】
第５９の発明は、光ネットワーク装置であって、複数の入力端を持つ光機能回路手段と、入力端と第１の出力端と第２の出力端とを持ち光伝送路が前記入力端に接続され前記入力端へ入力される光を前記第１の出力端と前記第２の出力端とに分離して出力するｍ個の光分離手段と、ｍ個の入力端と１個の出力端とを持ち前記ｍ個の入力端へ入力された光信号の内の１個の入力端へ入力した光信号を選択する選択手段と、光受信手段と、１個の入力端とｍ個の出力端とを持ち入力端へ入力された電気信号をｍ分岐した電気信号をそれぞれの出力端に出力する分岐手段と、ｍ個の光送信手段と、第１の入力端と第２の入力端と出力端とを持ち光伝送路が前記出力端に接続され前記第１の入力端への入力光と前記第２の入力端への入力光とを重畳したものを前記出力端へ出力するｍ個の光重畳手段と、ネットワークの運用、管理、及び保守情報を処理する情報処理手段とからなり、前記光分離手段の第１の出力端は前記光機能回路手段の入力端にそれぞれ接続され、前記光分離手段の第２の出力端は前記選択手段の入力端にそれぞれ接続され、前記選択手段の出力端は前記光受信手段の入力端に接続され、前記光受信手段の出力端は前記情報処理手段の入力端に接続され、前記光機能回路手段の出力端は前記光重畳手段の第１の入力端にそれぞれ接続され、前記情報処理手段の出力端は前記分岐手段の入力端に接続され、前記分岐手段の出力端は光送信手段とそれぞれ接続され、前記光送信器手段の出力端は光重畳手段の出力端にそれぞれ接続されることを特徴とする。
【００６５】
第６０の発明は、請求項５６記載の光ネットワーク装置であって、１個の入力端とｍ個の出力端とを持ち入力端へ入力された電気信号をｍ分岐した電気信号をそれぞれの出力端に出力する分岐手段と、ｍ個の光送信手段と、第１の入力端と第２の入力端と出力端とを持ち光伝送路が前記出力端に接続され前記第１の入力端への入力光と前記第２の入力端への入力光とを重畳したものを前記出力端へ出力するｍ個の光重畳手段とが付加され、光機能回路手段の出力端は前記光重畳手段の第１の入力端にそれぞれ接続され、情報処理手段の出力端は前記分岐手段の入力端に接続され、前記分岐手段の出力端は光送信手段とそれぞれ接続され、前記光送信器手段の出力端は光重畳手段の出力端にそれぞれ接続されることを特徴とする。
【００６６】
第６１の発明は、ネットワークの運用、管理、及び保守情報の伝送方式であって、第１群に属する波長の光信号を第２の光ネットワーク装置へｍ本の光伝送路を用いて伝送する第１の光ネットワーク装置から第２の光ネットワーク装置へのネットワークの運用、管理、及び保守情報の伝送方式に於いて、前記第１の光ネットワーク装置は、前記ネットワークの運用、管理、及び保守情報を持つ、ｍ個の第２群に属する波長の光信号を生成し、前記ｍ個の第２群に属する波長の光信号それぞれと前記ｍ本の光伝送路に伝送されている前記第１群に属する波長の光信号それぞれとを重畳した光信号を前記ｍ本の光伝送路を用いてそれぞれ伝送し、前記第２の光ネットワーク装置は、前記ｍ本の光伝送路を用いて伝送されてきた前記重畳した光信号の内前記第２群に属する光信号をそれぞれ抽出し、ｍ個の抽出された前記第２群に属する波長の光信号の内１つの光信号の内１つの光信号を有効な光信号として受信し、前記ネットワークの運用、管理、及び保守情報を得ることを特徴とする。
【００６７】
第６２の発明は、ネットワークの連用、管理、及び保守情報の伝送方式であって、第１群に属する波長の光信号を第２の光ネットワーク装置へｍ本の光伝送路を用いて伝送する第１の光ネットワーク装置から第２の光ネットワーク装置へのネットワークの運用、管理、及び保守情報の伝送方式に於いて、前記第１の光ネットワーク装置は、前記ネットワークの運用、管理、及び保守情報を持つ、第２群に属する波長の光信号を生成し、前記ｍ本の光伝送路の内１本の光伝送路を選択し、前記第２群に属する波長の光信号と選択された前記１本の光伝送路中に伝送されている前記第１群に属する波長の光信号とを重畳した光信号を前記１本の光伝送路を用いて伝送し、前記第２の光ネットワーク装置は、前記１本の光伝送路を用いて伝送されてきた前記重畳した光信号から前記第２群に属する波長の光信号を抽出し、抽出された前記第２群に属する波長の光信号を光受信手段を用いて受信し、前記ネットワークの運用、管理、及び保守情報を得ることを特徴とする。
【００６８】
第６３の発明は、請求項６１記載のネットワークの運用、管理、及び保守情報の伝送方式であって、前記第２の光ネットワーク装置に於いて、異なる時刻に於いて別個の１つの光信号を選択することを特徴とする。
【００６９】
第６４の発明は、請求項６２記載のネットワークの運用、管理、及び保守情報の伝送方式であって、前記第１の光ネットワーク装置に於いて、異なる時刻に於いて別個の１本の光伝送路を選択することを特徴とする。
【００７０】
第６５の発明は、請求項６１記載のネットワークの運用、管理、及び保守情報の伝送方式であって、前記第２の光ネットワーク装置に於いて前記選択している前記第２群に属する波長の光信号の受信障害が起こった場合に、前記第２の光ネットワーク装置は、他の前記光伝送路を用いて伝送している前記第２群に属する波長の光信号を自動的に選択することを特徴とする。
【００７１】
第６６の発明は、請求項６２記載のネットワークの運用、管理、及び保守情報の伝送方式であって、前記選択された１本の光伝送路に障害が起こった場合に、前記第２群に属する波長の光信号を伝送する光伝送路を前記選択された１本の光伝送路から他の前記光伝送路へ自動的に切り替えることを特徴とする。
【００７２】
第６７の発明は、光ネットワーク装置であって、光機能回路手段と、入力端と第１の出力端と第２の出力端とを持ち前記入力端が他ノードに接続される光伝送路に接続されかつ前記第１の出力端が前記光ネットワークの運用・管理・保守の対象である光機能回路手段に接続されるか又は前記第１の出力端が他ノードと接続される光伝送路に接続されかつ前記入力端が前記光機能回路手段に接続され前記入力端へ入力される光を前記第１の出力端と第２の出力端とに分離して出力するｍ個の第１の光分離手段と、入力端と第１の出力端と第２の出力端とを持ち光伝送路が前記入力端に接続され前記入力端へ入力される光を前記第１の出力端と第２の出力端とに分離して出力するｍ個の第２の光分離手段と、ｍ個の入力端と１個の出力端とを持ち前記ｍ個の入力端へ入力された光信号の内の１個の入力端へ入力した信号を選択する選択手段と、ｍ個の光信号の状態を判定する光信号判定手段と、光受信手段と、複数の入力端を持つ前記光ネットワークの運用、管理、保守に関する情報を処理する情報処理手段とからなり、前記第１の光分離手段の第２の出力端は前期第２の光分離手段の入力端にそれぞれ接続され、前期第２の光分離手段の第２の出力端は前期光信号判定手段の入力端にそれぞれ接続され、前期光信号判定手段の出力端は前記情報処理手段の入力端にそれぞれ接続され、前期第２の光分離手段の第１の出力端は前記選択手段の入力端にそれぞれ接続され、前記選択手段の出力端は前記光受信手段の入力端に接続され、前記光受信手段の出力端は前記情報処理手段の入力端に接続されることを特徴とする。
【００７３】
第６８の発明は、光ネットワーク装置であって、光機能回路手段と、入力端と第１の出力端と第２の出力端とを持ち前記入力端が他ノードに接続される光伝送路に接続されかつ前記第１の出力端が前記光機能回路手段に接続されるか又は前記第１の出力端が他ノードと接続される光伝送路に接続されかつ前記入力端が前記光機能回路手段に接続され前記入力端へ入力される光を前記第１の出力端と前記第２の出力端とに分離して出力する光分離手段と、光受信手段と、入力端と第１の出力端と第２の出力端とを持ち予め第１群のプロトコルによって通信を行う第１のネットワークの運用、管理、及び保守情報を持つ信号と第２群のプロトコルによって通信を行う第２のネットワークの運用、管理、及び保守情報を持つ信号とが時分割多重された信号が入力端へ入力されると前記第１のネットワークの運用、管理、及び保守情報を持つ信号の情報を前記第１の出力端へ出力し前記第２のネットワークの運用、管理、及び保守情報を持つ信号の情報を前記第２の出力端へ出力する情報分離手段と、前記第１群のプロトコル処理を行う第１群のプロトコル処理手段と、前記第２群のプロトコル処理を行う第２群のプロトコル処理手段と、第１の入力端と第２の入力端とを持ちネットワークの運用、管理、及び保守情報を処理する情報処理手段とからなり、前記光分離手段の第２の出力端は前記光受信手段の入力端に接続され、前記光受信手段の出力端は前記情報分離手段に接続され、前記情報分離手段の第１の出力端は前記第１群のプロトコル処理手段の入力端に接続され、前記情報分離手段の第２の出力端は前記第２群のプロトコル処理手段の入力端に接続され、前記第１群のプロトコル処理手段の出力端は前記情報処理手段の第１の入力端に接続され、前記第２群のプロトコル処理手段の出力端は前記情報処理手段の第２の入力端に接続されることを特徴とする。
【００７４】
第６９の発明は、前記第１のネットワークの運用、管理、及び保守情報を持つ信号がデジタル信号であり、前記第１群のプロトコル処理手段が、前記デジタル信号の時間軸上でのビットの相対的位置及び前記ビットの値が前記ネットワークの運用、管理、及び保守情報であるプロトコルを処理するプロトコル処理手段であることを特徴とする。
【００７５】
第７０の発明は、光ネットワーク装置であって、光機能回路手段と、第１の入力端と第２の入力端と出力端とを持ち前記第１の入力端が他ノードに接続される光伝送路に接続されかつ前記出力端が前記光機能回路手段に接続されるか又は前記出力端が他ノードと接続される光伝送路に接続されかつ前記第１の入力端が前記光機能回路手段に接続され前記第１の入力端への入力光と前記第２の入力端への入力光とを重畳したものを前記出力端へ出力する光重畳手段と、光送信手段と、第１群のプロトコル処理を行う第１群のプロトコル処理手段と、第２群のプロトコル処理を行う第２群のプロトコル処理手段と、第１の入力端と第２の入力端と出力端とを持ち前記第１群のプロトコルによって通信を行う第１のネットワークの運用、管理、及び保守情報を持つ信号を前記第１の入力端へ入力し前記第２群のプロトコルによって通信を行う第２のネットワークの運用、管理、及び保守情報を持つ信号を前記第２の入力端へ入力すると前記第１のネットワークの運用、管理、及び保守情報を持つ信号と前記第２のネットワークの運用、管理、及び保守情報を持つ信号とが時分割多重された信号を前記出力端へ出力する情報重畳手段と、第１の出力端と第２の出力端とを持ちネットワークの運用、管理、及び保守情報を処理する情報処理手段とからなり、前記情報処理手段の第１の出力端は前記第１群のプロトコル処理手段の入力端に接続され、前記情報処理手段の第２の出力端は前記第２群のプロトコル処理手段の入力端に接続され、前記第１群のプロトコル処理手段の出力端は前記情報重畳手段の第１の入力端に接続され、前記第２群のプロトコル処理手段の出力端は前記情報重畳手段の第２の入力端に接続され、前記情報重畳手段の出力端は前記光送信手段の入力端に接続され、前記光送信手段の出力端は前記光重畳手段の第２の入力端に接続されることを特徴とする。
【００７６】
第７１の発明は、前記第１のネットワークの運用、管理、及び保守情報を持つ信号がデジタル信号であり、前記第１群のプロトコル処理手段が、前記デジタル 信号の時間軸上でのビットの相対的位置及び前記ビットの値が前記ネットワーク の運用、管理、及び保守情報であるプロトコルを処理するプロトコル処理手段で あることを特徴とする。
【００７７】
第７２の発明は、光ネットワーク装置であって、光機能回路手段と、入力端と第１の出力端と第２の出力端とを持ち前記入力端が他ノードに接続される光伝送路に接続されかつ前記第１の出力端が前記光機能回路手段に接続されるか又は前記第１の出力端が他ノードと接続される光伝送路に接続されかつ前記入力端が前記光機能回路手段に接続され前記入力端へ入力される光を前記第１の出力端と第２の出力端とに分離して出力するｍ個の光分離手段と、ｍ個の入力端と１個の出力端とを持ち前記ｍ個の入力端へ入力された光信号の内の１個の入力端へ入力した光信号が電気信号に変換された信号を出力する選択光受信手段と、入力端と第１の出力端から第（ｍ＋１）の出力端までの出力端とを持ち予め第１群のプロトコルによって通信を行う第１のネットワークの運用、管理、及び保守情報を持つ信号と第２群のプロトコルによって通信を行うｍ個の第２群のネットワークの運用、管理、及び保守情報を持つ信号とが時分割多重された信号が入力端へ入力されると前記第１のネットワークの運用、管理、及び保守情報を持つ信号の情報を前記第（ｍ＋１）の出力端へ出力し前記第２群のネットワークの運用、管理、及び保守情報を持つ信号の情報を前記第１の出力端から前記第ｍの出力端へそれぞれ出力する情報分離手段と、前記第１群のプロトコル処理を行う第１群のプロトコル処理手段と、前記第２群のプロトコル処理を行うｍ個の第２群のプロトコル処理手段と、ネットワークの運用、管理、及び保守情報を処理する情報処理手段とからなり、前記光分離手段の第２の出力端は前記選択光受信手段の入力端にそれぞれ接続され、前記選択光受信手段の出力端は前記情報分離手段の入力端に接続され、前記情報分離手段の第（ｍ＋１）の出力端は前記第１群のプロトコル処理手段の入力端に接続され、前記情報分離手段の第１の出力端から第ｍの出力端までは前記ｍ個の第２群のプロトコル処理手段の入力端にそれぞれ接続され、前記第１群のプロトコル処理手段の出力端は前記情報処理手段の入力端に接続され、前記ｍ個の第２群のプロトコル処理手段の出力端はそれぞれ前記情報処理手段の入力端に接続されることを特徴とする。
【００７８】
第７３の発明は、前記第２群のネットワークの運用、管理、及び保守情報を持つ信号がデジタル信号であり、前記第２詳のプロトコル処理手段が、前記デジタル信号の時間軸上でのビットの相対的位置及び前記ビットの値が前記ネットワークの運用、管理、及び保守情報であるプロトコルを処理するプロトコル処理手段であることを特徴とする。
【００７９】
第７４の発明は、光ネットワーク装置であって、１個の入力端とｍ個の出力端とを持ち信号を前記入力端へ入力すると前記信号が光信号に変換されたｍ個の光信号を前記ｍ個の出力端にそれぞれ出力する光分岐送信手段と、複数の出力端を持つ光機能回路手段と、第１の入力端と第２の入力端と出力端とを持ち前記第１の入力端が他ノードに接続される光伝送路に接続されかつ前記出力端が前記光機能回路手段に接続されるか又は前記出力端が他ノードと接続される光伝送路に接続されかつ前記第１の入力端が前記光機能回路手段に接続され前記第１の入力端への入力光と前記第２の入力端への入力光とを重畳したものを前記出力端へ出力するｍ個の光重畳手段と、第１群のプロトコル処理を行う第１群のプロトコル処理手段と、第２群のプロトコル処理を行うｍ個の第２群のプロトコル処理手段と、第１の入力端から第（ｍ＋１）までの入力端と出力端とを持ち前記第１群のプロトコルによって通信を行う第１のネットワークの運用、管理、及び保守情報を持つ信号を前記第（ｍ＋１）の入力端へ入力し前記第２群のプロトコルによって通信を行うｍ個の第２群のネットワークの運用、管理、及び保守情報を持つ信号を前記第１の入力端から前記第ｍの入力端までへそれぞれ入力すると前記第１のネットワークの運用、管理、及び保守情報を持つ信号と前記ｍ個の第２群のネットワークの運用、管理、及び保守情報を持つ信号とが時分割多重された信号を前記出力端へ出力する情報重畳手段と、ネットワークの運用、管理、及び保守情報を処理する情報処理手段とからなり、前記情報処理手段の出力端は前記第１群のプロトコル処理手段の入力端と前記ｍ個の第２群のプロトコル処理手段の入力端にそれぞれ接続され、前記第１群のプロトコル処理手段の出力端は前記情報重畳手段の第（ｍ＋１）の入力端に接続され、前記ｍ個の第２群のプロトコル処理手段の出力端は前記情報重畳手段の第１の入力端から第ｍの入力端までにそれぞれ接続され、情報重畳手段の出力端は前記光分岐送信手段の入力端に接続され、前記光送信手段の出力端は前記光重畳手段の第２の入力端にそれぞれ接続されることを特徴とする。
【００８０】
第７５の発明は、前記第２群のネットワークの運用、管理、及び保守情報を持つ信号がデジタル信号であり、前記第２群のプロトコル処理手段が、前記デジタル信号の時間軸上でのビットの相対的位置及び前記ビットの値が前記ネットワークの運用、管理、及び保守情報であるプロトコルを処理するプロトコル処理手段であることを特徴とする。
【００８１】
第７６の発明は、光ネットワーク装置であって、光機能回路手段と、入力端と第１の出力端と第２の出力端とを持ち他ノードに接続される光伝送路が前記入力端に接続されかつ前記光機能回路手段が前記第１の出力端に接続されるか又は他ノードと接続される光伝送路が前記出力端に接続されかつ前記光機能回路手段が前記第１の出力端に接続され前記入力端へ入力される光を前記第１の出力端と前記第２の出力端とに分離して出力する光分離手段と、光受信手段と、ネットワークの運用、管理、及び保守情報を処理する情報処理手段と、第１の入力端と第２の入力端と出力端とを持ち前記第１の入力端へ入力される信号と前記第２の入力端へ入力される信号とを重畳した信号を前記出力端へ出力する信号重畳手段と、信号出力装置と、出力端が前記光機能回路手段または光伝送路のいづれかに接続される光送信手段とからなり、前記光分離手段の第２の出力端は前記光受信手段の入力端に接続され、前記光受信手段の出力端は前記情報処理手段の入力端に接続され、前記情報処理手段の出力端は前記信号重畳手段の第２の入力端に接続され、前記信号生成装置の出力端は前記信号重畳手段の第１の入力端に接続され、前記信号重畳手段の出力端は前記光送信手段の入力端に接続されることを特徴とする。
【００８２】
第７７の発明は、光ネットワーク装置であって、光機能回路手段と、他ノードと接続される光伝送路または前記光機能回路手段の出力端のいづれかが接続される光受信手段と、入力端と第１の出力端と第２の出力端とを持ち前記入力端へ入力された信号を前記第１の出力端と前記第２の出力端とに分離して出力する信号分離手段と、信号入力手段と、ネットワークの運用、管理、及び保守情報を処理する情報処理手段と、第１の入力端と第２の入力端と出力端とを持ち前記第１の入力端へ入力される信号と前記第２の入力端へ入力される信号とを重畳した信号を前記出力端へ出力する信号重畳手段と、信号出力手段と、他ノードと接続される光伝送路または前記光機能回路手段の入力端のいづれかに接続される前記光送信手段とからなり、前記光受信手段の出力端は前記信号分離手段の入力端に接続され、前記信号分離手段の第１の出力端は前記信号入力手段に接続され、前記信号分離手段の第２の出力端は前記情報処理手段に接続され、前記情報処理手段の出力端は前記信号重畳手段の第２の入力端に接続され、前記信号出力手段の出力端は前記信号重畳手段の第１の入力端に接続され、前記信号重畳手段の出力端は前記光送信手段に接続されることを特徴とする。
【００８３】
第７８の発明は、請求項６９記載の光ネットワーク装置であって、前記光機能回路手段が、複数の光スイッチを用いて構成され複数の入力端と複数の出力端とを持つ光スイッチ回路網であり、前記入力端には該光ネットワーク装置が電気的に終端点となる光信号を伝送している光伝送路が少なくとも１つ接続され、前記出力端には該光ネットワーク装置が電気的に終端点となる光信号を伝送している光伝送路が少なくとも１つ接続されることを特徴とする。
【００８４】
【作用】
以下、本発明の作用について説明する。
【００８５】
第１の発明に関しては、光機能回路手段に光信号が入力される前に光分岐器や、ＷＤＭ（波長分割多重、分離：Ｗａｖｅｌｅｎｇｔｈ  Ｄｉｖｉｓｉｏｎ  Ｍｕｌｔｉｐｌｅｘｉｎｇ  ａｎｄ  Ｄｅｍｕｌｔｉｐｌｉｅｘｉｎｇ）カップラ、偏光スプリッタ等の光分離手段を挿入することにより、予め重畳されたネットワークの運用、管理、及び保守の情報信号（以下ＯＡＭ信号と略、ＯＡＭ：Ｏｐｅｒａｔｉｏｎｓ，Ａｄｍｉｎｉｓｔｒａｔｉｏｎ，ａｎｄ  Ｍａｉｎｔｅｎａｎｃｅ）を分離して抽出することができ、主信号が光のまま通過する光ネットワーク装置に於いて、ＯＡＭ情報（ＯＡＭ信号の情報）を得ることができる。
【００８６】
第２の発明に関しては、光機能回路手段に光信号が入力される前にＷＤＭカップラのような波長を分離する手段を挿入することにより、予め主信号の波長と異なる波長に重畳されたＯＡＭ信号を分離して抽出することができ、主信号が光のまま通過する光ネットワーク装置に於いて、ＯＡＭ情報を得ることができる。
【００８７】
第３の発明に関しては、光機能回路手段から光信号が出力された後に、光重畳手段を挿入することにより、主信号光にＯＡＭ信号光を重畳して、他ノードへ伝送することができる。従って、光のまま主信号が通過する光ネットワーク装置から他の光ネットワーク装置へＯＡＭ情報を伝送することができる。
【００８８】
第４の発明に関しては、光機能回路手段に光信号が入力される前に光分岐器や、ＷＤＭカップラ、偏光スプリッタ等の光分離手段を挿入することにより、予め重畳されたＯＡＭ信号を分離して抽出することができる。又、光機能回路手段から光信号が出力された後に、光重畳手段を挿入することにより、主信号光にＯＡＭ信号光を重畳して、他ノードへ伝送することができる。従って、光のまま主信号が通過する光ネットワーク装置から他の光ネットワーク装置へＯＡＭ信号光を伝送することができ、他の光ネットワーク装置からＯＡＭ情報を得ることができる。
【００８９】
第５の発明に関しては、光機能回路手段に光信号が入力される前に光分岐器や、ＷＤＭカップラ、偏光スプリッタ等の光分離手段を挿入することにより、予め重畳されたＯＡＭ信号を分離して抽出することができる。又、光分離手段の後段に、光重畳手段を挿入することにより、主信号光にＯＡＭ信号光を重畳して、他ノードへ伝送することができる。従って、光のまま主信号が通過する光ネットワーク装置から他の光ネットワーク装置へＯＡＭ信号光を伝送することができ、他の光ネットワーク装置からＯＡＭ情報を得ることができる。
【００９０】
第６の発明に関しては、光機能回路手段の後段に光分岐器や、ＷＤＭカップラ、偏光スプリッタ等の光分離手段を挿入することにより、予め重畳されたＯＡＭ信号を分離して抽出することができる。又、光分離手段の後段に、光重畳手段を挿入することにより、主信号光にＯＡＭ信号光を重畳して、他ノードへ伝送することができる。従って、光のまま主信号が通過する光ネットワーク装置から他の光ネットワーク装置へＯＡＭ信号光を伝送することができ、他の光ネットワーク装置からＯＡＭ情報を得ることができる。
【００９１】
第７の発明に関しては、光スイッチ回路網に光信号が入力される前に光分岐器や、ＷＤＭカップラ、偏光スプリッタ等の光分離手段を挿入することにより、予め重畳されたＯＡＭ信号を分離して抽出することができ、主信号が光のまま通過する光ネットワーク装置に於いて、ＯＡＭ情報を得ることができる。
【００９２】
第８の発明に関しては、光スイッチ回路網に光信号が入力される前にＷＤＭカップラのような波長を分離する手段を挿入することにより、予め主信号の波長と異なる波長に重畳されたＯＡＭ信号を分離して抽出することができ、主信号が光のまま通過する光ネットワーク装置に於いて、ＯＡＭ情報を得ることができる。
【００９３】
第９の発明に関しては、光スイッチ回路網から光信号が出力された後に、光重畳手段を挿入することにより、主信号光にＯＡＭ信号光を重畳して、他ノードへ伝送することができる。従って、光のまま主信号が通過する光ネットワーク装置から他の光ネットワーク装置へＯＡＭ情報を伝送することができる。
【００９４】
第１０の発明に関しては、光スイッチ回路網に光信号が入力される前に光分岐器や、ＷＤＭカップラ、偏光スプリッタ等の光分離手段を挿入することにより、予め重畳されたＯＡＭ信号を分離して抽出することができる。又、光機能回路手段から光信号が出力された後に、光重畳手段を挿入することにより、主信号光にＯＡＭ信号光を重畳して、他ノードへ伝送することができる。従って、光のまま主信号が通過する光ネットワーク装置から他の光ネットワーク装置へＯＡＭ信号光を伝送することができ、他の光ネットワーク装置からＯＡＭ情報を得ることができる。
【００９５】
第１１の発明に関しては、光機能回路手段に光信号が入力される前にＷＤＭカップラのような波長を分離する手段を挿入することにより、予め重畳されたＯＡＭ信号を分離して抽出することができる。又、光機能回路手段から光信号が出力された後に、光重畳手段を挿入することにより、主信号光にＯＡＭ信号光を重畳して、他ノードへ伝送することができる。従って、光のまま主信号が通過する光ネットワーク装置から他の光ネットワーク装置へＯＡＭ信号光を伝送することができ、他の光ネットワーク装置からＯＡＭ情報を得ることができる。
【００９６】
第１２の発明に関しては、光機能回路手段に光信号が入力される前にＷＤＭカップラのような波長を分離する手段を挿入することにより、予め重畳されたＯＡＭ信号を分離して抽出することができる。又、光分離手段の後段に、光重畳手段を挿入することにより、主信号光にＯＡＭ信号光を重畳して、他ノードへ伝送することができる。従って、光のまま主信号が通過する光ネットワーク装置から他の光ネットワーク装置へＯＡＭ信号光を伝送することができ、他の光ネットワーク装置からＯＡＭ情報を得ることができる。
【００９７】
第１３の発明に関しては、光機能回路手段の後段にＷＤＭカップラのような波長を分離手段を挿入することにより、予め重畳されたＯＡＭ信号を分離して抽出することができる。又、光分離手段の後段に、光重畳手段を挿入することにより、主信号光にＯＡＭ信号光を重畳して、他ノードへ伝送することができる。従って、光のまま主信号が通過する光ネットワーク装置から他の光ネットワーク装置へＯＡＭ信号光を伝送することができ、他の光ネットワーク装置からＯＡＭ情報を得ることができる。
【００９８】
第１４の発明に関しては、光スイッチ回路網に光信号が入力される前にＷＤＭカップラのような波長を分離する手段を挿入することにより、予め重畳されたＯＡＭ信号を分離して抽出することができる。又、光機能回路手段から光信号が出力された後に、光重畳手段を挿入することにより、主信号光にＯＡＭ信号光を重畳して、他ノードへ伝送することができる。従って、光のまま主信号が通過する光ネットワーク装置から他の光ネットワーク装置へＯＡＭ信号光を伝送することができ、他の光ネットワーク装置からＯＡＭ情報を得ることができる。
【００９９】
第１５の発明に関しては、第１の光ネットワーク装置に於いてＯＡＭ信号を光カップラ等を用いて主信号光にＯＡＭ信号光を重畳することができ、第２の光ネットワーク装置に於いて光分岐器、ＷＤＭカップラ等を用いて主信号光とＯＡＭ信号光とを分離することができる。従って、光のまま主信号光が通過する第１の光ネットワーク装置から光のまま主信号光が通過する第２の光ネットワーク装置へＯＡＭ信号を伝達することができる。
【０１００】
第１６の発明に関しては、光スイッチ回路網を用いて構成される第１の光ネットワーク装置に於いてＯＡＭ信号を光カップラ等を用いて主信号光にＯＡＭ信号光を重畳することにより、他ノードへＯＡＭ信号を伝送できる。光スイッチ回路網を用いて構成される第２の光ネットワーク装置に於いて光分岐器、ＷＤＭカップラ等を用いて主信号光とＯＡＭ信号光とを分離することによりＯＡＭ信号の抽出できる。従って、光のまま主信号光が通過する第１の光ネットワーク装置から光のまま主信号光が通過する第２の光ネットワーク装置へＯＡＭ信号を伝達することができる。
【０１０１】
第１７の発明に関しては、光機能回路手段の後段に配置された光分岐器や、ＷＤＭカップラや、偏光スプリッタ等の光分岐器を用いることにより、伝送されてきた信号光の内からＯＡＭ信号光を分離でき、光のまま主信号光が通過する光ネットワーク装置に於いてＯＡＭ情報を得ることができる。
【０１０２】
第１８の発明に関しては、光機能回路手段の後段に配置されたＷＤＭカップラのような波長を分離する手段を用いることにより、伝送されてきた信号光の内からＯＡＭ信号光を分離でき、光のまま主信号光が通過する光ネットワーク装置に於いてＯＡＭ情報を得ることができる。
【０１０３】
第１９の発明に関しては、光機能回路手段の前段に配置された光カップラのような光重畳手段を用いることにより主信号光にＯＡＭ信号光を重畳することができ、光のまま主信号光が通過する光ネットワーク装置に於いてＯＡＭ情報を他の光ネットワーク装置へ伝送することができる。
【０１０４】
第２０の発明に関しては、光機能回路手段の前段に配置された光カップラのような光重畳手段を用いることにより主信号光に監視信号光を重畳することができ、又、光機能回路手段の後段に配置されたＷＤＭカップラのような光分離手段を用いることにより、監視信号光を抽出することができ、光のまま主信号光が通過する光ネットワーク装置に於いて光機能回路手段の監視を行うことができる。
【０１０５】
第２１の発明に関しては、光機能回路手段の前段に配置された光カップラのような光重畳手段を用いて主信号光に第２群の波長の監視信号光を重畳することができ、又、光機能回路手段の後段に配置されたＷＤＭカップラのような波長を分離する手段を用いることにより、第２群の波長の監視信号光を抽出することができ、光のまま主信号光が通過する光ネットワーク装置に於いて光機能回路手段の監視を行うことができる。
【０１０６】
第２２の発明に関しては、光スイッチ回路網の後段に配置された光分岐器や、ＷＤＭカップラや、偏光スプリッタ等の光分岐器を用いることにより、伝送されてきた信号光の内からＯＡＭ信号光を分離でき、光のまま主信号光が通過する光ネットワーク装置に於いてＯＡＭ情報を得ることができる。
【０１０７】
第２３の発明に関しては、光スイッチ回路網の後段に配置されたＷＤＭカップラのような波長を分離する手段を用いることにより、伝送されてきた信号光の内からＯＡＭ信号光を分離でき、光のまま主信号光が通過する光ネットワーク装置に於いてＯＡＭ情報を得ることができる。
【０１０８】
第２４の発明に関しては、光スイッチ回路網の前段に配置された光カップラのような光重畳手段を用いることにより主信号光にＯＡＭ信号光を重畳することができ、光のまま主信号光が通過する光ネットワーク装置に於いてＯＡＭ情報を他の光ネットワーク装置へ伝送することができる。
【０１０９】
第２５の発明に関しては、光スイッチ回路網の前段に配置された光カップラのような光重畳手段を用いることにより主信号光に監視信号光を重畳することができ、又、光機能回路手段の後段に配置されたＷＤＭカップラのような光分離手段を用いることにより、監視信号光を抽出することができ、光のまま主信号光が通過する光ネットワーク装置に於いて光機能回路手段の監視を行うことができる。
【０１１０】
第２６の発明に関しては、光スイッチ回路網の前段に配置された光カップラのような光重畳手段を用いて主信号光に第２群の波長の監視信号光を重畳することができ、又、光機能回路手段の後段に配置されたＷＤＭカップラのような波長を分離する手段を用いることにより、第２群の波長の監視信号光を抽出することができ、光のまま主信号光が通過する光ネットワーク装置に於いて光機能回路手段の監視を行うことができる。
【０１１１】
第２７の発明に関しては、光機能回路手段の前段に配置された光カップラのような光重畳手段を用いることにより第１群の波長の主信号光に第２群の波長の監視信号光を重畳することができ、又、光機能回路手段の後段に配置されたＷＤＭカップラのような波長を分離する手段を用いることにより、第２群の波長の監視信号光を抽出することができ、光のまま主信号光が通過する光ネットワーク装置に於いて光機能回路手段の監視を行うことができる。
【０１１２】
第２８の発明に関しては、光スイッチ回路網の前段に配置された光カップラのような光重畳手段を用いることにより第１群の波長の主信号光に第２群の波長の監視信号光を重畳することができ、又、光機能回路手段の後段に配置されたＷＤＭカップラのような波長を分離する手段を用いることにより、第２群の波長の監視信号光を抽出することができ、光のまま主信号光が通過する光スイッチ回路網に於いて光スイッチ回路網の監視を行うことができる。
【０１１３】
第２９の発明に関しては、光機能回路手段の前段に配置されたＷＤＭカップラのような光分離手段を用いて、他の光ネットワーク装置から伝送されてきたＯＡＭ信号光を分離して抽出することができる。又、その次の段に配置された光重畳手段を用いることにより、監視信号光を主信号光に重畳することができる。又、光機能回路手段の後段に配置されたＷＤＭカップラのような光分離手段を用いることにより、監視信号光を分離して抽出することができる。又、その次の段に配置された光重畳手段を用いることにより、他の光ネットワーク装置へのＯＡＭ信号を主信号光に重畳することができる。従って、光のまま主信号光が通過する光スイッチ回路網に於いてＯＡＭ信号光の授受を行うことができ、光スイッチ回路網の監視を行うことができる。
【０１１４】
第３０の発明に関しては、光機能回路手段の前段に配置されたＷＤＭカップラのような波長を分離する手段を用いて、他の光ネットワーク装置から伝送されてきた光信号から第２群に属する波長のＯＡＭ信号光を分離して抽出することができる。又、その次の段に配置された光重畳手段を用いることにより、第３群に属する波長の監視信号光を第１群に属する波長の主信号光に重畳することができる。又、光機能回路手段の後段に配置されたＷＤＭカップラのような波長を分離する手段を用いることにより、第３群に属する波長の監視信号光を分離して抽出することができる。又、その次の段に配置された光重畳手段を用いることにより、他の光ネットワーク装置へのＯＡＭ信号光（第１群には属さない波長の光）を主信号光に重畳することができる。従って、光のまま主信号光が通過する光スイッチ回路網に於いてＯＡＭ信号光の授受を行うことができ、光スイッチ回路網の監視を行うことができる。
【０１１５】
第３１の発明に関しては、光機能回路手段に光信号が入力される前に光分岐器等の光分岐手段を挿入することにより、予め重畳されたＯＡＭ：信号を抽出することができ、主信号が光のまま通過する光ネットワーク装置に於いて、ＯＡＭ情報を得ることができる。
【０１１６】
第３２の発明に関しては、光機能回路手段に光信号が入力される前に光分岐器や、ＷＤＭカップラ、偏光スプリッタ等の光分離手段を挿入することにより、予め重畳されたＯＡＭ信号光を分離することができ、得られたＯＡＭ信号光から予めＯＡＭ信号が変調されたサブキャリア信号を復調することによりＯＡＭ信号を抽出することができ、主信号が光のまま通過する光ネットワーク装置に於いて、ＯＡＭ情報を得ることができる。
【０１１７】
第３３の発明に関しては、光機能回路手段に光信号が入力される前に光分岐器等の光分岐手段を挿入することにより、ＯＡＭ：信号光を分離することができ、得られたＯＡＭ信号光から予めＯＡＭ信号が変調されたサブキャリア信号を復調することによりＯＡＭ信号を抽出することができ、主信号が光のまま通過する光ネットワーク装置に於いて、ＯＡＭ情報を得ることができる。
【０１１８】
第３４の発明に関しては、光スイッチ回路網に光信号が入力される前に光分岐器等の光分岐手段を挿入することにより、予め重畳されたＯＡＭ：信号を抽出することができ、主信号が光のまま通過する光ネットワーク装置に於いて、ＯＡＭ情報を得ることができる。
【０１１９】
第３５の発明に関しては、光スイッチ回路網入力される前に光分岐器や、ＷＤＭカップラ、偏光スプリッタ等の光分離手段を挿入することにより、予め重畳されたＯＡＭ信号光を分離することができ、得られたＯＡＭ信号光から予めＯＡＭ信号が変調されたサブキャリア信号を復調することによりＯＡＭ信号を抽出することができ、主信号が光のまま通過する光ネットワーク装置に於いて、ＯＡＭ情報を得ることができる。
【０１２０】
第３６の発明に関しては、光スイッチ回路網に光信号が入力される前に光分岐器等の光分岐手段を挿入することにより、ＯＡＭ：信号光を分離することができ、得られたＯＡＭ信号光から予めＯＡＭ信号が変調されたサブキャリア信号を復調することによりＯＡＭ信号を抽出することができ、主信号が光のまま通過する光ネットワーク装置に於いて、ＯＡＭ情報を得ることができる。
【０１２１】
第３７の発明に関しては、第１の光ネットワーク装置に於いては、主信号光に、主信号光が他の光ネットワーク装置で受信できる程度の変調度、変調周波数により、ＯＡＭ信号が変調されたサブキャリア信号で主信号光を変調し、第２の光ネットワーク装置に於いては、伝送されてきた光信号を分離し、サブキャリア信号を抽出し復調し、ＯＡＭ信号を得る。このような方法を用いることにより、主信号が光のまま通過する光ネットワーク装置に於いて、ＯＡＭ情報を得ることができる。
【０１２２】
第３８の発明に関しては、第１の光スイッチ回路網からなる光ネットワーク装置に於いては、主信号光に、主信号光が他の光ネットワーク装置で受信できる程度の変調度、変調周波数により、ＯＡＭ信号が変調されたサブキャリア信号で主信号光を変調し、第２の光スイッチ回路網からなる光ネットワーク装置に於いては、伝送されてきた光信号を分離し、サブキャリア信号を抽出し復調し、ＯＡＭ信号を得る。このような方法を用いることにより、主信号が光のまま通過する光ネットワーク装置に於いて、ＯＡＭ情報を得ることができる。
【０１２３】
第３９の発明に関しては、第１の光ネットワーク装置に於いては、主信号光に、主信号光が他の光ネットワーク装置で受信できる程度の変調度、変調周波数により、光信号が通る経路に対する識別子に関する情報が変調されたサブキャリア信号で主信号光を変調し、第２の光ネットワーク装置に於いては、伝送されてきた光信号を分離し、サブキャリア信号を抽出し復調し、識別子の情報を得る。このような方法を用いることにより、主信号が光のまま通過する光ネットワーク装置に於いて、ＯＡＭ情報を得ることができる。
【０１２４】
第４０の発明に関しては、第１の光ネットワーク装置に於いては、主信号光に、主信号光が他の光ネットワーク装置で受信できる程度の変調度、変調周波数により、光信号が通る経路に対する識別子に関する情報が変調されたサブキャリア信号で主信号光を変調し、第２の光スイッチ回路網からなる光ネットワーク装置に於いては、伝送されてきた光信号を分離し、サブキャリア信号を抽出し復調し、識別子の情報を得る。このような方法を用いることにより、主信号が光のまま通過する光ネットワーク装置に於いて、ＯＡＭ情報を得ることができる。
【０１２５】
第４１の発明に関して、光機能回路手段の前段に配置されたＷＤＭカップラのような光分離手段を用いて、他の光ネットワーク装置から伝送されてきたＯＡＭ信号光を分離して抽出することができる。又、その次の段に配置された光分離手段を用いることにより、他の光ネットワーク装置から伝送されてきたＯＡＭ信号光を分離して抽出することができる。又、その次の段に配置された光重畳手段を用いることにより、監視信号光を主信号光に重畳することができる。又、光機能回路手段の後段に配置されたＷＤＭカップラのような光分離手段を用いることにより、監視信号光を分離して抽出することができる。又、その次の段に配置された光重畳手段を用いることにより、他の光ネットワーク装置へのＯＡＭ信号を主信号光に重畳することができる。従って、光のまま主信号光が通過する光スイッチ回路網に於いてＯＡＭ信号光の授受を行うことができ、光スイッチ回路網の監視を行うことができる。
【０１２６】
第４２の発明に関して、光機能回路手段の前段に配置されたＷＤＭカップラのような波長を分離する手段を用いて、他の光ネットワーク装置から伝送されてきた第２群に属する波長のＯＡＭ信号光を分離して抽出することができる。又、その次の段に配置された光分離手段を用いることにより、他の光ネットワーク装置から伝送されてきたサブキャリア信号に変調されたＯＡＭ信号光を分離して抽出することができ、その出力に接続された光受信器を用いることにより、サブキャリア信号からＯＡＭ信号を抽出できる。又、その次の段に配置された光重畳手段を用いることにより、第３群に属する波長の監視信号光を第１群に属する波長の主信号光に重畳することができる。又、光機能回路手段の後段に配置されたＷＤＭカップラのような光分離手段を用いることにより、第３群に属する波長の監視信号光を分離して抽出することができる。又、その次の段に配置された光重畳手段を用いることにより、他の光ネットワーク装置へのＯＡＭ信号（第１群に属さない波長の光）を主信号光に重畳することができる。従って、光のまま主信号光が通過する光スイッチ回路網に於いてＯＡＭ信号光の授受を行うことができ、光スイッチ回路網の監視を行うことができる。
【０１２７】
第４３の発明に関して、光機能回路手段の前段に配置されたＷＤＭカップラのような光分離手段を用いて、他の光ネットワーク装置から伝送されてきたＯＡＭ信号光を分離して抽出することができる。又、その次の段に配置された光重畳手段を用いることにより、監視信号光を主信号光に重畳することができる。又、光機能回路手段の後段に配置されたＷＤＭカップラのような光分離手段を用いることにより、監視信号光を分離して抽出することができる。又、その次の段に配置された光分離手段を用いることにより、他の光ネットワーク装置から伝送されてきたＯＡＭ信号光を分離して抽出することができる。又、その次の段に配置された光重畳手段を用いることにより、他の光ネットワーク装置へのＯＡＭ信号を主信号光に重畳することができる。従って、光のまま主信号光が通過する光スイッチ回路網に於いてＯＡＭ信号光の授受を行うことができ、光スイッチ回路網の監視を行うことができる。
【０１２８】
第４４の発明に関して、光機能回路手段の前段に配置されたＷＤＭカップラのような波長を分離する手段を用いて、他の光ネットワーク装置から伝送されてきた第２群に属する波長のＯＡＭ信号光を分離して抽出することができる。又、その次の段に配置された光重畳手段を用いることにより、第３群に属する波長の監視信号光を第１群に属する波長の主信号光に重畳することができる。又、光機能回路手段の後段に配置されたＷＤＭカップラのような光分離手段を用いることにより、第３群に属する波長の監視信号光を分離して抽出することができる。又、その次の段に配置された光分離手段を用いることにより、他の光ネットワーク装置から伝送されてきたサブキャリア信号に変調されたＯＡＭ信号光を分離して抽出することができ、その出力に接続された光受信器を用いることにより、サブキャリア信号からＯＡＭ信号を抽出できる。又、その次の段に配置された光重畳手段を用いることにより、他の光ネットワーク装置へのＯＡＭ信号（第１群に属さない波長の光）を主信号光に重畳することができる。従って、光のまま主信号光が通過する光スイッチ回路網に於いてＯＡＭ信号光の授受を行うことができ、光スイッチ回路網の監視を行うことができる。
【０１２９】
第４５の発明に関しては、光機能回路手段から光信号が出力された後に光重畳手段を挿入し、ＯＡＭ信号をサブキャリアに変調した光信号を主信号に重畳することにより、主信号光にＯＡＭ信号光を重畳して、他ノードへ伝送することができる。従って、光のまま主信号が通過する光ネットワーク装置から他の光ネットワーク装置へＯＡＭ情報を伝送することができる。
【０１３０】
第４６の発明に関して、他の光ネットワーク装置から伝送されてきた光信号が光機能回路手段に入力される前に、その光信号を、ＯＡＭ信号が変調されたサブキャリア信号で変調してやることにより、主信号光にＯＡＭ信号を重畳することができる。従って、光のまま主信号光が通過する光機能回路手段から他の光ネットワーク装置へＯＡＭ信号の伝送ができる。
【０１３１】
第４７の発明に関して、他の光ネットワーク装置から伝送されてきた光信号が光機能回路手段から出力された後に、その光信号を、ＯＡＭ信号が変調されたサブキャリア信号で変調してやることにより、主信号光にＯＡＭ信号を重畳することができる。従って、光のまま主信号光が通過する光機能回路手段から他の光ネットワーク装置へＯＡＭ信号の伝送ができる。
【０１３２】
第４８の発明に関しては、光機能回路手段へ光信号が入力される前に、光重畳手段を挿入することにより、主信号光にＯＡＭ信号光を重畳して、他ノードへ伝送することができる。従って、光のまま主信号が通過する光ネットワーク装置から他の光ネットワーク装置へＯＡＭ情報を伝送することができる。
【０１３３】
第４９の発明に関しては、光スイッチ回路網から光信号が出力された後に光重畳手段を挿入し、ＯＡＭ信号をサブキャリアに変調した光信号を主信号に重畳することにより、主信号光にＯＡＭ信号光を重畳して、他ノードへ伝送することができる。従って、光のまま主信号が通過する光ネットワーク装置から他の光ネットワーク装置へＯＡＭ情報を伝送することができる。
【０１３４】
第５０の発明に関して、他の光ネットワーク装置から伝送されてきた光信号が光スイッチ回路網に入力される前に、その光信号を、ＯＡＭ信号が変調されたサブキャリア信号で変調してやることにより、主信号光にＯＡＭ信号を重畳することができる。従って、光のまま主信号光が通過する光機能回路手段から他の光ネットワーク装置へＯＡＭ信号の伝送ができる。
【０１３５】
第５１の発明に関して、他の光ネットワーク装置から伝送されてきた光信号が光スイッチ回路網から出力された後に、その光信号を、ＯＡＭ信号が変調されたサブキャリア信号で変調してやることにより、主信号光にＯＡＭ信号を重畳することができる。従って、光のまま主信号光が通過する光機能回路手段から他の光ネットワーク装置へＯＡＭ信号の伝送ができる。
【０１３６】
第５２の発明に関しては、光スイッチ回路網へ光信号が入力される前に、光重畳手段を挿入することにより、主信号光にＯＡＭ信号光を重畳して、他ノードへ伝送することができる。従って、光のまま主信号が通過する光ネットワーク装置から他の光ネットワーク装置へＯＡＭ情報を伝送することができる。
【０１３７】
第５３の発明に関しては、予めｍ本の光伝送路に同一のＯＡＭ信号光をｍ個の光伝送路に分配しておき、それらを光機能回路手段の前段に接続された光分離手段を用いて分離して抽出し、選択手段を用いて選択し光受信手段へ入力することにより、ＯＡＭ信号を得ることができる。従って、光のまま主信号が通過する光ネットワーク装置からＯＡＭ情報を得ることができる。
【０１３８】
第５４の発明に関しては、予めｍ本の光伝送路に同一のＯＡＭ信号光をｍ個の光伝送路に分配しておき、それらを光機能回路手段の前段に接続された光分離手段を用いて分離して抽出し、ｍ個の光受信手段を用いて受信し、受信信号を選択手段を用いて選択することにより、ＯＡＭ信号を得ることができる。従って、光のまま主信号が通過する光ネットワーク装置に於いてＯＡＭ情報を得ることができる。
【０１３９】
第５５の発明に関して、情報処理手段から出力されたＯＡＭ信号は光送信手段により光信号に変換され、光分岐手段を用いてｍ分岐され、光機能回路手段の後段に配置されたｍ個の光重畳手段により、各光伝送路を通っている主信号光と重畳されて他ノードへと伝送される。従って、光のまま主信号が通過する光ネットワーク装置からＯＡＭ情報を転送することができる。
【０１４０】
第５６の発明に関して、情報処理手段から出力されたＯＡＭ信号は分岐手段によりｍ分岐され、光送信手段により光信号に変換され、光機能回路手段の後段に配置された光重畳手段により、各光伝送路を通っている主信号光と重畳されて他ノードへと伝送される。従って、光のまま主信号が通過する光ネットワーク装置からＯＡＭ情報を転送することができる。
【０１４１】
第５７の発明に関しては、予めｍ本の光伝送路に同一のＯＡＭ信号光をｍ個の光伝送路に分配しておき、それらを光機能回路手段の前段に接続された光分離手段を用いて分離して抽出し、選択手段を用いて選択し光受信手段に入力することにより、ＯＡＭ信号を得ることができる。情報処理手段から出力されたＯＡＭ信号は光送信手段により光信号に変換され、光分岐手段を用いてｍ分岐され、光機能回路手段の後段に配置されたｍ個の光重畳手段により、各光伝送路を通っている主信号光と重畳されて他ノードへと伝送される。従って、光のまま主信号が通過する光ネットワーク装置に於いてＯＡＭ情報の授受を行うことができる。
【０１４２】
第５８の発明に関しては、予めｍ本の光伝送路に同一のＯＡＭ信号光をｍ個の光伝送路に分配しておき、それらを光機能回路手段の前段に接続された光分離手段を用いて分離して抽出し、ｍ個の光受信手段を用いて受信し、受信信号を選択手段を用いて選択することにより、ＯＡＭ信号を得ることができる。第５５の発明に関して、情報処理手段から出力されたＯＡＭ信号は光送信手段により光信号に変換され、光分岐手段を用いてｍ分岐され、光機能回路手段の後段に配置されたｍ個の光重畳手段により、各光伝送路を通っている主信号光と重畳されて他ノードへと伝送される。従って、光のまま主信号が通過する光ネットワーク装置に於いてＯＡＭ情報の授受を行うことができる。
【０１４３】
第５９の発明に関しては、予めｍ本の光伝送路に同一のＯＡＭ信号光をｍ個の光伝送路に分配しておき、それらを光機能回路手段の前段に接続された光分離手段を用いて分離して抽出し、選択手段を用いて選択し光受信手段に入力することにより、ＯＡＭ信号を得ることができる。情報処理手段から出力されたＯＡＭ信号は分岐手段によりｍ分岐され、光送信手段により光信号に変換され、光機能回路手段の後段に配置された光重畳手段により、各光伝送路を通っている主信号光と重畳されて他ノードへと伝送される。従って、光のまま主信号が通過する光ネットワーク装置に於いてＯＡＭ情報の授受を行うことができる。
【０１４４】
第６０の発明に関しては、予めｍ本の光伝送路に同一のＯＡＭ信号光をｍ個の光伝送路に分配しておき、それらを光機能回路手段の前段に接続された光分離手段を用いて分離して抽出し、ｍ個の光受信手段を用いて受信し、受信信号を選択手段を用いて選択することにより、ＯＡＭ信号を得ることができる。情報処理手段から出力されたＯＡＭ信号は分岐手段によりｍ分岐され、光送信手段により光信号に変換され、光機能回路手段の後段に配置された光重畳手段により、各光伝送路を通っている主信号光と重畳されて他ノードへと伝送される。従って、光のまま主信号が通過する光ネットワーク装置に於いてＯＡＭ情報の授受を行うことができる。
【０１４５】
第６１の発明に関しては、第１の光ネットワーク装置では、ｍ本の光伝送路に同一の第２群に属する波長のＯＡＭ信号光を各光伝送路の主信号光（第１群に属する波長の光）に重畳し、第２の光ネットワーク装置へ伝送する。第２の光ネットワーク装置では、各光伝送路において、波長を分離する分離手段を用いて第２群に属する波長のＯＡＭ信号光を分離し、その内の１つの光信号をＯＡＭ信号として電気変換されたものをＯＡＭ信号の情報処理装置へ入力してやることにより、光のまま主信号が通過する第１の光ネットワーク装置から第２の光ネットワーク装置へＯＡＭ情報の伝送を行うことができる。
【０１４６】
第６２の発明に関しては、第１の光ネットワーク装置では、第２群に属する波長のＯＡＭ信号光をｍ本の光伝送路から選択して各光伝送路の主信号光（第１群に属する波長の光）に重畳し、第２の光ネットワーク装置へ伝送する。第２の光ネットワーク装置では、各光伝送路において、波長を分離する分離手段を用いて第２群に属する波長のＯＡＭ信号光を分離し、伝送されてきたＯＡＭ信号光をＯＡＭ信号として電気変換されたものをＯＡＭ信号の情報処理装置へ入力してやることにより、光のまま主信号が通過する第１の光ネットワーク装置から第２の光ネットワーク装置へＯＡＭ情報の伝送を行うことができる。
【０１４７】
第６３の発明に関しては、第１の光ネットワーク装置では、ｍ本の光伝送路に同一の第２群に属する波長のＯＡＭ信号光を各光伝送路の主信号光（第１群に属する波長の光）に重畳し、第２の光ネットワーク装置へ伝送する。第２の光ネットワーク装置では、各光伝送路において、波長を分離する分離手段を用いて第２群に属する波長のＯＡＭ信号光を分離し、その内の１つの光信号をＯＡＭ信号として電気変換されたものをＯＡＭ信号の情報処理装置へ入力してやるが、選択する１つの光信号を時刻と共に異なる光伝送路から伝送されてきたＯＡＭ信号光に変化させることにより、光のまま主信号が通過する第１の光ネットワーク装置から第２の光ネットワーク装置へＯＡＭ情報の伝送を行うことができる。
【０１４８】
第６４の発明に関しては、第１の光ネットワーク装置では、第２群に属する波長のＯＡＭ信号光をｍ本の光伝送路から選択して各光伝送路の主信号光（第１群に属する波長の光）に重畳し、第２の光ネットワーク装置へ伝送する。その際、選択する光伝送路を時刻と共に変化させる。第２の光ネットワーク装置では、各光伝送路において、波長を分離する分離手段を用いて第２群に属する波長のＯＡＭ信号光を分離し、伝送されてきたＯＡＭ信号光をＯＡＭ信号として電気変換されたものをＯＡＭ信号の情報処理装置へ入力してやることにより、光のまま主信号が通過する第１の光ネットワーク装置から第２の光ネットワーク装置へＯＡＭ情報の伝送を行うことができる。
【０１４９】
第６５の発明に関しては、第１の光ネットワーク装置では、ｍ本の光伝送路に同一の第２群に属する波長のＯＡＭ信号光を各光伝送路の主信号光（第１群に属する波長の光）に重畳し、第２の光ネットワーク装置へ伝送する。第２の光ネットワーク装置では、各光伝送路において、波長を分離する分離手段を用いて第２群に属する波長のＯＡＭ信号光を分離し、その内の１つの光信号をＯＡＭ信号として電気変換されたものをＯＡＭ信号の情報処理装置へ入力してやる。その際、選択する１つの光信号に障害が発生した場合に他の光伝送路からのＯＡＭ信号光を選択するように制御を行う。光のまま主信号が通過する第１の光ネットワーク装置から第２の光ネットワーク装置へＯＡＭ情報の伝送を行うことができる。
【０１５０】
第６６の発明に関しては、第１の光ネットワーク装置では、第２群に属する波長のＯＡＭ信号光をｍ本の光伝送路から選択して各光伝送路の主信号光（第１群に属する波長の光）に重畳し、第２の光ネットワーク装置へ伝送する。その際、伝送しているＯＡＭ信号光に障害が発生したら、他の光伝送路を用いてＯＡＭ信号を伝送するように制御行う。第２の光ネットワーク装置では、各光伝送路において、波長を分離する分離手段を用いて第２群に属する波長のＯＡＭ信号光を分離し、伝送されてきたＯＡＭ信号光をＯＡＭ信号として電気変換されたものをＯＡＭ信号の情報処理装置へ入力してやることにより、光のまま主信号が通過する第１の光ネットワーク装置から第２の光ネットワーク装置へＯＡＭ情報の伝送を行うことができる。
【０１５１】
第６７の発明に関しては、予めｍ本の光伝送路に同一のＯＡＭ信号光をｍ個の光伝送路に分配しておき、それらを光機能回路手段の前段に接続された第１の光分離手段を用いて分離して抽出する。抽出された各ＯＡＭ信号光のそれぞれに第２の光分離手段を用いてタップすることにより、各光伝送路を伝送している各ＯＡＭ信号光の受信状態を知ることができる。ＯＡＭ信号光と同じ光伝送路を伝送している主信号光の光レベル等の状態も監視可能である。第２の光分離手段の出力端の内選択手段に接続されている方へ出力されるＯＡＭ信号は、選択手段を用いて選択し光受信手段へ入力され、この光ネットワーク装置はＯＡＭ信号を得ることができる。従って、光のまま主信号が通過する光ネットワーク装置からＯＡＭ情報を得ることができ、光信号の監視を行うことができる。
【０１５２】
第６８の発明に関しては、予め主信号光にＯＡＭ信号が多重されたものが伝送されてきた時、光分離手段によりＯＡＭ信号光を分離し、光受信手段に入力する。受信信号を情報分離手段を用いて第１群のプロトコルの通信を行うＯＡＭ情報と第２群のプロトコルの通信を行うＯＡＭ情報に分離しそれぞれの処理を行う。それにより、速い応答が必要で、簡単なメッセージだけで良いＯＡＭ情報を送るプロトコルと、複雑な処理が必要なプロトコルに分離して通信を行うことができ、ＯＡＭ情報を光信号のまま通過するノードで効率的にＯＡＭ情報を得ることができる。
【０１５３】
第６９の発明に関しては、予め主信号光にＯＡＭ信号が多重されたものが伝送されてきた時、光分離手段によりＯＡＭ信号光を分離し、光受信手段に入力する。受信信号を情報分離手段を用いて第１群のプロトコル（ビットのフレーム上での相対的位置とその値がＯＡＭ情報であるビット指向通信）の通信を行うＯＡＭ情報と第２群のプロトコルの通信を行うＯＡＭ情報に分離しそれぞれの処理を行う。それにより、速い応答が必要で、簡単なメッセージだけで良い第１のプロトコルと、複雑な処理が必要なプロトコルに分離して通信を行うことができ、ＯＡＭ情報を光信号のまま通過するノードで効率的にＯＡＭ情報を得ることができる。
【０１５４】
第７０の発明に関しては、ＯＡＭの処理を行う情報処理手段からＯＡＭ信号を第１群のプロトコルと第２群のプロトコルに分けて出力し、それぞれを重畳した信号を光送信手段を用いて光信号に変換し、光重畳手段を用いて主信号光と重畳して、他の光ネットワーク装置へ伝送する。従って、光のまま主信号が通過する光ネットワーク装置からＯＡＭ情報を伝送することができる。
【０１５５】
第７１の発明に関しては、ＯＡＭの処理を行う情報処理手段からＯＡＭ信号を第１群のプロトコル（ビットのフレーム上での相対的位置とその値がＯＡＭ情報であるビット指向通信）と第２群のプロトコルに分けて出力し、それぞれを重畳した信号を光送信手段を用いて光信号に変換し、光重畳手段を用いて主信号光と重畳して、他の光ネットワーク装置へ伝送する。従って、光のまま主信号が通過する光ネットワーク装置からＯＡＭ情報を伝送することができる。
【０１５６】
第７２の発明に関しては、予めｍ本の光伝送路中に第１群のプロトコルを用いて通信する第１のＯＡＭ情報と第２群のプロトコルを用いて通信する第２のＯＡＭ情報（ｍ本の光伝送路に関するＯＡＭ情報が重畳されている）からなるＯＡＭ信号光が主信号光に重畳されて伝送されてくる系に於いて、光機能回路手段に接続された光分離手段を用いて各光伝送路のＯＡＭ信号光のみを主信号から分離し、選択手段を用いて１つのＯＡＭ信号のみをＯＡＭ情報処理手段に入力し、第１のプロトコル処理手段には第１のＯＡＭ情報を入力し処理し、第２のプロトコル処理手段にはそれぞれの光伝送路に関する第２のＯＡＭ情報を入力し処理して、各ＯＡＭ情報を得る。従って、光のまま主信号が通過する光ネットワーク装置からＯＡＭ情報を得ることができる。
【０１５７】
第７３の発明に関しては、予めｍ本の光伝送路中に第１群のプロトコルを用いて通信する第１のＯＡＭ情報と第２群のプロトコル（ビットのフレーム上での相対的位置とその値がＯＡＭ情報であるビット指向通信）を用いて通信する第２のＯＡＭ情報（ｍ本の光伝送路に関するＯＡＭ情報が重畳されている）からなるＯＡＭ信号光が主信号光に重畳されて伝送されてくる系に於いて、光機能回路手段に接続された光分離手段を用いて各光伝送路のＯＡＭ信号光のみを主信号から分離し、選択手段を用いて１つのＯＡＭ信号のみをＯＡＭ情報処理手段に入力し、第１のプロトコル処理手段には第１のＯＡＭ情報を入力し処理し、第２のプロトコル処理手段にはそれぞれの光伝送路に関する第２のＯＡＭ情報を入力し処理して、各ＯＡＭ情報を得る。従って、光のまま主信号が通過する光ネットワーク装置からＯＡＭ情報を得ることができる。
【０１５８】
第７４の発明に関しては、情報処理手段から出力されるＯＡＭ信号を第１のＯＡＭ情報（第１群のプロトコルによる通信を行う）と第２のＯＡＭ情報（第２群のプロトコルによる通信を行い、各光伝送路に関するＯＡＭ情報を持つ）に分離して出力し処理した後、ＯＡＭ信号を重畳し、光分岐送信手段へ入力させる。光分岐送信手段の出力信号光は、各光重畳手段へ入力し、各光重畳手段で主信号光と重畳し、各光伝送路にＯＡＭ信号を伝送する。従って、光のまま主信号が通過する光ネットワーク装置からＯＡＭ情報を伝送することができる。
【０１５９】
第７５の発明に関しては、情報処理手段から出力されるＯＡＭ信号を第１群のプロトコルによる通信を行う第１のＯＡＭ情報と第２群のプロトコル（ビットのフレーム上での相対的位置とその値がＯＡＭ情報であるビット指向通信）による通信を行う第２のＯＡＭ情報（各光伝送路に関するＯＡＭ情報を持つ）に分離して出力し処理した後、ＯＡＭ信号を重畳し、光分岐送信手段へ入力させる。光分岐送信手段の出力信号光は、各光重畳手段へ入力し、各光重畳手段で主信号光と重畳し、各光伝送路にＯＡＭ信号を伝送する。従って、光のまま主信号が通過する光ネットワーク装置からＯＡＭ情報を伝送することができる。
【０１６０】
第７６の発明に関しては、光のまま光信号が通過する光伝送路中に光分離手段を挿入し、それにより分離したＯＡＭ信号光を光受信手段に入力してＯＡＭ信号を得て、情報処理手段にＯＡＭ情報を入力する。情報処理手段では、ＯＡＭ情報の処理を行った後、ＯＡＭ信号と信号出力装置とからの信号を重畳し、光送信手段により光信号に変換し、他の光ネットワーク装置へ伝送する。従って、光のまま主信号が通過する光ネットワーク装置に於いてＯＡＭ情報の授受を行うことができる。
【０１６１】
第７７の発明に関しては、光機能回路手段に接続された光受信手段を用いて信号を受信した後、信号分離手段を用いてＯＡＭ信号（伝送されてきた光伝送路に関するＯＡＭ情報のみではなく、光信号のまま通過する光信号が伝送されている光伝送路のＯＡＭ情報も含む）とＯＡＭ信号でない信号に分離し、ＯＡＭ信号を情報処理手段に入力する。情報処理手段では、ＯＡＭ情報の処理を行った後、信号重畳手段を用いて信号出力手段からの信号と重畳し、光送信手段を用いて光信号に変換し、他ノードへと伝送する。従って、光のまま主信号が通過する光ネツトワーク装置に於いてＯＡＭ情報の授受を行うことができる。
【０１６２】
第７８の発明に関しては、光スイッチ回路網に接続された光受信手段を用いて信号を受信した後、信号分離手段を用いてＯＡＭ信号（伝送されてきた光伝送路に関するＯＡＭ情報のみではなく、光信号のまま通過する光信号が伝送されている光伝送路のＯＡＭ情報も含む）とＯＡＭ信号でない信号に分離し、ＯＡＭ信号を情報処理手段に入力する。情報処理手段では、ＯＡＭ情報の処理を行った後、信号重畳手段を用いて信号出力手段からの信号と重畳し、光送信手段を用いて光信号に変換し、他ノードへと伝送する。電気的に終端される光信号が少なくとも１つ入力され、電気的に終端される光信号が少なくとも１つ出力されることにより、必ずこの光ネットワーク装置では、他の光ネットワーク装置からＯＡＭ信号を受信することができ、他の光ネットワーク装置へＯＡＭ信号を送信することができる。従って、光のまま主信号が通過する光ネットワーク装置に於いてＯＡＭ情報の授受を行うことができる。
【０１６３】
【実施例】
以下、実施例を示して本発明を詳しく説明する。
【０１６４】
以下の説明で、サブキャリアを主信号に重畳すると説明した箇所は、サブキャリア周波数は主信号の持つ周波数成分に影響を及ぼさない周波数を持ち、サブキャリアの変調度は、主信号の受信を妨げない程度の変調度であるものを用いる。又、以下の説明で、光送信器として、ＤＦＢ（分布帰還）レーザダイオードを用いて構成することができる。又、以下の説明で、光受信器としてＡＰＤ（アバランシェ・フォト・ダイオード）を用いて構成することができる。
【０１６５】
第１の発明の実施例について、図１を用いて説明する。
【０１６６】
図１は、第１の発明の第１の実施例を示すブロック図である。図１に於いて、１０７は光ネットワーク・ノード（光ネットワーク装置）を表す。１０１は光受信器（光受信手段）、１０２は光スイッチ回路網（光機能回路手段）、１０３、１０６は光伝送路、１０４は光を光スイッチ回路網１０２の入力端へ出力する光パワーと光受信器１０１の入力端へ出力する光パワーの比が、９５：５である方向性結合型光カップラ（光分離手段）で、１０５は光受信器１０１から得た信号を処理する情報処理装置（情報処理手段）で、ワークステーションを用いることができる。
【０１６７】
光スイッチ回路網１０２として、図４２に示すように、ＬｉＮｂＯ３を用いて作られた８×８のマトリクス光スイッチを複数組み合わせて作られる６４×６４の光スイッチ回路網（白垣ら、イー・シー・オー・シー’９３（ＥＣＯＣ’９３：Ｅｕｒｏｐｅａｎ  Ｃｏｎｆｅｒｎｅｃｅ  ｏｎ  Ｏｐｔｉｃａｌ  Ｃｏｍｍｕｎｉｃａｔｉｏｎ）プロシーディング第２巻、ＴｕＰ５．３，１５３ページ参照）を用いることができる。光スイッチ回路網１０２へは、多数の光伝送路が入出力されるが、説明の便宜上、図中には１本の入力光伝送路と１本の出力光伝送路しか記していない。光伝送路中には、例えば、ＳＤＨ（Ｓｙｎｃｈｒｏｎｏｕｓ  Ｄｉｇｉｔａｌ  Ｈｉｅｒａｒｃｈｙ：ＣＣＩＴＴ  Ｂｌｕｅ  Ｂｏｏｋ−Ｒｅｃｏｍｍｅｎｄａｔｉｏｎ  Ｇ．７０７，Ｇ．７０８，Ｇ．７０９参照）の伝送フレームを用いた光信号を伝送することができる。
【０１６８】
光伝送路１０３から伝送されてきた光信号は光スイッチ回路網１０２に入力されるが、光カップラ１０４や光受信器１０１が接続されていない場合、光スイッチ回路網１０２を光信号のまま通過してしまうので、光スイッチ回路網１０２のスイッチ状態を変更する命令等のようなネットワークの運用、管理及び保守情報（以下、ＯＡＭ（Ｏｐｅｒａｔｉｏｎ，Ａｄｍｉｎｉｓｔｒａｔｉｏｎ，ａｎｄ
Ｍａｉｎｔｅｎａｎｃｅ）情報と呼ぶ）を受け取ることができない。
【０１６９】
しかし、本発明の光ネットワーク装置では、光カップラ１０４で約５％の光をタップし、光受信器１０１を用いて受信することができる。その後は、ＳＤＨの通常のＳＯＨ（Ｓｅｃｔｉｏｎ  Ｏｖｅｒｈｅａｄ）の処理を行うことにより、ＯＡＭ情報を受け取ることができる。具体的には、ＳＤＨ伝送フレームを時分割多重分離しＳＯＨ中で予め定めた光ネットワークのＯＡＭ用のバイトを抽出して通信を行う。
【０１７０】
又、受信した信号の光パワーや、誤り率を監視することにより、伝送されてきた光伝送路に障害が起こったかどうかを判定することができ、光のまま抜けていく光信号が光スイッチ回路網１０２を通る場合でも、光スイッチ回路網１０２に入力される前の光伝送路に障害が起こったかどうかの判定や、信号品質の監視を行うことができる。例えばＳＤＨの場合、ＳＯＨ中のＢ１バイトを監視することによりパリティチェックができる。
【０１７１】
このように、光伝送路中には、ＳＤＨのように主信号の他に光ネットワークのＯＡＭ情報を時分割多重により、埋め込んだ光信号を予め伝送しておき、光カップラ１０４で、一部分岐し、光信号を受信し、ＯＡＭ情報の部分のみを時分割多重分離して、光のまま光信号が抜けていくノード１０７に於いてＯＡＭ情報を得ることができる。又、光のまま光信号が通過する光機能回路を、既存のネットワークに追加する際に、本実施例では既存のＳＤＨ伝送フレームの一部を拡張して用いるので、光ネットワークのＯＡＭ用として光送受信器を増加する必要がなく、スムーズに、かつ、低コストで、ノードを光信号のまま通過する光機能回路手段（ここでは光スイッチ回路網）を導入することができる。
【０１７２】
尚、第１の実施例に於いて、光伝送路中を伝送する光信号のフレームとして、ＳＤＨを用いたが、例えばＳＯＮＥＴのように、光信号中に主信号とＯＡＭ情報と時分割多重する伝送フレームを用いても、本発明は適用できる。
【０１７３】
次に、第１の発明の第２の実施例について図１を用いて説明する。
【０１７４】
図１と同じ構成を用いる。主信号光にＯＡＭ情報を載せたサブキャリアを重畳することにより、光伝送路１０３を伝送させる。図１のノード構成に於いて、光受信器１０１（光受信手段）はサブキャリアを復調する（副搬送波の周波数成分のみを抽出し、そこに変調されている信号を復調する）ことができるものを用いる。このような装置を用いることにより、光ネットワークのＯＡＭ情報を得ることができ、又、受信するサブキャリアを監視することにより、光信号や、光伝送路の監視を行うことができる。
【０１７５】
次に、第１の発明の第３の実施例について図２を用いて説明する。
【０１７６】
図２は、第１の発明の第３の実施例を示すブロック図である。図２に於いて、ノード２０７は光ネットワークノード（光ネットワーク装置）を表す。ノード２０７は、第１の発明の第１の実施例を示す図１の構成で、光分離手段として、光カップラ１０４を用いずに、ＷＤＭカップラ（Ｗａｖｅｌｅｎｇｔｈ  Ｄｉｖｉｓｉｏｎ  ｍｕｌｔｉｐｌｅｘカップラ：ここでは、分岐損が殆どなく波長を分離できる分離手段として用いる。）２０４を用いたもので、本発明の実施例として用いることができる。ＷＤＭカップラ２０４は１．３１μｍの波長の光を光スイッチ回路網２０２に接続された出力端に出力し、１．５５μｍの波長の光を光受信器２０１に接続された出力端へ出力するＷＤＭカップラ（光分離手段）である。２０７は光ネットワーク・ノード（光ネットワーク装置）を示す。
【０１７７】
光伝送路中に、主信号をＳＤＨの伝送フレームを用い１．３１μｍの波長の光信号を用いて伝送する。又、光ネットワークのＯＡＭ情報を伝送する光信号（以下、ここではＯＡＭ信号光と呼ぶ）を１．５５μｍの波長の光信号を用いて伝送する。
【０１７８】
ＷＤＭカップラ２０４で１．５５μｍのＯＡＭ信号光を受信器１０１へ入力させ、光受信器１０１を用いてＯＡＭ信号光を受信することができ、ＯＡＭ情報を得ることができる。
【０１７９】
又、光受信器１０１で得られる光信号の状態から、光伝送路の状態を監視することができる。光スイッチ回路網１０２の前に接続されている光伝送路が、切れたら、光受信器１０１でＯＡＭ信号を受信することができないので、光スイッチ回路網１０２に入力される前の光伝送路１０３に障害を起こしたことがわかる。
【０１８０】
尚、この実施例において、１．３１μｍの波長の光信号と、１．５５μｍの波長の光信号を分離するＷＤＭカップラを用いたが、光信号が分離できれば、この波長帯に限らず、任意の波長帯に分離するＷＤＭカップラを用いても、本発明は適用できる。
【０１８１】
次に、第２の発明の実施例ついて説明する。図２は、第２の発明の一実施例を示すブロック図である。図２において２０７は、光ネットワークノード（光ネットワーク装置）である。第２の発明は、第１の発明の光分離手段を、ＷＤＭカップラのような波長を分離する手段に限定するものであり、詳細は第１の発明の第３の実施例にて説明した。２０４はＷＤＭカップラ（光分離手段）で、第１群に属する波長として、１．３１μｍの波長、第２群に属する波長として１．５５μｍの波長を用いることができる。
【０１８２】
第２の発明には、第１の発明を限定するものであるが、以下の効果がある。
【０１８３】
第１の実施例の光カップラ１０４を用いる場合は、分岐による分岐損があるが、第２の発明では、ＷＤＭカップラ２０４を用いて、主信号光とＯＡＭ情報を伝送する信号光とに分離しているので、分岐損が無く、本発明の導入による主信号系のロス・バジェットの変更が少ない。又、波長分割多重技術を用いているので、第１の発明の実施例２を用いる場合のようにサブキャリアを重畳できるように既存の送信器を変更する必要が無く、経済的に導入できるという利点がある。又、波長分割多重技術を用いると、第１の実施例、第２の実施例を用いる場合と比較して、ＯＡＭ回線の大容量化が自由にできる。又、導入後に、ＯＡＭ回線のアップグレードを行いたい時でも、主信号系の光送信器と異なる光送信器を用いているので、主信号系と独立にアップグレードを行うことができ、アップグレードが容易である。
【０１８４】
次に第３の発明の実施例について図３を用いて説明する。
【０１８５】
図３は、第３の発明の一実施例を示すブロック図である。主信号光は１．３１μｍの波長の光を用いて伝送する。図３に於いて、３０７は光ネットワークノード（光ネットワーク装置）である。３０２は光スイッチ回路網（光機能回路手段）、３０３は光伝送路、３０１は１．５５μｍの波長の光を送出する光送信器（光送信手段）、３０４は、入力された２つの光を１：１のパワー比で結合する方向性結合型光光カップラで、ここでは、光スイッチ回路網３０２の出力端からの入力光と光送信器３０１の出力端からの入力光とのカップラ（光重畳手段）として用いる。３０５はＯＡＭ情報を処理する情報処理装置（情報処理手段）でワークステーションを用いることができる。光スイッチ回路網３０２として、第１の発明の実施例で用いられた光スイッチ回路網１０２と同じ光スイッチ回路網を用いることができる。
【０１８６】
光信号は光スイッチ回路網３０２を光信号のまま通過してしまうので、光カップラ３０４や光送信器３０１が接続されていない場合、光スイッチ回路網３０２中のスイッチ状態を変更する命令等のようなネットワークのＯＡＭ情報を他ノードへ伝送することができない。
【０１８７】
しかし、本発明の光ネットワーク装置では、情報処理装置３０５からのＯＡＭ情報を光送信器３０１を用いて主信号光（１．３１μｍ）と異なる波長（１．５５μｍ）の光にすることができ、これと主信号光とをを光カップラ３０４で、重畳することにより、主信号の他にＯＡＭ信号の伝送が可能となる。この光信号が伝送されるノードでは、１．５５μｍと１．３１μｍの波長を分離するＷＤＭカップラを用いて１．５５μｍの波長のＯＡＭ信号光を抽出することができる。この光信号が伝送されてきたノードでは、第２の発明の実施例である図２に示すノードを用いてＯＡＭ信号のみ抽出できる。
【０１８８】
尚、本発明はこの実施例に限定されるものではない。
【０１８９】
例えば、実施例では光カップラ３０４を用いているが、ＷＤＭカップラを用いて主信号光の波長とＯＡＭ信号光の波長を重畳することによっても、本発明は適用できる。
【０１９０】
又、実施例では、光送信手段として、光送信器３０１を用いたが、送出する光信号の偏波が主信号光と直交する偏波であるように偏波制御された光送信器を用い、主信号光とＯＡＭ信号光とを偏波多重して伝送し、受信ノード側では、偏光スプリッタを用いて偏波分離する方法を用いても、本発明は適用できる。偏光スプリッタとしては、例えばＬｉＮｂＯ３のような複屈折性を持つ結晶を用いることにより実現できる。
【０１９１】
次に第４の発明の実施例について、図４を用いて説明する。
【０１９２】
図４は、第４の発明の一実施例を示すブロック図である。図４に於いて、４０９は光ネットワークノード（光ネットワーク装置）である。４０３は光スイッチ回路網（光機能回路手段）、４０７、４０８は光伝送路、４０１は１．５５μｍの光の受信が可能な光受信器（光受信手段）、４０５は、１．５５μｍの波長の光を送出する光送信器（光送信手段）、４０４は、光カップラであり第３の発明の実施例で用いた光カップラ３０４と同じものを用いることができる。ここでは、光スイッチ回路網４０３の出力端からの信号光と光送信器４０５の出力端からの光信号とのカップラ（光重畳手段）として用いている。４０２は、光伝送路４０７から入力された光の内１．３１μｍの波長の光を光スイッチ回路網４０３に接続された出力端に出力し、１．５５μｍの波長の光を光受信器４０１に接続された出力端へ出力するＷＤＭカップラ（光分離手段）である。４０６は光受信器４０１から得た信号を処理する情報処理装置（情報処理手段）で、ワークステーションを用いることができる。光スイッチ回路網４０３として、第１の発明で用いた光スイッチ回路網１０２と同じ光スイッチ回路網を用いることができる。
【０１９３】
光伝送路４０７には１．３１μｍの波長の主信号光の他に、ＯＡＭ情報を１．５５μｍの波長の光信号（以下ＯＡＭ信号光と呼ぶ）を用いて伝送する。ノード４０９に到着した光はＷＤＭカップラ４０２によりＯＡＭ信号光と主信号光とに分離され、主信号光は光スイッチ回路網４０３へ入力され、ＯＡＭ信号光は光受信器４０１へ入力される。光受信器４０１を用いて受信されたＯＡＭ信号は情報処理装置４０６で情報処理され、ＯＡＭ情報を書き換えて光送信器４０５へ入力する。光送信器４０５から出力される新たな（書き換えられた）ＯＡＭ信号光は、光カップラ４０４に於いて、光スイッチ回路網４０３を通って来た主信号光と重畳され、光伝送路４０８へ入力され、他ノードへ伝送される。
【０１９４】
このように、主信号光とＯＡＭ信号光を波長分割多重して伝送している系に於いて、ＷＤＭカップラ４０１を用いているので、１．５５μｍのＯＡＭ信号のみを抽出することができ、情報処理装置４０６で情報処理し、ＯＡＭ信号を書き換えた後、再び、主信号（１．３１μｍ）と異なる波長（１．５５μｍ）のＯＡＭ信号光を生成し、主信号と重畳して伝送できる構成になっているので、光信号のまま通過するノードで、光ネットワークのＯＡＭ信号の授受を行うことができる。この光信号が伝送されるノードにおいては、このノードと同じく１．３１μｍと１．５５μｍの波長の光を分離するＷＤＭカップラを用いることにより、ＯＡＭ信号光のみを抽出でき、ＯＡＭ情報を得ることができる。
【０１９５】
又、光受信器４０１にて受信する光信号の状態（受信レベル、誤り率等）を監視することにより、光伝送路４０７の断状態等がわかる。
【０１９６】
本発明はこの実施例に限定されるものではない。
【０１９７】
例えば、光分離手段としてＷＤＭカップラ４０２を用いたが、予めＯＡＭ情報を変調したサブキャリアを主信号光に重畳しておき、ＷＤＭカップラの替わりに光カップラを用いて、主信号光の一部をタップし、光受信器４０１として、サブキャリア信号を受信でき、ＯＡＭ情報を復調できる受信器を用いることにより、ＯＡＭ情報を得ることができ、本発明は適用できる。
【０１９８】
第５の発明の実施例について図５を用いて説明する。
【０１９９】
図５は、第５の発明の一実施例を示すブロック図である。図５に於いて、５０９は光ネットワークノード（光ネットワーク装置）である。５０３は光スイッチ回路網（光機能回路手段）、５０７、５０８は光伝送路である。５０５は、光スイッチ回路網５０３、光伝送路５０７、５０８を通る主信号光とは異なる波長である１．５５μｍの波長の光を送出する光送信器（光送信手段）である。５０４は、入力された光を１：１の光パワーの比で結合して出力する方向性結合型光光カップラ（光重畳手段）で、ここでは、ＷＤＭカップラ５０２の出力端からの光信号と光送信器５０５の出力端からの光信号とのカップラとして用いる。５０２は１．３１μｍの波長の光を光カップラ５０４の方へ出力し、１．５５μｍの波長の光を光受信器５０１の方へ出力するように接続されているＷＤＭカップラ（光分離手段）である。５０６は光受信器５０１から得た信号を処理する情報処理装置（情報処理手段）でワークステーションを用いることができる。光スイッチ回路網５０３として、第１の発明の実施例の光スイッチ回路網１０２と同じ光スイッチ回路網を用いることができる。光伝送路中に伝送される主信号光はＳＤＨの伝送フレームを用いる。
【０２００】
図５に示すように、第５の発明は第４の発明の接続順序が入れ替わっただけであり、作用、効果、本実施例に限定されないこと等は第４の発明の実施例の説明と同じである。
【０２０１】
第６の発明の実施例について図６を用いて説明する。
【０２０２】
図６は、第６の発明の一実施例を示すブロック図である。図６に於いて、６０９は光ネットワークノード（光ネットワーク装置）である。６０３は光スイッチ回路網（光機能回路手段）、６０７、６０８は光伝送路である。６０２は１．３１μｍの波長と１．５５μｍの波長の光を分離するＷＤＭカップラ（光分離手段）である。６０５は、光スイッチ回路網６０３、光伝送路６０７、６０８を通る主信号光とは異なる波長である１．５５μｍの波長の光を送出する光送信器（光送信手段）、６０４は、入力された２つの光を１：１のパワーの比で結合して出力する方向性結合型光カップラで、ここでは、ＷＤＭカップラ６０２の出力端からの光信号と光送信器６０６の出力端からの光信号とのカップラ（光重畳手段）として用いる。６０２は１．３１μｍの波長の光を光スイッチ回路網６０３に接続された出力端に出力し、１．５５μｍの波長の光を光受信器６０１に接続された出力端へ出力するように接続されている。６０６は光受信器６０１から得た信号を処理する情報処理装置（情報処理手段）でワークステーションを用いることができる。光スイッチ回路網６０３として、第１の発明の実施例で用いた光スイッチ回路網１０２を用いることができる。光伝送路中に伝送される主信号光として、ＳＤＨの伝送フレームを用いることができる。
【０２０３】
図６に示すように、第６の発明は第４の発明の接続順序が入れ替わっただけであり、作用、効果の説明は第４の発明の実施例の説明と同じである。
【０２０４】
第７の発明の実施例は、第１の発明の実施例に於いて説明したものと同じものを用いることができる。光機能回路手段を光スイッチ回路網に限定するものである。光スイッチ回路網として、第１の発明の実施例で説明した光スイッチ回路網１０２を用いることができる。動作や、作用の説明は第１の発明の実施例の説明と同様である。
【０２０５】
第８の発明の実施例は、第２の発明の実施例に於いて説明したものと同じものを用いることができる。光機能回路手段を光スイッチ回路網に限定するものである。光スイッチ回路網として、第１の発明の実施例で説明した光スイッチ回路網１０２を用いることができる。動作や、作用の説明は第１の発明の実施例の説明と同様である。
【０２０６】
第９の発明の実施例は、第３の発明の実施例に於いて説明したものと同じものを用いることができる。光機能回路手段を光スイッチ回路網に限定するものである。光スイッチ回路網として、第１の発明の実施例で説明した光スイッチ回路網１０２を用いることができる。動作や、作用の説明は第１の発明の実施例の説明と同様である。
【０２０７】
第１０の発明の実施例は、第４の発明の実施例に於いて説明した。光機能回路手段を光スイッチ回路網に限定するものである。光スイッチ回路網として、第１の発明の実施例で説明した光スイッチ回路網１０２を用いることができる。動作や、作用の説明は第１の発明の実施例の説明と同様である。
【０２０８】
第１１の発明の実施例は、第４の発明の実施例に於いて説明したものと同じものを用いることができる。第１群に属する波長として１．３１μｍの波長、第２群に属する波長として１．５５μｍの波長を用いることができる。光分離手段を限定する効果について以下に説明する。動作や、作用の説明は第１の発明の実施例の説明と同様である。
【０２０９】
光分離手段として、ＷＤＭカップラを用いずに光カップラを用いて分岐する場合は、分岐による分岐損があるが、第１１の発明では、ＷＤＭカップラを用いて主信号光とＯＡＭ情報を伝送する信号光とに分離しているので、分岐損が無く、主信号系のロス・バジェットの変更が殆どないので、予め敷設された主信号系に変更を加えることなく導入することができる。又、波長分割多重技術を用いているので、サブキャリアを用いる場合のようにサブキャリアを重畳できるように送信器を変更する必要が無く、経済的に導入できるという利点がある。又、導入後に、ＯＡＭ回線のアップグレードを行いたい時でも、主信号系の光送信器と異なる光送信器を用いているので、主信号系と独立にアップグレードを行うことができ、アップグレードが容易である。
【０２１０】
本発明はこの実施例に限定されるものではない。
【０２１１】
例えば、光送信手段として１．５５μｍの波長の光を送出する光送信器４０５を用いたが、光伝送路４０８が接続されている光ネットワークノードで主信号光とＯＡＭ信号光とが分離可能な波長であれば、１．５５μｍの波長の光送信器に限定されるものではない。
【０２１２】
第１２の発明の実施例について説明する。第１群に属する波長として１．３１μｍの波長、第２群に属する波長として１．５５μｍの波長を用いることができる。第１２の発明は第１１の発明の接続順序が入れ替わっただけであり、実施例は第５の発明の実施例に示したものと同じものを用いることができる。作用、効果は第１１の発明の実施例の説明と同じである。
【０２１３】
第１３の発明の実施例について説明する。第１群に属する波長として１．３１μｍの波長、第２群に属する波長として１．５５μｍの波長を用いることができる。第１３の発明は第１１の発明の接続順序が入れ替わっただけで、実施例は第６の発明の実施例に示したものと同じものを用いることができる。作用、効果は第１１の発明の実施例の説明と同じである。
【０２１４】
第１４の発明は、第１１の発明に於いて、光機能回路網手段を光スイッチ回路網に限定するものである。光スイッチ回路網として、第１の発明の実施例で説明した光スイッチ回路網１０２を用いることができる。
【０２１５】
第１５の発明の実施例について、図７を用いて説明する。
【０２１６】
図７は、第１５の発明の一実施例を示すブロック図である。図７に於いて、７２１は光ネットワークのノード（第１の光ネットワーク装置）で、７２２は光ネットワークのノード（第２の光ネットワーク装置）である。７０６、７０７は光スイッチ回路網であり、第１の発明の実施例で用いた光スイッチ回路網１０２と同じ光スイッチ回路網を用いることができる。７０１は１．５５μｍの波長の光を送出する光送信器、７０２は光カップラ、７０３、７１０、７１１は光伝送路、７０４は、１．５５μｍの波長の光を光受信器７０５の方へ出力し１．３１μｍの波長の光を光スイッチ回路網７０７の方へ出力するＷＤＭカップラである。７０５は、１．５５μｍの波長の光信号の受信が可能な光受信器（光受信手段）である。７０８、７０９はＯＡＭ情報を処理し、他ノードからの命令により光スイッチ回路網７０６、７０７の入力端と出力端との接続状態を変化させたり、逆に他ノードの光スイッチ回路網の入力端と出力端との接続状態を変化させたりする。
【０２１７】
主信号は、１．３１μｍの波長の光で伝送されてきており（第１群に属する波長）、ＯＡＭ情報は、光送信器７０１を用いて、１．５５μｍの波長（第２群に属する波長）の光を用いて伝送される。今、ノード７２１からノード７２２へＯＡＭ情報を伝送する本発明の方法を述べる。ノード７２１に於いて、情報処理装置７０８で処理され、他ノードヘ伝達されるべき、ＯＡＭ情報は光送信器７０１へ入力される。光送信器７０１へ入力されたＯＡＭ信号は、１．５５μｍの波長の光信号（ここではＯＡＭ信号光と呼ぶ）に変換され、光カップラ７０２へ入力する。光カップラ７０２では、光伝送路７１０を伝送して光スイッチ回路網７０６を光のまま通過してきた１．３１μｍの波長の光信号と重畳され、光伝送路７０３へは、主信号光とＯＡＭ信号光とが重畳された光信号が入力される。ノード７２２に於いて、伝送されてきた光信号は、ＷＤＭカップラ７０４へ入力され、１．３１μｍの波長である主信号光は光スイッチ回路網７０７の方へ入力され、１．５５μｍの波長であるＯＡＭ信号光は、光受信器７０５の方へ入力される。光受信器７０５では、ＯＡＭ信号光を電気信号に変換し、情報処理装置７０９でＯＡＭ情報を得てＯＡＭ情報の処理を行う。このようにして、ノード７２１からノード７２２へのＯＡＭ情報の伝送が行われる。
【０２１８】
この実施例で説明したように、主信号が光スイッチ回路網７０６を通過した後に異なる波長のＯＡＭ信号を主信号光に重畳し、次のノードの光機能回路手段（ここでは光スイッチ回路網）に入力される前に、ＷＤＭカップラでＯＡＭ信号光のみを抽出でき、ＯＡＭ信号の授受が可能となる。
【０２１９】
本発明を適用することにより、光信号のまま通過するノード間でＯＡＭ信号の授受を行うことが可能となる。
【０２２０】
本発明は、この実施例に限定されるものではない。
【０２２１】
例えば、実施例では、主信号光として１．３１μｍの波長の光、ＯＡＭ信号光として１．５５μｍの光を用いたが、ＷＤＭカップラにて波長分離できる波長の組み合わせであれば、他の波長の組み合わせの系を用いても、本発明は適用できる。
【０２２２】
第１６の発明は、第１５の発明の光機能回路手段を光スイッチ回路網に限定するものであり、光スイッチ回路網として、第１の発明の実施例で説明した光スイッチ回路網１０２を用いることができる。その実施例は、第１５の発明の実施例に示した。
【０２２３】
第１７の発明の実施例について、図８を用いて説明する。
【０２２４】
図８は、第１７の発明の一実施例を示すブロック図である。図８に於いて、８０７は光ネットワークノード（光ネットワーク装置）を表す。８０１は１．５５μｍの波長の光が受信可能な光受信器（光受信手段）、８０２は光スイッチ回路網（光機能回路手段）、８０３、８０６は光伝送路、８０５は情報処理装置（情報処理手段）、８０４は入力光の内１．５５μｍの波長の光を光受信器８０１の方へ出力し、１．３１μｍの波長の光を光伝送路８０３の方ヘ出力するように接続された１．５５μｍの波長と１．３１μｍの波長のＷＤＭカップラ（光分離手段）である。情報処理装置８０５としては、ワークステーションを用いる。光スイッチ回路網８０２として第１の発明の実施例で用いた光スイッチ回路網と同じものを用いることができる。
【０２２５】
光伝送路８０６から光スイッチ回路網８０２、ＷＤＭカップラ８０４、光伝送路８０３を通る光信号は、１．３１μｍの波長の主信号光である。１．３１μｍの波長の主信号に１．５５μｍの波長のＯＡＭ信号光が重畳された光信号が光スイッチ回路網８０２へ入力される。光スイッチ回路網８０２を通過した光信号はＷＤＭカップラ８０４により、１．５５μｍの波長の主信号光は光伝送路８０３へ出力され、ＯＡＭ信号光は光受信器８０１へ出力される。このように光スイッチ回路網８０２にＷＤＭカップラ８０４を接続してＯＡＭ信号光を抽出することが可能なノード構成となっていることより、光信号のまま通過するノードで光ネットワークのＯＡＭ情報を得ることができる。
【０２２６】
本発明は、この実施例に限定されるものではない。
【０２２７】
例えば、実施例では光分離手段として、ＷＤＭカップラ８０４を用いたが、これを用いる替わりに光カップラを用い、予め主信号光中で時分割多重してＯＡＭ信号を主信号光に埋め込み、それを光カップラで一部タップして光受信器８０１を用いて受信してＯＡＭ情報を得ても、本発明は適用できる。光分離手段として、光分岐器や、ＷＤＭカップラを用いずに、光分離手段として、偏向制御器と偏光スプリッタを用いても本発明は適用できる。その場合、主信号をＴＥ偏向、ＯＡＭ情報を伝送する光信号をＴＭ偏向を用いて偏波多重して伝送し各ブロックを偏波保持ファイバで接続し、ＴＭ偏向の光のみを抽出してＯＡＭ情報を得る。偏光制御器としては、ファイバに圧力をかけ偏光を変えて制御する装置を用いることができ、偏光スプリッタとしては、例えばＬｉＮｂＯ３のような複屈折性を持つ結晶を用いることにより実現できる。
【０２２８】
次に第１８の発明の実施例について説明する。第１群に属する波長として１．３１μｍの波長、第２群に属する波長として１．５５μｍの波長を用いることができる。第１８の発明は第１７の発明に用いられている「光分離手段」として、ＷＤＭカップラのような波長を分離する手段に限定するもので、その実施例は第１７の発明の実施例中に示した。
【０２２９】
光分離手段としてＷＤＭカップラ８０４を用いることにより、主信号系に与えるロス・バジェットの変更が少なく、経済的に既存のネットワークヘ導入が可能となる。又、ＷＤＭカップラ８０４は、ＯＡＭ信号用として用いている波長の光を抜き去ってしまうので、ＷＤＭカップラ８０４を通った後の光には、主信号以外の光信号が重畳されておらず、閉じた系を作ることができるので、情報の書き換えが可能であり監視がやり易い。
【０２３０】
次に、第１９の発明の実施例について、図９を用いて説明する。
【０２３１】
図９は、第１９の発明の一実施例を示すブロック図である。図９に於いて、９０７は光ネットワークノード（光ネットワーク装置）を表す。９０２は光スイッチ回路網（光機能回路手段）である。９０３は光伝送路、９０１は光スイッチ回路網９０２、光伝送路９０３を通る主信号光（１．３１μｍ）とは異なる波長である１．５５μｍの波長の光を送出する光送信器（光送信手段）、９０４は、入力された２つの光を１：１のパワーの比で結合して出力する方向性結合型光カップラで、ここでは、光伝送路９０３からの光信号と光送信器９０１の出力端からの光信号とを重畳するカップラ（光重畳手段）として用いる。９０５はＯＡＭ情報を処理する情報処理装置（情報処理手段）でワークステーションを用いることができる。光スイッチ回路網９０２として、第１の発明の実施例で用いられた光スイッチ回路網１０２と同じ光スイッチ回路網を用いることができる。
【０２３２】
光信号は光スイッチ回路網９０２を光信号のまま通過してしまうので、光カップラ９０４や光送信器９０１が接続されていない場合、光スイッチ回路網９０２中のスイッチ状態を変更する命令等のようなＯＡＭ情報を他ノードヘ伝送することができない。
【０２３３】
しかし、本発明の光ネットワーク装置では、情報処理装置９０５からのＯＡＭ情報を光送信器９０１を用いて主信号光（１．３１μｍ）と異なる波長（１．５５μｍ）の光に変換することができ、これと主信号光とを光カップラ９０４で、重畳することにより、主信号の他にＯＡＭ信号の伝送が可能となる。この光信号を受信するノードにおいては第２の発明の実施例を示す図２の構成のノードを用いることにより、ＯＡＭ信号を得ることができる。
【０２３４】
尚、本発明はこの実施例に限定されるものではない。
【０２３５】
例えば、実施例では光重畳手段として、光カップラ９０４を用いているが、ＷＤＭカップラを用いて主信号光の波長とＯＡＭ信号光の波長を重畳することによっても、本発明は適用できる。
【０２３６】
又、実施例では、光機能回路手段として光スイッチ回路網９０２を用いているが、エルビウム・ドープト・ファイバ増幅器や、半導体光増幅器等の光増幅器を用いても本発明は適用できる。
【０２３７】
又、実施例では光送信手段として光送信器９０１を用いたが、送出する光信号の偏波が主信号光と直交する偏波である光送信器を用い、主信号光とＯＡＭ信号光とを偏波多重しても、本発明は適用できる。
【０２３８】
第２０の発明の実施例について、図１０を用いて説明する。
【０２３９】
図１０は、第２０の発明の一実施例を示すブロック図である。図１０に於いて、１０２１は光ネットワークノード（光ネットワーク装置）を表す。１００３は光スイッチ回路網（光機能回路手段）、１００７、１００８は光伝送路、１００５は、１．５５μｍの波長の光を送出する光送信器（光送信手段）、１００１は１．５５μｍの波長の光信号を受信する光受信器（光受信手段）である。１００４は、入力された２つの光を１：１のパワーの比で結合して出力する方向性結合型光カップラで、ここでは、光伝送路１００７からの光信号と光送信器１００５の出力端からの光信号とのカップラ（光重畳手段）として用いる。１００２は、入力された光の内１．３１μｍの波長の光を光伝送路１００８に接続された出力端に出力し、１．５５μｍの波長の光を光受信器１００１に接続された出力端へ出力するように接続された１．５５μｍの波長と１．３１μｍの波長を分離するＷＤＭカップラ（光分離手段）である。１００６は光受信器１００１から得た信号を処理する情報処理装置（情報処理手段）でワークステーションを用いることができる。光スイッチ回路網１００３として、第１の発明で用いた光スイッチ回路網１０２と同じ光スイッチ回路網を用いることができる。
【０２４０】
光スイッチ回路網１００３中には、１．３１μｍの波長の主信号光の他に、光スイッチ回路網１００３の監視のための監視信号を１．５５μｍの波長の光を用いて伝送する。光送信器１００５から出力される光スイッチ回路網１００３監視のための監視信号光は、光カップラ１００４に於いて、光伝送路１００７を通って来た主信号光と重畳され、光スイッチ回路網１００３へ入力される。光スイッチ回路網１００３を通ってＷＤＭカップラ１００２に到着した監視信号光は監視信号光と主信号光とに分離され、主信号光は、他ノードへ伝送される。監視信号光は光スイッチ回路網１００３へ入力され、光受信器１００１へ入力される。
【０２４１】
このように、主信号光と監視信号光を波長分割多重して伝送している系に於いて、ＷＤＭカップラ１００１を用いているので、１．５５μｍの監視信号のみを抽出することができる。光受信器１００１にて受信する光信号の状態（受信レベル、誤り率等）を監視することにより、光スイッチ回路網１００３の光ロスの状態の変化等がわかり、光スイッチ回路網１００３の監視を行うことができる。得られた情報により、情報処理装置１００６は、場合により光スイッチの接続状態を変えるように光スイッチ回路網１００３に信号を送出する。
【０２４２】
尚、本発明はこの実施例に限定されるものではない。
【０２４３】
例えば、ＷＤＭカップラ１００２として、１．３１μｍと１．５５μｍの波長を分離するＷＤＭカップラを用いたが、主信号光が１．３１μｍ、監視信号光が１．５５μｍの波長でない場合でも、主信号光と監視信号光とに用いている波長を分離できるＷＤＭカップラを用いれば、本発明は適用できる。
【０２４４】
又、この実施例では、光分離手段としてＷＤＭカップラ１００２を用いたが、予めＯＡＭ情報を変調したサブキャリアを主信号光に重畳しておき、ＷＤＭカップラの替わりに光カップラを用いて、主信号光の一部をタップし、光受信器１００１として、サブキャリア信号を受信でき、ＯＡＭ情報を復調できる受信器を用いることにより、ＯＡＭ情報を得ることができ、本発明は適用できる。
【０２４５】
又、光分離手段として、ＷＤＭカップラ１００４を用いたが、これを用いる替わりに光カップラを用い、予め主信号光中で時分割多重して監視信号を主信号光に埋め込み、それを光カップラで一部タップして光受信器１００１を用いて受信してＯＡＭ情報を得ても、本発明は適用できる。光分離手段として光カップラや、ＷＤＭカップラを用いたが、偏光スプリッタを用いても本発明は適用できる。その場合、主信号をＴＥ偏向、ＯＡＭ情報を伝送する光信号をＴＭ偏向を用いて偏波多重して伝送し各ブロックを偏波保持ファイバで接続し、ＴＭ偏向の光のみを抽出してＯＡＭ情報を得る。偏光スプリッタとしては、例えばＬｉＮｂＯ３はのような複屈折性を持つ結晶を用いることにより実現できる。
【０２４６】
第２１の発明の実施例について説明する。第１群に属する波長として１．３１μｍの波長、第２群に属する波長として１．５５μｍの波長を用いることができる。第２１の発明は第２０の発明に用いられている光分離手段として、ＷＤＭカップラのような波長分離手段に限定するもので、その実施例は第２０の発明の実施例中に示した。
【０２４７】
以下に限定することによる効果を示す。
【０２４８】
光分離手段としてＷＤＭカップラ１００４を用いることにより、分岐損がないので主信号系に与えるロスバジェットの変更が少なく、経済的に既存のネットヲークへ導入が可能となる。又、ＷＤＭカップラ１００２は、監視信号用として用いている波長の光を抜き去ってしまうので、ＷＤＭカップラ１００２を通った後の光には、主信号以外の光信号が重畳されておらず、閉じた系を作ることができるので、監視がやり易い。
【０２４９】
第２２の発明の実施例は、第１７の発明の実施例に於いて説明した、光機能回路手段を光スイッチ回路網に限定するものである。光スイッチ回路網として、第１の発明の実施例で説明した光スイッチ回路網１０２を用いることができる。
【０２５０】
第２３の発明の実施例は、第１８の発明の実施例に於いて説明した光ネットワーク装置の光機能回路手段を光スイッチ回路網に限定するものである。光スイッチ回路網として、第１の発明の実施例で説明した光スイッチ回路網１０２を用いることができる。
【０２５１】
第２４の発明の実施例は、第１９の発明の実施例に於いて説明した光ネットワーク装置の光機能回路手段を光スイッチ回路網に限定するものである。光スイッチ回路網として、第１の発明の実施例で説明した光スイッチ回路網１０２を用いることができる。
【０２５２】
第２５の発明の実施例は、第２０の発明の実施例に於いて説明した光ネットワーク装置の光機能回路手段を光スイッチ回路網に限定するものである。光スイッチ回路網として、第１の発明の実施例で説明した光スイッチ回路網１０２を用いることができる。
【０２５３】
第２６の発明の実施例は、第２１の発明の実施例に於いて説明した光ネットワーク装置の光機能回路手段を光スイッチ回路網に限定するものである。光スイッチ回路網として、第１の発明の実施例で説明した光スイッチ回路網１０２を用いることができる。
【０２５４】
第２７の発明の実施例について説明する。第２７の発明の実施例は、第２０の発明の実施例を示す図１０中のノード１０２１を用いることにより実現可能で、その実現方法は第２０の発明の実施例に於いて説明した。
【０２５５】
第２８の発明の実施例について説明する。第２８の発明の実施例は、第２７の発明の実施例の光ネットワークのＯＡＭ情報の伝送方式に於いて、用いる光ネットワーク装置を特に光スイッチ回路網に限定するものである。光スイッチ回路網として、第１の発明の実施例で説明した光スイッチ回路網１０２を用いることができる。
【０２５６】
第２９の発明の実施例について、図１１を用いて説明する。
【０２５７】
図１１は、第２９の発明の一実施例を示すブロック図である。図１１に於いて、１１２１は光ネットワークノード（光ネットワーク装置）を表す。１１０３は光スイッチ回路網（光機能回路手段）、１１０１は１．５５μｍの波長の光の受信が可能な光受信器（第１の光受信手段）、１１１２は１．５５μｍの波長の光の受信が可能な光受信器（第２の光受信手段）、１１０７、１１０８は光伝送路、１１０５は１．５５μｍの波長の光を送出する光送信器（第１の光送信手段）、１１０９は１．５５μｍの波長の光を送出する光送信器（第２の光送信手段）、１１０４、１１１０は、入力された２つの光を１：１の光パワー比で結合する方向性結合型光分岐器（光カップラ）である。１１０２、１１１１は、入力された光の内１．３１μｍの波長の光と１．５５μｍの波長の光とに分離して出力するＷＤＭカップラである。１１０４は、ＷＤＭカップラ１１１１の出力端からの光信号と光送信器１１１２の出力端からの光信号とのカップラ（第２の光重畳手段）として用いる。１１１０は、ＷＤＭカップラ１１０２からの出力信号と光送信器１１０９からの光信号とのカップラ（第１の光重畳手段）として用いる。１１０２は、１．３１μｍの光を光カップラ１１１０の方へ出力し、１．５５μｍの光を光受信器１１０１の方へ出力するように接続されたＷＤＭカップラ（第１の光分離手段）である。１１１１は、１．３１μｍの光を光カップラ１１０４の方へ出力し、１．５５μｍの光を光受信器１１１２の方へ出力するように接続されたＷＤＭカップラ（第２の光分離手段）である。１１０６は光受信器１１０１から得た信号を処理する情報処理装置（情報処理手段）でワークステーションを用いることができる。光スイッチ回路網１１０３として、第１の発明で用いた光スイッチ回路網１０２と同Ｕ光スイッチ回路網を用いることができる。
【０２５８】
光伝送路１１０７には１．３１μｍの波長の主信号光の他に、ＯＡＭ情報を１．５５μｍの波長の光信号（以下ＯＡＭ信号光と呼ぶ）を用いて伝送する。ＷＤＭカップラ１１０２に到着した光はＯＡＭ信号光と主信号光とに分離され、主信号光は光スイッチ回路網１１０３へ入力され、ＯＡＭ信号光は光受信器１１０１へ入力される。光受信器１１０１を用いて受信されたＯＡＭ信号は情報処理装置１１０６で情報処理され、ＯＡＭ情報を書き換えて光送信器１１０５へ入力する。光送信器１１０５から出力される新たな（書き換えられた）ＯＡＭ信号光は、光カップラ１１０４に於いて、光スイッチ回路網１１０３を通って来た主信号光と重畳され、光伝送路１１０８へ入力され、他ノードへ伝送される。この光信号が伝送されるノードでは、１．３１μｍと１．５５μｍの波長とを分離するＷＤＭカップラを用いて、１．５５μｍの波長のＯＡＭ信号光のみを抽出することができ、ＯＡＭ情報を得ることができる。又、光スイッチ回路網１１０３の監視用の１．５５μｍの波長の光信号を光送信器１１０９から送出し、光カップラ１１１０に於いてＷＤＭカップラ１１０２からの１．３１μｍの主信号光と重畳し、光スイッチ回路網１１０３へ入力させる。光スイッチ回路網１１０３から出力された光はＷＤＭカップラ１１１１へ入力されるが、入力光の内１．３１μｍの主信号光は光カップラ１１０４の方へ出力され、１．５５μｍの監視信号光は光受信器１１１２の方へ出力される。ＷＤＭカップラ１１０２により光伝送路１１０７を伝送されるＯＡＭ信号光を抜き去ってから、主信号光と光スイッチ回路網１１０３の監視信号光とが重畳され、ＷＤＭカップラ１１１１により光スイッチ回路網１１０３の監視信号光を抜き去ってから、主信号光と光伝送路１１０８を伝送されるＯＡＭ信号光とが重畳されるので、この３つの信号が混ざり合うことはない構成となっている。光受信器１１１２で受信した監視信号光の光レベル等により光スイッチ回路網１１０３の監視を行うことが可能である。又、光受信器１１０１にて受信する光信号の状態（受信レベル、誤り率等）を監視することにより、光伝送路１１０７の断状態等がわかる。
【０２５９】
主信号光とＯＡＭ信号光を波長分割多重して伝送し、ＷＤＭカップラ１１０２、光受信器１１０１、情報処理装置１１０６、光送信器１１０５、光カップラ１１０４を光カップラ１１０４とを図１０のように接続することにより、光信号のまま通過するノードで、光ネットワークのＯＡＭ信号の授受を行うことができ、又、光伝送路、光スイッチ回路網の監視が可能な構成になっている。
【０２６０】
尚、本発明はこの実施例に限定されるものではない。
【０２６１】
例えば、ＷＤＭカップラ１１０２として、１．３１μｍと１．５５μｍの波長を分離するＷＤＭカップラを用いたが、主信号光が１．３１μｍ、監視信号光が１．５５μｍの波長でない場合でも、主信号光とＯＡＭ信号光とに用いている波長を分離できるＷＤＭカップラを用いれば、本発明は適用できる。
【０２６２】
又、この実施例では、光分離手段としてＷＤＭカップラ１１０２、ＷＤＭカップラ１１１１を用いたが、予めＯＡＭ情報を変調したサブキャリアを主信号光に重畳しておき、ＷＤＭカップラの替わりに光カップラを用いて、主信号光の一部をタップし、光受信器１１０１、１１０５として、サブキャリア信号を受信でき、ＯＡＭ情報を復調できる受信器を用いることにより、ＯＡＭ情報を得ることができ、本発明は適用できる。
【０２６３】
又、主信号の伝送用にＴＥ偏波の光を用い、ＯＡＭ信号の伝送用にＴＭ偏波の光を用いて伝送し、光分離手段としてＷＤＭカップラ１１０２、１１１１を用いずに偏光スプリッタを用いて、ＯＡＭ信号光を分離して情報処理装置１１０３へ入力することが可能である。例えば、光スイッチ回路網１１０３の出力光を必ずＴＥ偏波になるように偏光制御器を用いて調整し、送信のために、光送信器１１０５からＴＭ偏波の光を送出し、各ブロックを接続する光ファイバとして偏波保持ファイバを用いても、本発明は適用できる。
【０２６４】
又、この実施例では、光分離手段として光カップラ１１１０、光カップラ１１０４を用いたが、ＷＤＭカップラを用いて重畳しても、本発明は適用できる。
【０２６５】
又、実施例では、光伝送路１１０７を伝送されるＯＡＭ信号光と、光スイッチ回路網１１０３の監視信号光と、光伝送路１１０８を伝送されるＯＡＭ信号光との全てを、１．５５μｍの波長の光信号を用いたが、ＷＤＭカップラ１１０２、ＷＤＭカップラ１１１１で分離できるのであれば、この３つの信号は同じ波長を用いなくても、本発明は適用できる。
【０２６６】
第３０の発明に於いて、第１群に属する波長として１．３１μｍの波長、第２群に属する波長として１．５５μｍの波長、第３群に属する波長として１．５５μｍの波長を用いることができる。第３０の発明の構成の実施例として、第２９の発明の実施例で示した図１１の構成を用いることができる。第３０の発明は、第２９の発明の中で、光分離手段を波長分離手段（ＷＤＭカップラ等）に限定するものである。
【０２６７】
以下に、ＷＤＭカップラを用いる利点について説明する。
【０２６８】
第２９の発明の実施例の内光カップラとサブキャリア技術を用いる方法の場合は、分岐による分岐損があるが、第３０の発明では、ＷＤＭカップラ１１０２、ＷＤＭカップラ１１１１を用いて、主信号光とＯＡＭ情報を伝送する信号光とに分離しているので、分岐損が無く、本発明の導入による主信号系のロス・バジェットの変更が少ない。又、波長分割多重技術を用いているので、第２９の実施例の内光カップラとサブキャリア技術を用いる方法の場合のようにサブキャリアを重畳できるように既存の送信器を変更する必要が無く、経済的に導入できるという利点がある。又、波長分割多重技術を用いると、光カップラとサブキャリア技術を用いる場合と比較して、ＯＡＭ回線の大容量化が自由にできる。又、導入後に、ＯＡＭ回線のアップグレードを行いたい時でも、主信号系の光送信器と異なる光送信器を用いているので、主信号系と独立にアップグレードを行うことができ、アップグレードが容易である。
【０２６９】
第３１の発明の実施例について、図１を用いて説明する。図１は、第３１の発明の一実施例を示すブロック図である。第３１の発明は、第１の発明で用いていた光分離手段を光分岐器（光カップラ）に限定するものである。光分岐手段として図１中の光カップラ１０４を用いることができる。光分岐器を用いることにより、光分離手段として、偏光スプリッタを用いる場合に比べ、偏波保持ファイバや偏光制御器を使う必要がなくなり、経済的に光ネットワーク装置を構成できる。
【０２７０】
第３２の発明の実施例について、図１を用いて説明する。図１は、第３２の発明に於ける一実施例を示すブロック図である。第３２の発明は第１の発明で用いていた光受信手段（光受信器１０１）をサブキャリアが重畳された光信号を受信する光受信器に限定するものである。光受信手段として、ＡＰＤ等で受信した信号をサブキャリア周波数を抽出するバンド・パス・フィルタに通してサブキャリア周波数成分のみを抽出し、サブキャリアに変調された信号光を復調できる受信手段が接続された光受信器を用いることができる。サブキャリア信号を光信号中から抽出した後も、伝送されている光信号中に占めるサブキャリアの比率は変化しないので、光のまま通過するノードから、主信号光が終端される目的ノードまで同じ情報を伝送することができる。従って、あるノードからのＯＡＭ情報を光のまま通過するノード全てに送りたい用途として、波長分割多重でＯＡＭ信号光の授受を行う構成と比較して、光のまま通過するノードでＯＡＭ用の光送信器が必要ない分、光送信器の数が節約できるという利点がある。
【０２７１】
第３３の発明の実施例について、図１を用いて説明する。図１は、第３３の発明の一実施例を示すブロック図である。第３３の発明は第３１の発明で用いていた光受信手段（光受信器１０１）をサブキャリアが重畳された光信号を受信する光受信器に限定するものである。光受信手段として、ＡＰＤ等で受信した信号をサブキャリア周波数を抽出するバンド・パス・フィルタに通してサブキャリア周波数成分のみを抽出し、サブキャリアに変調された信号光を復調できる受信手段が接続された光受信器を用いることができる。サブキャリア信号は光信号中から抜き取っても伝送されている光信号中に占めるサブキャリアの比率は変化しないので、光のまま通過するノードから、主信号光が終端される目的ノードまで同じ情報を伝送することができる。従って、あるノードからのＯＡＭ情報を同じ情報のままで、光のまま通過するノード全てに送りたい用途として、波長分割多重でＯＡＭ信号光の授受を行う構成と比較して、光のまま通過するノードでＯＡＭ用の光送信器が必要ない分、光送信器の数が節約できるという利点がある。
【０２７２】
第３４の発明の実施例は、第３１の発明の実施例に於いて説明した光ネットワーク装置の光機能回路手段を光スイッチ回路網に限定するものである。光スイッチ回路網として、第１の発明の実施例で説明した光スイッチ回路網１０２を用いることができる。
【０２７３】
第３５の発明の実施例は、第３２の発明の実施例に於いて説明した光ネットワーク装置の光機能回路手段を光スイッチ回路網に限定するものである。光スイッチ回路網として、第１の発明の実施例で説明した光スイッチ回路網１０２を用いることができる。
【０２７４】
第３６の発明の実施例は、第３３の発明の実施例に於いて説明した光ネットワーク装置の光機能回路手段を光スイッチ回路網に限定するものである。光スイッチ回路網として、第１の発明の実施例で説明した光スイッチ回路網１０２を用いることができる。
【０２７５】
第３７の発明の実施例について、図１２を用いて説明する。
【０２７６】
図１２は、第３７の発明の一実施例を示すブロック図である。図１２に於いて、１２２１、１２２２は光ネットワークのノードであり、１２２１は「第１の光ネットワーク装置」、１２２２は「第２の光ネットワーク装置」を表す。１２０７、１２０８は光伝送路、１２０１はサブキャリアに変調された光信号を受信する光受信器、１２０３は第１の実施例で用いた光スイッチ回路網、１２０２は、光スイッチ回路網１２０３の入力端へ出力する光パワーと光受信器１２０１の入力端へ出力する光パワーの比が、９５：５である方向性結合型光分岐器（カップラ）である。１２０４、１２０６はＯＡＭ情報を処理する情報処理装置でワークステーションを用いることができる。１２０５は主信号光を送出する光送信器で、１２１０は情報処理装置１２０６から出力された信号により変調されたサブキャリアを生成する変調器である。１２０９は変調器１２１０から出力された信号により、光送信器１２０５からの主信号光を変調する。
【０２７７】
ノード１２２２では、主信号光が終端されずに光のまま通過する。以下に、ノード１２２１からノード１２２２へＯＡＭ情報を伝達する手順について説明する。ノード１２２１の情報処理装置１２０６で生成されたＯＡＭ信号により変調されたサブキャリア信号を、変調器１２１０を用いて生成する。このサブキャリア信号を用いて光送信器１２０５からの光信号を変調し、光伝送路１２０７へ入力する。ノード１２２２に到着した光信号は大部分の光信号は光スイッチ回路網１２０３へ入力され切り替えられた後更に他ノードへ伝送されるが、一部の光信号は光カップラ１２０２により分岐され、光受信器１２０１へ入力される。この受信器は、まず、サブキャリア周波数成分を抽出し、抽出されたサブキャリア周波数成分から、ＯＡＭ信号を復調する。この信号は情報処理装置１２０４へ入力される。このようにして、ＯＡＭ情報はノード１２２１からノード１２２２へ伝送される。
【０２７８】
本発明はこの実施例に限定されるものではない。
【０２７９】
例えば、本実施例では、変調器１２１０の出力信号を光変調器１２０９で変調することにより、サブキャリア信号を変調していたが、変調器１２１０により変調されたサブキャリア信号と光送信器１２０５に入力される主信号とを光送信器１２０５へ入力される前に重畳し、光送信器１２０５で、注入電流を直接変調する方式を用いることによっても、本発明は適用できる。
【０２８０】
又、第１の光ネットワーク装置として、光送信器１２０５を含む構成を用いたが、第１の発明の実施例で用いた光スイッチ回路網１０２を用いても、本発明は適用できる。
【０２８１】
第３８の発明の実施例について、図１３を用いて説明する。
【０２８２】
図１３は、第３８の発明の一実施例を示すブロック図である。図１３に於いて、１３２１、１３２２は光ネットワークのノードで、１３２１は「第１の光ネットワーク装置」を表し、１３２２は「第２の光ネットワーク装置」を表す。１３０７、１３０８は光伝送路、１３０１はサブキャリアに変調された光信号を受信する光受信器、１３０３、１３０５は光スイッチ回路網、１３０２は、光スイッチ回路網１３０３の入力端へ出力する光パワーと光受信器１３０１の入力端へ出力する光パワーの比が、９５：５である方向性結合型光分岐器（カップラ）である。光スイッチ回路網１３０３、１３０５として、第１の発明の実施例で用いた光スイッチ回路網１０２を用いることができる。１３０４、１３０６はＯＡＭ情報を処理する情報処理装置でワークステーションを用いることができる。１３１０は情報処理装置１３０６から出力された信号により変調されたサブキャリアを生成する変調器である。１３０９は変調器１３１０から出力された信号により、光スイッチ回路網１３０５から出力された主信号光を変調する。
【０２８３】
ノード１３２１、ノード１３２２では、主信号光が終端されずに光のまま通過する。以下に、ノード１３２１からノード１３２２へＯＡＭ情報を伝達する手順について説明する。ノード１３２１の情報処理装置１３０６で生成されたＯＡＭ信号により変調されたサブキャリア信号を変調器１３１０を用いて生成する。このサブキャリア信号を用いて光スイッチ回路網１３０５から出力された光信号を変調し、光伝送路１３０７へ入力する。ノード１３２２に到着した光信号は大部分の光信号は光スイッチ回路網１３０３へ入力され切り替えられた後更に他ノードへ伝送されるが、一部の光信号は光カップラ１３０２により分岐され、光受信器１３０１へ入力される。この受信器は、まず、サブキャリア周波数成分を抽出し、抽出されたサブキャリア周波数成分から、ＯＡＭ信号を復調する。この信号は情報処理装置１３０４へ入力される。このようにして、ＯＡＭ情報はノード１３２１からノード１３２２へ伝送される。
【０２８４】
第３９の発明の実施例について図１２を用いて説明する。図１２は、本発明の一実施例を示すブロック図である。第３９の発明は、第３７の発明で、伝送する光ネットワークのＯＡＭ情報を、光信号が通る経路の識別子に限定するものである。識別子とは、例えば、光ネットワーク装置＃１から光信号のまま主信号光が通過する光ネットワーク装置＃２を通って光ネットワーク装置＃３に至る光信号の経路と、光ネットワーク装置＃４から光信号のまま主信号光が通過する光ネットワーク装置＃２を通って光ネットワーク装置＃５へ至る光信号の経路とを、特に光信号のまま主信号光が通過する光ネットワーク装置＃２に於いて、誤って認識しないように識別するために、各光信号の経路に対応して識別子のことである。図１２に於いて、光送信器１２１０へ出力される情報処理装置１２０６の出力端と、光受信器１２０１からの信号が入力される情報処理装置１２０４の入力端には、光信号が通る経路の識別子に関する情報の信号の入出力のみが行われる。サブキャリア信号は、常に光信号のある比率で変調されているので、信号が一旦光信号に変換されてから電気信号に全て変換されるまで、サブキャリアの情報を持ち続ける。一方、識別子は、光信号が通る経路に対するものであるので、信号が一旦光信号に変換されてから電気信号に変換されるまで同じ情報を持ち続ける必要がある。従って、第３７の発明を用いて、光信号が通る経路の識別子を伝送することが適していると言える。もし、光信号が通る経路の識別子を通るノード毎に書き換える方式を用いたのでは、途中のノードに於いて情報伝達を誤る場合も考えられ、識別子の伝送のためにサブキャリアを用いる方法は適している。識別子をサブキャリアを用いて伝送し、その他のＯＡＭ情報を別波長を用いて伝送する方式を用いることにより、別波長の使用可能帯域の内、識別子の情報を別波長回線に載せなくて済む分、別波長の使用可能容量が増え、別波長による識別子以外のＯＡＭ情報の使用可能な帯域が増加し、光ネットワークのＯＡＭ情報が速く他ノードへ伝送されることになる。従って、速い障害回復も可能となる。
【０２８５】
第４０の発明の実施例について図１３を用いて説明する。図１３は、本発明の一実施例を示すブロック図である。第４０の発明は、第３８の発明で、伝送する光ネットワークのＯＡＭ情報を、光信号が通る経路の識別子に限定するものである。識別子とは、例えば、光ネットワーク装置＃１から光信号のまま主信号光が通過する光ネットワーク装置＃２を通って光ネットワーク装置＃３に至る光信号の経路と、光ネットワーク装置＃４から光信号のまま主信号光が通過する光ネットワーク装置＃２を通って光ネットワーク装置＃５へ至る光信号の経路とを、特に光信号のまま主信号光が通過する光ネットワーク装置＃２に於いて、誤って認識しないように識別するために、各光信号の経路に対応して識別子のことである。図１３に於いて、光送信器１３１０へ出力される情報処理装置１３０４の出力端と、光受信器１３０１からの信号が入力される情報処理装置１３０６の入力端には、光信号が通る経路の識別子に関する情報の信号の入出力のみが行われる。ＯＡＭ情報として、光信号が通過する経路の識別子に限定する効果の説明は第３９の発明の実施例に於ける説明と同じである。
【０２８６】
第４１の発明の実施例について、図１４を用いて説明する。
【０２８７】
図１４は、本発明の一実施例を示すブロック図である。図１４に於いて、１４２１は光ネットワークノード（光ネットワーク装置）を表す。１４０４は光スイッチ回路網（光機能回路手段）、１４０７は１．５５μｍの波長の光の受信が可能な光受信器（第１の光受信手段）、１４１０は１．５５μｍの波長の光の受信が可能な光受信器（第２の光受信手段）、１４０８はサブキャリアに変調された光信号の復調が可能な光受信器（第３の光受信手段）、１４１３、１４１４は光伝送路、１４０９は１．５５μｍの波長の光を送出する光送信器（第２の光送信手段）、１４１１は１．５５μｍの波長の光を送出する光送信器（第１の光送信手段）である。１４０３は、入力された２つの光を１：１のパワーの比で結合する方向性結合型光カップラ（第１の光重畳手段）で、１４０６は入力された２つの光を１：１のパワーの比で結合する方向性結合型光カップラ（第２の光重畳手段）である。１４０２は、光を光カップラ１４０３へ出力する光パワーと光受信器１４０８へ出力する光パワーの比が、９５：５であるように分岐する方向性結合型光分岐器（第３の光分離手段）である。１４０１、１４０５は、入力された光の内１．３１μｍの波長の光と１．５５μｍの波長の光とに分離して出力するＷＤＭカップラである。１４０１は、１．３１μｍの光を光カップラ１４０２の方へ出力し、１．５５μｍの光を光受信器１４０７の方へ出力するように接続されたＷＤＭカップラ（第１の光分離手段）である。１４０５は、１．３１μｍの光を光カップラ１４０６の方へ出力し、１．３１μｍの光を光受信器１４１０の方へ出力するＷＤＭカップラ（第２の光分離手段）である。１４１２は光受信器１４０７、１４０８、１４１０から得た信号を処理する情報処理装置（情報処理手段）でワークステーションを用いることができる。光スイッチ回路網１４０４として、第１の発明で用いた光スイッチ回路網１０２と同じ光スイッチ回路網を用いることができる。
【０２８８】
図１４のノード構成を用い、主信号光を１．３１μｍ、ＯＡＭ信号光を１．５５μｍの波長の光を用いて伝送する。主信号光には、サブキャリアを用いて光信号の通ってきた経路の識別子等の情報が重畳されている。光伝送路１４１３から伝送されてきた光信号はＷＤＭカップラ１４０１に於いて、主信号光とＯＡＭ信号光とに分離され、主信号光は光カップラ１４０２の方へ出力される。ＯＡＭ信号光は光受信器１４０７で受信され情報処理装置１４１２へ入力される。光受信器１４０７から入力された受信信号は情報処理装置１４１２に於いてＯＡＭ情報の処理が行われる。光カップラ１４０２へ入力された１．３１μｍの信号光は光カップラ１４０２により一部タップされ、光受信器１４０８へ入力される。光受信器１４０８へ入力された光信号のサブキャリアに変調された光信号が復調され情報処理装置１４１２へ入力され識別子等のＯＡＭ情報が処理される。一方、情報処理装置１４１２から光送信器１４０９を経て出力された１．５５μｍの波長の監視用光信号は、光カップラ１４０３へ入力され、１．３１μｍの波長の主信号光と重畳されて光スイッチ回路網１４０４へ入力される。光スイッチ回路網１４０４から出力された光信号はＷＤＭカップラ１４０５へ入力され、１．５５μｍの波長の監視信号光と１．３１μｍの波長の主信号光とに分離し、１．５５μｍの波長の監視信号光は光受信器１４１０へ入力し、１．３１μｍの主信号光は光カップラ１４０６へ入力し、光伝送路１４１４へと伝送する。光受信器１４１０から出力された監視用信号は、情報処理装置１４１２へ入力され、光スイッチ回路網１４０４の光ロス等を検出し、駆動電圧等が正常であるか判定する。ＯＡＭ情報の処理が行われた結果更に次のノードへ伝送するＯＡＭ情報は、光送信器１４１１へ入力され１．５５μｍの光信号に変換され、光カップラ１４０６に於いてＷＤＭカップラ１４０５から出力された主信号光と重畳され、次のノードと接続された光伝送路１４１４へ入力される。この光信号が伝送される次のノードに於いては、１．３１μｍの波長と１．５５μｍも波長を分離するＷＤＭカップラを用いることにより、１．５５μｍの波長のＯＡＭ信号光のみを抽出することができ、ＯＡＭ情報を得ることができる。
【０２８９】
図１４に示すノード構成を用いることにより、光スイッチ回路網１４０４は、ノード１４２１に於いて光のまま切り替えられて、次のノードへ送出されるにもかかわらず、他ノードとＯＡＭ情報のやりとりが可能であり、又、主信号光が光のまま通過する光スイッチ回路網１４０４の監視も可能である。又、図１４のようにＷＤＭカップラ１４０１によりＯＡＭ信号光を分離し、光カップラ１４０２には主信号光のみが入力されることにより、光受信器１４０７で受信されるＯＡＭ信号光の光レベルの低下が防げ、光受信器１４０７として、より低感度な光受信器を用いることができ、経済的なシステムを構成することができる。
【０２９０】
本発明はこの実施例に限定されるものではない。
【０２９１】
例えば、第１の光重畳手段、第２の光重畳手段として、光カップラ１４０３、１４０６を用いる替わりに、１．３１μｍと１．５５μｍの波長の光を結合するＷＤＭカップラを用いても、本発明は適用できる。
【０２９２】
又、本発明では、主信号に１．３１μｍの波長の光信号、ＯＡＭ信号に１．５５μｍ波長の光信号を用いたが、主信号光と、ＯＡＭ信号光として分離できるものであれば、他の波長の組み合わせを用いても、本発明は適用できる。
【０２９３】
又、実施例では波長分割多重技術を用いてＯＡＭ信号を送ったり、分離しているが、偏波多重技術を用いても行うことができる。光分離手段として、偏向制御器と偏光スプリッタを用いても本発明は適用できる。その場合、主信号をＴＥ偏向、ＯＡＭ情報を伝送する光信号をＴＭ偏向を用いて偏波多重して伝送し各ブロックを偏波保持ファイバで接続し、ＴＭ偏向の光のみを抽出してＯＡＭ情報を得る。偏光制御器としては、ファイバに圧力をかけ偏光を変えて制御する装置を用いることができ、偏光スプリッタとしては、例えばＬｉＮｂＯ３はこのような複屈折性を持つ結晶を用いることにより実現できる。
【０２９４】
又、実施例では、第３の光受信手段として、主信号に重畳されたサブキャリア信号を復調できる光受信器１４０８を用いたが、光受信器１４０８を用いずに、主信号としてＳＤＨフレームを用いてＳＯＨのある部分に光ネットワークのＯＡＭ情報を載せる系を用い、第３の光受信手段としてＳＤＨのフレームを受信できＳＯＨからＯＡＭ情報を得ることができる光受信器を用いても、本発明は適用できる。
【０２９５】
第４２の発明の実施例について、図１４を用いて説明する。第４２の発明の実施例は、第４１の発明の実施例で示した図１４の構成で、その説明は第４１の発明の実施例中に示した。第４２の発明は、第４１の発明で用いられていたように、第１の光分離手段、第２光分離手段としてＷＤＭカップラ等（ＷＤＭカップラ１４０１、１４０５）の波長分離手段を用いることができる。第３の光分離手段として、光分岐を用い、第３の光受信手段として、ＡＰＤ等で受信した信号をサブキャリア周波数を抽出するバンド・パス・フィルタに通してサブキャリア周波数成分のみを抽出し、サブキャリアに変調された信号光を復調できる受信手段が接続された光受信器を用いることができる。第１群に属する波長として１．３１μｍの波長、第２群及び第３群に属する波長として１．５５μｍの波長を用いることができる。
【０２９６】
以下に、このような限定を行う効果について説明する。
【０２９７】
第４１の発明の実施例の偏波分割多重技術を用いる方法の場合は、偏光制御等が必要で装置が複雑になるが、第４２の発明では、ＷＤＭカップラ１４０１、ＷＤＭカップラ１４０５を用いて、主信号光とＯＡＭ情報を伝送する信号光とに分離しているので、装置が簡単になり、経済的にシステムを構成できる。
【０２９８】
第４３の発明について、図１５を用いて説明する。
【０２９９】
図１５は、本発明の一実施例を示すブロック図である。図１５に於いて、１５２１は光ネットワークノード（光ネットワーク装置）を表す。１５０４は光スイッチ回路網（光機能回路手段）、１５０７は１．５５μｍの波長の光の受信が可能な光受信器（第１の光受信手段）、１５１０は１．５５μｍの波長の光の受信が可能な光受信器（第２の光受信手段）、１５０８はサブキャリアに変調された光信号の復調が可能な光受信器（第３の光受信手段）、１５１３、１５１４は光伝送路、１５０９は１．５５μｍの波長の光を送出する光送信器（第２の光送信手段）、１５１１は１．５５μｍの波長の光を送出する光送信器（第１の光送信手段）、１５０３は、入力された２つの光を１：１のパワーの比で結合して出力する方向性結合型光カップラ（第１の光重畳手段）で、１５０６は、入力された２つの光を１：１のパワーの比で結合して出力する方向性結合型光カップラ（第２の光重畳手段）である。１５０２は、光を光カップラ１５０３へ出力する光パワーと光受信器１５０８へ出力する光パワーの比が、９５：５であるように分岐し接続されている方向性結合型光分岐器（第３の光分離手段）である。１５０１、１５０５は、入力された光の内１．３１μｍの波長の光と１．５５μｍの波長の光とに分離して出力するＷＤＭカップラである。１５０１は、１．３１μｍの光を光カップラ１５０２の方へ出力し、１．５５μｍの光を光受信器１５０７の方へ出力するように接続されたＷＤＭカップラ（第１の光分離手段）。１５０５は、１．３１μｍの光を光カップラ１５０６の方へ出力し、１．３１μｍの光を光受信器１５１０の方へ出力するように接続されたＷＤＭカップラ（第２の光分離手段）である。１５１２は光受信器１５０７、１５０８、１５１０から得た信号を処理し、光送信器１５０９、光送信器１５１０へＯＡＭ情報を送出する情報処理装置（情報処理手段）でワークステーションを用いることができる。光スイッチ回路網１５０４として、第１の発明で用いた光スイッチ回路網１０２と同じ光スイッチ回路網を用いることができる。
【０３００】
図１５のノード構成を用い、主信号光を１．３１μｍ、ＯＡＭ信号光を１．５５μｍの波長の光を用いて伝送する。主信号光には、サブキャリアを用いて光信号の通ってきた経路の識別子等の情報が重畳されている。光伝送路１５１３から伝送されてきた光信号はＷＤＭカップラ１５０１に於いて、主信号光とＯＡＭ信号光とに分離され、主信号光は光カップラ１５０２の方へ出力される。ＯＡＭ信号光は光受信器１５０７で受信され情報処理装置１５１２へ入力される。光受信器１５０７から入力された受信信号は情報処理装置１５１２に於いてＯＡＭ情報の処理が行われる。光カップラ１５０２へ入力された１．３１μｍの信号光は光カップラ１５０２により一部タップされ、光受信器１５０８へ入力される。光受信器１５０８へ入力された光信号のサブキャリアに変調された光信号が復調され情報処理装置１５１２へ入力され識別子等のＯＡＭ情報が処理される。一方、情報処理装置１５１２から光送信器１５０９を経て出力された１．５５μｍの波長の監視用光信号は、光カップラ１５０３へ入力され、１．３１μｍの波長の主信号光と重畳されて光スイッチ回路網１５０４へ入力される。光スイッチ回路網１５０４から出力された光信号はＷＤＭカップラ１５０５へ入力され、１．５５μｍの波長の監視信号光と１．３１μｍの波長の主信号光とに分離し、１．５５μｍの波長の監視信号光は光受信器１５１０へ入力し、１．３１μｍの主信号光は光カップラ１５０６へ入力する。光受信器１５１０から出力された監視用信号は、情報処理装置１５１２へ入力され、光スイッチ回路網１５０４の光ロス等を検出し、駆動電圧等が正常であるか判定する。ＯＡＭ情報の処理が行われた結果更に次のノードへ伝送するＯＡＭ情報は、光送信器１５１１へ入力され１．５５μｍの光信号に変換され、光カップラ１５０６に於いてＷＤＭカップラ１５０５から出力された主信号光と重畳され、次のノードと接続された光伝送路１５１４へ入力される。この光信号が伝送されるノードに於いては、１．３１μｍと１．５５μｍの波長を分離するＷＤＭカップラを用いて１．５５μｍの波長であるＯＡＭ信号光のみを抽出することができ、ＯＡＭ情報を得ることができる。
【０３０１】
図１５に示すノード構成を用いることにより、光スイッチ回路網１５０４は、ノード１５２１に於いて光のまま切り替えられて、次のノードへ送出されるにもかかわらず、他ノードとＯＡＭ情報のやりとりが可能である。又、主信号光が光のまま通過する光スイッチ回路網１５０４の監視も可能である。
【０３０２】
本発明はこの実施例に限定されるものではない。
【０３０３】
例えば、第１の光重畳手段、第２の光重畳手段として、光カップラ１５０３、１５０６を用いる替わりに、１．３１μｍと１．５５μｍの波長の光を結合するＷＤＭカップラを用いても、本発明は適用できる。
【０３０４】
又、実施例では波長分割多重技術を用いてＯＡＭ信号を送ったり、分離しているが、偏波多重技術を用いても行うことができる。光分離手段として、偏向制御器と偏光スプリッタを用いても本発明は適用できる。その場合、主信号をＴＥ偏向、ＯＡＭ情報を伝送する光信号をＴＭ偏向を用いて偏波多重して伝送し各ブロックを偏波保持ファイバで接続し、ＴＭ偏向の光のみを抽出してＯＡＭ情報を得る。偏光制御器としては、ファイバに圧力をかけ偏光を変えて制御する装置を用いることができ、偏光スプリッタとしては、例えばＬｉＮｂＯ３はのような複屈折性を持つ結晶を用いることにより実現できる。
【０３０５】
又、本発明では、主信号に１．３１μｍの波長の光信号、ＯＡＭ信号に１．５５μｍ波長の光信号を用い１．３１μｍの波長と１．５５μｍの波長とを分離するＷＤＭカップラを用いたが、主信号光と、ＯＡＭ信号光として分離できるものであれば、他の波長を分離するＷＤＭカップラを用いても、本発明は適用できる。
【０３０６】
又、第３の光受信手段として、主信号に重畳されたサブキャリア信号を復調できる光受信器１５０８を用いたが、主信号として、ＳＤＨフレームを用いＳＯＨのある部分に光ネットワークのＯＡＭ情報を載せる系を用い、第３の光受信手段として光受信器１５０８を用いずにＳＤＨのフレームを受信できＳＯＨからＯＡＭ情報を得ることができる光受信器を用いても、本発明は適用できる。
【０３０７】
第４４の発明の実施例について、図１５を用いて説明する。図１５は、本発明の一実施例を示すブロック図である。第４４の発明の実施例は、第４３の発明の実施例で示した図１５の構成で、その説明は第４３の発明の実施例中に示した。第４４の発明は、第４３の発明で用いられていたように、第１の光分離手段、第２の光分離手段としてＷＤＭカップラ等のような波長分離手段（ＷＤＭカップラ１５０１、１５０５）を用いるように限定するものである。第１群に属する波長として１．３１μｍの波長、第２群に属する波長及び第３群に属する波長として１．５５μｍの波長を用いることができる。
【０３０８】
以下に、ＷＤＭカップラを用いた図１５の構成の利点について説明する。
【０３０９】
第４３の発明の実施例の偏波分割多重技術を用いる方法の場合は、偏光制御等が必要で装置が複雑になるが、第４４の発明では、ＷＤＭカップラ１５０１、ＷＤＭカップラ１５０５を用いて、主信号光とＯＡＭ情報を伝送する信号光とに分離しているので、装置が簡単になり、経済的にシステムを構成できる。
【０３１０】
第４５の発明の実施例について、図３を用いて説明する。図３は、本発明の一実施例を示すブロック図である。第４５の発明の実施例として、図３において、光送信手段（光送信器３０１）として、サブキャリアに信号を重畳して送出する光送信器としたものを用いることができる。例えば１ＭＨｚの周波数をキャリアとしてＯＡＭ信号を変調した信号をサブキャリア信号と呼ぶと、電気の乗算器により１ＭＨｚの周波数とＯＡＭ信号とを電気的に重畳することができる。これを半導体レーザダイオードを用いて直接変調すると、サブキャリア信号を送出する光送信器３０１を構成することができる。主信号の電気信号にサブキャリアを重畳しサブキャリアを用いて、受信ノードに於いて主信号光の受信に影響を与えない程度の変調度で変調し、サブキャリアの周波数も受信ノードに於いて主信号光の受信に影響を与えない程度に主信号の持つ周波数帯域から外れた周波数を用いる。第４５の発明を用いることにより、光のまま光信号が通過するノードから光ネットワークのＯＡＭ信号の伝送を行うことができる。ＯＡＭ情報を発信するノードによりサブキャリアの周波数を変えて、サブキャリア多重伝送すると、受信ノードに於いて、サブキャリア多重光を受信してから、サブキャリア周波数のフィルタで弁別することにより、ＯＡＭ情報の発信ノードにより区別して、ＯＡＭ情報を受信できる。
【０３１１】
サブキャリアを用いると、一旦重畳されたサブキャリア信号は抜き去ることが難しいので、光信号の通る経路の識別子を伝送する場合に、サブキャリアを識別子情報の伝送手段に用いると誤った情報の伝送が防げる。
【０３１２】
第４６の発明の実施例について、図１６を用いて説明する。
【０３１３】
図１６は、本発明の一実施例を示すブロック図である。図１６に於いて、１６２１は光ネットワークノード（光ネットワーク装置）である。１６０２は光スイッチ回路網（光機能回路手段）、１６０３、１６０６は光伝送路、１６０１は、副搬送波（サブキャリア）を用いて振幅変調する変調器（変調器手段）、１６０４は、入力された光信号を変調する変調器（光信号変調手段）で、ここでは、ＬｉＮｂＯ３の電気光学効果を用いた変調器を用いる。１６０５はＯＡＭ情報を処理する情報処理装置（情報処理手段）でワークステーションを用いることができる。光スイッチ回路網１６０２として、第１の発明の実施例で用いられた光スイッチ回路網１０２と同じ光スイッチ回路網を用いることができる。光変調器１６０４では、サブキャリアを変調するが、その変調度は、主信号光の受信ノードに於いて主信号の受信に影響が出ない程度の変調度で変調し、サブキャリアの周波数は、主信号の受信ノードに於いて主信号の受信に影響が出ない程度主信号の周波数帯域外の周波数を用いる。
【０３１４】
光信号は光スイッチ回路網１６０２を光信号のまま通過してしまうので、光変調器１６０４や光送信器１６０１が接続されていない場合、光スイッチ回路網１６０２中のスイッチ状態を変更する命令等のようなＯＡＭ情報を他ノードへ伝送することができない。
【０３１５】
しかし、図１６のような構成を用いることにより、受信ノードに於いて主信号の受信に影響がないようにＯＡＭ情報を持つサブキャリア信号を伝送できる。この光信号が伝送されるノードに於いては、目的とするサブキャリア周波数のみをバンド・パス・フィルタを用いて抽出し、送信ノードで変調したＯＡＭ信号を復調できる復調器を用い、ＯＡＭ信号を復調することができる。従って、光のまま光信号が通過するノードから光ネットワークのＯＡＭ信号の伝送を行うことができる。
【０３１６】
尚、本発明はこの実施例に限定されるものではない。
【０３１７】
例えば、実施例では光信号変調手段（光変調器１６０４）としてＬｉＮｂＯ３を用いて作られた光変調器を用いているが、その他、半導体のＥＡ変調器等光信号を光のまま変調できるものなら本発明が適用できる。
【０３１８】
又、実施例では、サブキャリアの変調方式として振幅変調を用いたが、主信号系の受信に影響を及ぼさないような変調指数を用いれれ、周波数変調や、位相変調等を用いても、本発明は適用できる。
【０３１９】
又、光機能回路手段として光スイッチ回路網１６０２を用いているが、エルビウム・ドープト・ファイバ増幅器や、半導体光増幅器等の光増幅器を用いても本発明は適用できる。
【０３２０】
第４７の発明の実施例について、図１７を用いて説明する。
【０３２１】
図１７は、本発明の一実施例を示すブロック図である。図１７に於いて、１７２１は光ネットワークノード（光ネットワーク装置）である。１７０２は光スイッチ回路網（光機能回路手段）、１７０３、１７０６は光伝送路、１７０１は、副搬送波（サブキャリア）を用いて振幅変調する変調器（変調器手段）、１７０４は、入力された光信号を変調する変調器（光信号変調手段）で、ここでは、ＬｉＮｂＯ３の電気光学効果を用いた変調器を用いる。１７０５はＯＡＭ情報を処理する情報処理装置（情報処理手段）でワークステーションを用いることができる。光スイッチ回路網１７０２として、第１の発明の実施例で用いられた光スイッチ回路網１０２と同じ光スイッチ回路網を用いることができる。光変調器１７０４では、サブキャリアを変調するが、その変調度は、主信号光の受信ノードに於いて主信号の受信に影響が出ない程度の変調度で変調し、サブキャリアの周波数は、主信号の受信ノードに於いて主信号の受信に影響が出ない程度主信号の周波数帯域外の周波数を用いる。
【０３２２】
光信号は光スイッチ回路網１７０２を光信号のまま通過してしまうので、光変調器１７０４や変調器１７０１が接続されていない場合、光スイッチ回路網中１７０２のスイッチ状態を変更する命令等のようなＯＡＭ情報を他ノードへ伝送することができない。
【０３２３】
しかし、図１７のような構成を用いることにより、受信ノードに於いて主信号の受信に影響がないようにＯＡＭ情報を持つサブキャリア信号を伝送できる。この光信号が伝送されるノードに於いては、サブキャリア周波数成分をバンド・パス・フィルタを用いて抽出し、ＯＡＭ信号を変調した変調を復調できる復調器を用いて、ＯＡＭ信号を得ることができる。従って、光のまま光信号が通過するノードから光ネットワークのＯＡＭ信号の伝送を行うことができる。
【０３２４】
尚、本発明はこの実施例に限定されるものではない。
【０３２５】
例えば、実施例では光信号変調手段（光変調器１７０４）としてＬｉＮｂＯ３を用いて作られた光変調器を用いているが、その他、半導体のＥＡ変調器等光信号を光のまま変調できるものなら本発明が適用できる。
【０３２６】
又、実施例では、サブキャリアの変調方式として振幅変調を用いたが、主信号系の受信に影響を及ぼさないような変調指数を用いれば、周波数変調や、位相変調等を用いても、本発明は適用できる。
【０３２７】
又、光機能回路手段として光スイッチ回路網１７０２を用いているが、エルビウム・ドープト・ファイバ増幅器や、半導体光増幅器等の光増幅器を用いても本発明は適用できる。
【０３２８】
第４８の発明の実施例について、図１８を用いて説明する。
【０３２９】
図１８は、本発明の一実施例を示すブロック図である。光伝送路１８０６から伝送される主信号光の波長は１．３１μｍの波長であるとする。図１８に於いて、１８２１は光ネットワークノード（光ネットワーク装置）である。１８０２は光スイッチ回路網（光機能回路手段）、１８０３、１８０６は光伝送路、１８０１は１．５５μｍの波長の光を送出する光送信器（光送信手段）、１８０４は、入力された２つの光を１：１のパワーの比で結合して出力する方向性結合型光カップラで、ここでは、光伝送路１８０６からの入力光と光送信器１８０１の出力端からの入力光とのカップラ（光重畳手段）として用いる。１８０５はＯＡＭ情報を処理する情報処理装置（情報処理手段）でワークステーションを用いることができる。光スイッチ回路網１８０２として、第１の発明の実施例で用いた光スイッチ回路網１０２と同じ光スイッチ回路網を用いることができる。
【０３３０】
光信号は光スイッチ回路網１８０２を光信号のまま通過してしまうので、光カップラ１８０４や光送信器１８０１が接続されていない場合、光スイッチ回路網１８０２中のスイッチ状態を変更する命令等のようなＯＡＭ情報を他ノードへ伝送することができない。
【０３３１】
しかし、本発明の光ネットワーク装置では、情報処理装置１８０５からのＯＡＭ情報を光送信器１８０１を用いて主信号光（１．３１μｍ）と異なる波長（１．５５μｍ）の光にすることができ、これと主信号光とをを光カップラ１８０４で、重畳することにより、主信号の他にＯＡＭ信号の伝送が可能となる。この光信号が伝送されるノードでは、１．３１μｍの波長と１．５５μｍの波長を分離するＷＤＭカップラを用いることによりＯＡＭ信号を抽出することができる。
【０３３２】
尚、本発明はこの実施例に限定されるものではない。
【０３３３】
例えば、実施例では光重畳手段として、光カップラ１８０４を用いているが、ＷＤＭカップラを用いて主信号光の波長とＯＡＭ信号光の波長を重畳することによっても、本発明は適用できる。
【０３３４】
又、光機能回路手段として光スイッチ回路網１８０２を用いているが、エルビウム・ドープト・ファイバ増幅器や、半導体光増幅器等の光増幅器を用いても本発明は適用できる。
【０３３５】
又、実施例では光送信手段として光送信器１８０１を用いたが、送出する光信号の偏波が主信号光と直交する偏波である光送信器を用い、主信号光とＯＡＭ信号光とを偏波多重しても、本発明は適用できる。
【０３３６】
第４９の発明の実施例について説明する。第４９の発明は、第４５の発明で用いられていた光機能回路手段として光スイッチ回路網を用いるように限定するものである。光スイッチ回路網として、第１の発明の実施例で説明した光スイッチ回路網１０２を用いることができる。第４９の発明の実施例は、第４５の発明の実施例で示したものと同じものを用いることができ、その説明は第４５の発明の実施例中に示した。
【０３３７】
第５０の発明の実施例について説明する。第５０の発明は、光機能回路手段として光スイッチ回路網を用いるように限定するものである。光スイッチ回路網として、第１の発明の実施例で説明した光スイッチ回路網１０２を用いることができる。第５０の発明の実施例は、第４６の発明の実施例で示したものと同じものを用いることができ、その説明は第４６の発明の実施例中に示した。
【０３３８】
第５１の発明の実施例について説明する。第５１の発明は、光機能回路手段として光スイッチ回路網を用いるように限定するものである。光スイッチ回路網として、第１の発明の実施例で説明した光スイッチ回路網１０２を用いることができる。第５１の発明の実施例は、第４７の発明の実施例で示したものと同じで、その説明は第４７の発明の実施例中に示した。
【０３３９】
第５２の発明の実施例について説明する。第５２の発明は、光機能回路手段として光スイッチ回路網を用いるように限定するものである。第５２の発明の実施例は、第４８の発明の実施例で示したものと同じで、その説明は第４８の発明の実施例中に示した。光スイッチ回路網として、第１の発明の実施例で説明した光スイッチ回路網１０２を用いることができる。
【０３４０】
第５３の発明の実施例について、図１９を用いて説明する。
【０３４１】
図１９は、本発明の一実施例を示すブロック図である。図１９に於いて、１９２９は光ネットワークノード（光ネットワーク装置）である。１９０１、１９０２、・・・、１９０８、１９０９、１９１０、・・・１９１６は光伝送路で、主信号光を１．３１μｍの波長の光を用いて伝送し、ＯＡＭ信号光を１．５５μｍの波長を用いて伝送する。１９２８は光スイッチ回路網（光機能回路手段）である。光スイッチ回路網１９２８として、第１の発明の実施例で用いた光スイッチ回路網１０２と同じ光スイッチ回路網を用いることができる。主信号光は光のまま切り替えられて他ノードへ伝送される。１９２５は８入力光の内から１つの出力光を選択する光セレクタ（選択手段）であり、１×２光スイッチを３段ｔｒｅｅ状に接続して構成される１×８光スイッチを用いることができる。。光スイッチとして、ＬｉＮｂＯ３の電気光学効果を利用した光スイッチを用いる。１９１７、１９１８・・・１９２４は入力された１．３１μｍの波長の光と１．５５μｍの波長の光を分離するＷＤＭカップラ（ｍ個の光分離手段）であり、１．３１μｍの波長の光を光スイッチ回路網１９２８の方へ出力し、１．５５μｍの波長の光を光セレクタ１９２５の方へ出力するように接続する。１９２６は１．５５μｍの波長の光を受信できる光受信器（光受信手段）である。１９２７は光ネットワークのＯＡＭ情報を処理する情報処理装置（情報処理手段）で、ワークステーションを用いる。１９０１、１９０２、・・・１９０８を伝送されるＯＡＭ情報は同じ内容のものが伝送されるように、送信ノードでＯＡＭ情報を重畳する。１９２９は、光ネットワーク・ノードである。１９０１〜１９０８に伝送されているＯＡＭ情報は同じ内容のものであり、ノードに対する命令などの各光伝送路固有の情報でないＯＡＭ情報と１９０１〜１９０８の各光伝送路のＯＡＭ情報とが時分割多重されている。
【０３４２】
主信号光を１．３１μｍの波長の光信号で伝送し、ＯＡＭ信号を１．５５μｍの波長の光信号で伝送している系に於いて、ＷＤＭカップラ１９１７〜１９２４を用いて１．５５μｍの波長のＯＡＭ信号のみを抽出することが可能である。各光伝送路から抽出されたＯＡＭ信号は光セレクタ１９２５により選択され、光受信器１９２６へ入力される。受信されたＯＡＭ信号は情報処理装置１９２７へ入力され、情報処理装置１９２７に於いてＯＡＭ情報の処理を行う。
【０３４３】
このような構成を用いることにより、主信号光が光のまま通過する光ネットワーク・ノードへのＯＡＭ情報の伝送が可能となる。又、光セレクタ１９２５を用いて、ＯＡＭ情報を得る光伝送路を選択することができるので、どこかの光伝送路に障害が発生した場合に於いても、光セレクタ１９２５を障害が発生していない光伝送路へ切り替えてやることにより、ＯＡＭ信号を常に受け取ることができる。例えば、今、光セレクタ１９２５は光伝送路１９０１からのＯＡＭ信号光を選択しているとする。光伝送路１９０１と１９０２に障害が発生した場合、光受信器１９２６に於いてＯＡＭ信号光を受信することができなくなってしまう。しかし、障害が発生していない光伝送路１９０８のＯＡＭ信号光を選択するように光セレクタ１９２５を切り替えてやることにより、ＯＡＭ光伝送路１９０８からＯＡＭ信号光を得ることができる。又、光セレクタ１９２５を用いない場合、光受信器１９２６を光伝送路分（実施例の場合は８本）用意しなければならないが、光セレクタで選択する構成を用いていることより、光受信器の数が１つでよく、用いる光受信器の数を少なくすることができ、コスト削減になる。
【０３４４】
本発明は、この実施例に限定されるものではない。
【０３４５】
例えば、実施例では、選択手段（光セレクタ１９２５）として、ＬｉＮｂＯ３の光セレクタを用いたが、他の電気光学効果や音響光学効果を用いた光スイッチや、プリズムを電磁石で偏向させるような機械式光スイッチ等の光スイッチであれば、本発明は適用できる。
【０３４６】
また、光分離手段として、ＷＤＭカップラを用いたが、光分離手段として、偏向制御器と偏光スプリッタを用いても本発明は適用できる。その場合、主信号をＴＥ偏向、ＯＡＭ情報を伝送する光信号をＴＭ偏向を用いて偏波多重して伝送し各ブロックを偏波保持ファイバで接続し、ＴＭ偏向の光のみを抽出してＯＡＭ情報を得る。偏光制御器としては、ファイバに圧力をかけ偏光を変えて制御する装置を用いることができ、偏光スプリッタとしては、例えばＬｉＮｂＯ３はこのような複屈折性を持つ結晶を用いることにより実現できる。
【０３４７】
第５４の発明の実施例について、図２０を用いて説明する。
【０３４８】
図２０は、本発明の一実施例を示すブロック図である。図２０に於いて、２０３６は光ネットワークノード（光ネットワーク装置）である。２００１、２００２、・・・、２００８、２００９、２０１０、・・・２０１６は光伝送路で、主信号光を１．３１μｍの波長の光を用いて伝送し、ＯＡＭ信号光を１．５５μｍの波長を用いて伝送する。２０３５は光スイッチ回路網（光機能回路手段）である。光スイッチ回路網２０３５として、第１の発明の実施例で用いた光スイッチ回路網と同じ光スイッチ回路網１０２を用いることができる。主信号光は光のまま切り替えられて他ノードへ伝送される。２０２５、２０２６・・・２０３２は１．５５μｍの波長の光を受信できる光受信器（ｍ個の光受信手段）である。２０３３は入力された８つの電気信号の内から１つの出力光を選択する電気信号のセレクタ（選択手段）である。２０１７、２０１８・・・２０２４は入力された光から１．３１μｍの波長の光と１．５５μｍの波長の光を分離するＷＤＭカップラ（ｍ個の光分離手段）であり、１．３１μｍの波長の光を光スイッチ回路網２０３５の方へ出力し、１．５５μｍの波長の光を光受信器２０２５〜２０３２の方へ出力するように接続する。２０３４は光ネットワークのＯＡＭ情報を処理する情報処理装置（情報処理手段）で、ワークステーションを用いる。２００１、２００２、・・・２００８を伝送されるＯＡＭ情報は同じ内容のものが伝送されるように、送信ノードでＯＡＭ情報を重畳する。２０２９は、光ネットワーク・ノードである。２００１〜２００８に伝送されているＯＡＭ情報は同じ内容のものであり、ノードに対する命令などの各光伝送路固有の情報でないＯＡＭ情報と２００１〜２００８の各光伝送路のＯＡＭ情報とが時分割多重されている。
【０３４９】
主信号光を１．３１μｍの波長の光信号で伝送し、ＯＡＭ信号を１．５５μｍの波長の光信号で伝送している系に於いて、ＷＤＭカップラ２０１７〜２０２４を用いて１．５５μｍの波長のＯＡＭ信号のみを抽出することが可能である。各光伝送路から抽出されたそれぞれのＯＡＭ信号光は光受信器２０２５〜２０３２へ入力される。２０２５〜２０３２の光受信器により受信されたＯＡＭ信号はセレクタ２０３３により選択され、情報処理装置２０３４へ入力され、情報処理装置２０３４に於いてＯＡＭ情報の処理を行う。
【０３５０】
このような構成を用いることにより、主信号光が光のまま通過する光ネットワーク・ノードへのＯＡＭ情報の伝送が可能となる。又、セレクタ２０３３を用いて、ＯＡＭ情報を得る光伝送路を選択することができるので、どこかの光伝送路に障害が発生した場合に於いても、セレクタ２０３３を障害が発生していない光伝送路へ切り替えてやることにより、ＯＡＭ信号を常に受け取ることができる。例えば、今、セレクタ２０３３は光伝送路２００１からのＯＡＭ信号光を選択しているとする。光伝送路２００１と２００２に障害が発生した場合、光受信器２０２６に於いてＯＡＭ信号光を受信することができなくなってしまう。しかし、障害が発生していない光伝送路２００８のＯＡＭ信号光を選択するようにセレクタ２０３３を切り替えてやることにより、ＯＡＭ光伝送路２００８からＯＡＭ信号光を得ることができる。
【０３５１】
本発明は、この実施例に限定されるものではない。
【０３５２】
例えば、光分離手段として、ＷＤＭカップラを用いたが、光分離手段として、偏向制御器と偏光スプリッタを用いても本発明は適用できる。その場合、主信号をＴＥ偏向、ＯＡＭ情報を伝送する光信号をＴＭ偏向を用いて偏波多重して伝送し各ブロックを偏波保持ファイバで接続し、ＴＭ偏向の光のみを抽出してＯＡＭ情報を得る。偏光制御器としては、ファイバに圧力をかけ偏光を変えて制御する装置を用いることができ、偏光スプリッタとしては、例えばＬｉＮｂＯ３はのような複屈折性を持つ結晶を用いることにより実現できる。
【０３５３】
又、ＯＡＭ信号をサブキャリア信号に重畳した系を用い、光分離手段として、光カップラを用い、光受信手段としてサブキャリア信号の受信が可能な光受信器を用いることによっても、本発明は適用できる。
【０３５４】
第５５の発明の実施例について、図２１を用いて説明する。
【０３５５】
図２１は、本発明の一実施例を示すブロック図である。図２１に於いて、２１２９は光ネットワークノード（光ネットワーク装置）である。２１０１、２００２、・・・、２１０８、２１０９、２１１０、・・・２１１６は光伝送路で、主信号光を１．３１μｍの波長の光を用いて伝送Ｌ、ＯＡＭ信号光を１．５５μｍの波長を用いて伝送する。２１２８は光スイッチ回路網（光機能回路手段）である。光スイッチ回路網２１２８として、第１の発明の実施例で用いた光スイッチ回路網１０２を用いることができる。主信号光は光のまま切り替えられて他ノードへ伝送される。２１２５は入力端へ入力された光信号を８分岐して出力する光分岐器（光分岐手段）であり、石英の光導波路を用いた方向性結合器による１入力２出力光分岐器を３段接続して構成される１入力８出力光分岐器を用いることができる。２１１７、２１１８・・・２１２４は、入力された光を等しい結合率で結合する方向性結合型光カップラ（ｍ個の光重畳手段）で、ここでは、光スイッチ回路網２１２８の出力端からの入力光と光分岐器２１２５の出力端からの入力光とのカップラとして用いる。２１２６は１．５５μｍの波長の光を送信する光送信器（光送信手段）である。２１２７は光ネットワークのＯＡＭ情報を処理する情報処理装置（情報処理手段）で、ワークステーションを用いる。２１０９、２１１０、・・・２１２４を伝送されるＯＡＭ情報は同じ内容のものが伝送されるように、送信ノードでＯＡＭ情報を重畳する。２１２９は、光ネットワーク・ノードである。２１０９〜２１２４に伝送されているＯＡＭ情報は、ノードに対する命令などの各光伝送路固有の情報でないＯＡＭ情報と２１０９〜２１１６の各光伝送路のＯＡＭ情報とが時分割多重されている。
【０３５６】
情報処理装置２１２７から出力されたＯＡＭ信号は１．５５μｍの波長の光送信器２１２６入力され、光信号に変換される。このＯＡＭ信号光は光分岐器２１２５により分岐され、光カップラ２１１７〜２１２４を用いて１．３１μｍの主信号光と重畳される。１．３１μｍの波長の主信号光と１．５５μｍの波長のＯＡＭ信号光とが重畳された光信号は各光伝送路２１０９〜２１１６へ入力される。
【０３５７】
このような構成を用いることにより、主信号光が光のまま通過する光ネットワーク・ノードからのＯＡＭ情報の伝送が可能となる。この光信号が伝送されるノードでは、第５３の発明の実施例で用いたノード１９２９を用いることにより、ＯＡＭ情報を得ることができる。その動作は、第５３の発明の実施例に詳細に説明してある。又、８本全ての光伝送路に、８本全ての光伝送路に関する情報及び光ネットワークのＯＡＭ情報を載せて伝送しているので、どこかの光伝送路に障害が発生した場合に於いても、受信するノード１９２９でＯＡＭ信号光を得る光伝送路を障害が発生していない光伝送路へ切り替えてやることにより、ＯＡＭ信号を常に受け取ることができる。又、光分岐器２１２５を用いない場合、光送信器２１２６を光伝送路分（実施例の場合は８）用意しなければならないが、光分岐器で分岐する構成を用いていることより、光送信器の数が１つでよく、用いる光送信器の数を少なくすることができ、コスト削減になる。
【０３５８】
本発明は、この実施例に限定されるものではない。
【０３５９】
例えば、実施例では、光分岐手段（光分岐器２１２５）として、石英の光導波路の方向性結合器を用いた光分岐器を用いたが、ＬｉＮｂＯ３等他の導波路の方向性結合を用いても、本発明は適用できる。また、方向性結合をもちいなくても、導波路のＹ分岐、ファイバの融着等、他の光分岐方法を用いても本発明は実現できる。
【０３６０】
又、主信号光に１．３１μｍの波長の光信号、ＯＡＭ信号光に１．５５μｍの波長の光信号を用いたが、それぞれの伝送、スイッチング等が可能であれば、他の波長の組み合わせを用いても本発明は適用できる。
【０３６１】
また、光重畳手段として、光カップラを用いたが、ＷＤＭカップラを用いて重畳しても、本発明は適用できる。
【０３６２】
又、光カップラ２１１７〜２１２４に於いてＴＥ偏波に保たれた主信号光とＴＭ偏波に保たれたＯＡＭ信号光との光偏波多重を行って、他ノードへ伝送し、この光信号が伝送されたノードに於いては、偏波スプリッタを用いてＯＡＭ信号光のみを分離して、ＯＡＭ情報を得ることによっても、本発明は適用できる。
【０３６３】
第５６の発明の実施例について、図２２を用いて説明する。
【０３６４】
図２２は、本発明の一実施例を示すプロック図である。図２２に於いて、２２００は光ネットワークノード（光ネットワーク装置）を表す。２２０１、２２０２、・・・、２２０８、２２０９、２２１０、・・・２２１６は光伝送路で、主信号光を１．３１μｍの波長の光を用いて伝送し、ＯＡＭ信号光を１．５５μｍの波長を用いて伝送する。２２３５は光スイッチ回路網（光機能回路手段）である。光スイッチ回路網２２３５として、第１の発明の実施例で用いた光スイッチ回路網１０２と同じ光スイッチ回路網を用いることができる。主信号光は光のまま切り替えられて他ノードへ伝送される。２２２５、２２２６・・・２２３２は１．５５μｍの波長の光を送信する光送信器（ｍ個の光送信手段）である。２２３３は入力された１つの電気信号を８分岐する電気信号の分岐器（分岐手段）である。２２１７、２２１８・・・２２２４は、入力された２つの光を１：１の結合率で結合して出力する方向性結合型光カップラで、ここでは、光スイッチ回路網２２３５の光信号と光送信器２２２５〜２２３２の出力端からの光信号との光カップラ（ｍ個の光重畳手段）として用いる。この光カップラにより１．３１μｍの波長の主信号光と１．５５μｍの波長のＯＡＭ信号光を重畳する。２２３４は光ネットワークのＯＡＭ情報を処理する情報処理装置（情報処理手段）で、ワークステーションを用いる。２２０１〜２２０８に伝送されているＯＡＭ情報は、ノードに対する命令などの各光伝送路固有の情報でないＯＡＭ情報と２２０１〜２２０８の各光伝送路のＯＡＭ情報とが時分割多重されている。
【０３６５】
情報処理装置２２３４から出力されたＯＡＭ信号は、８個の１．５５μｍの波長の光送信器２２２５〜２２３２へ分配され、光信号に変換される。これらのＯＡＭ信号光は、光カップラ２２１７〜２２２４を用いて１．３１μｍの主信号光と重畳される。１．３１μｍの波長の主信号光と１．５５μｍの波長のＯＡＭ信号光とが重畳された光信号は各光伝送路２２０９〜２２１６へ入力される。
【０３６６】
このような構成を用いることにより、主信号光が光のまま通過する光ネットワーク・ノードからのＯＡＭ情報の伝送が可能となる。この光信号が伝送されるノードでは、第５３の発明の実施例で用いたノード１９２９を用いることにより、ＯＡＭ情報を得ることができる。その動作は、第５３の発明の実施例に詳細に説明してある。又、８本全ての光伝送路に、８本全ての光伝送路に関する情報及び光ネットワークのＯＡＭ情報を載せて伝送しているので、どこかの光伝送路に障害が発生した場合に於いても、受信ノード側でＯＡＭ信号光を得る光伝送路を障害が発生していない光伝送路へ切り替えてやることにより、ＯＡＭ信号を常に受け取ることができる。
【０３６７】
本発明は、この実施例に限定されるものではない。
【０３６８】
例えば、光重畳手段として、光カップラを用いたが、ＷＤＭカップラを用いて重畳しても、本発明は適用できる。
【０３６９】
又、主信号光に１．３１μｍの波長の光信号、ＯＡＭ信号光に１．５５μｍの波長の光信号を用いたが、それぞれの伝送、スイッチング等が可能であれば、他の波長の組み合わせを用いても本発明は適用できる。
【０３７０】
第５７の発明の実施例について図２３を用いて説明する。
【０３７１】
図２３は、本発明の一実施例を示すブロック図である。図２３に於いて、２３４６は光ネットワークノード（光ネットワーク装置）である。２３０１〜２３０８、２３０９〜２３１６は光伝送路で、主信号光を１．３１μｍの波長の光を用いて伝送し、ＯＡＭ信号光を１．５５μｍの波長を用いて伝送する。２３４４は光スイッチ回路網（光機能回路手段）である。光スイッチ回路網２３４４として、第１の発明の実施例で用いた光スイッチ回路網と同じ光スイッチ回路網１０２を用いることができる。２３４２は８入力光の内から１つの出力光を選択する光セレクタ（選択手段）であり、１×２光スイッチを３段接続して構成される１×８光スイッチを用いることができる。光スイッチとして、ＬｉＮｂＯ３の電気光学効果を利用した光スイッチを用いることができる。２３１７〜２３２４は、入力された光から１．３１μｍの波長の光と１．５５μｍの波長の光を分離するＷＤＭカップラ（ｍ個の光分離手段）であり、１．３１μｍの波長の光を光スイッチ回路網２３４４の方へ出力し、１．５５μｍの波長の光を光セレクタ２３４２の方へ出力するように接続する。２３２５〜２３３２は、入力された２つの光を１：１の結合率で結合して出力する方向性結合型光カップラ（ｍ個の光重畳手段）で、ここでは、光スイッチ回路網２３４４の光信号と光分岐器２３４１の出力端からの光信号との光カップラとして用いる。２３４３は１．５５μｍの波長の光を受信できる光受信器（光受信手段）である。２３４５は光ネットワークのＯＡＭ情報を処理する情報処理装置（情報処理手段）で、ワークステーションを用いる。２３４０は１．５５μｍの波長の光を送信する光送信器（光送信手段）である。２３４１は入力端へ入力された光信号を８分岐して出力する光分岐器（光分岐手段）であり、石英の光導波路を用いた方向性結合器による１入力２出力光分岐器を３段接続して構成される１入力８出力光分岐器を用いることができる。情報処理装置２３４５から出力されるＯＡＭ情報は、ノードに対する命令などの各光伝送路固有の情報でないＯＡＭ情報と２３０９〜２３１６の各光伝送路のＯＡＭ情報とが時分割多重されている。
【０３７２】
情報処理装置２３４５から出力されたＯＡＭ信号は１．５５μｍの波長の光送信器２３４６へ入力され、光信号に変換される。このＯＡＭ信号光は光分岐器２３４１により８分岐され、光カップラ２３２５〜２３３２を用いて１．３１μｍの主信号光と重畳される。１．３１μｍの波長の主信号光と１．５５μｍの波長のＯＡＭ信号光とが重畳された光信号は各光伝送路２３０９〜２３１６へ入力される。
【０３７３】
このような構成を用いることにより、主信号光が光のまま通過する光ネットワーク・ノードからのＯＡＭ情報の伝送が可能となる。送信の面では、複数の光伝送路に同じＯＡＭ信号光を送出しているので、どこかの光伝送路に障害が発生した場合に於いても、受信ノード側でＯＡＭ信号光を得る光伝送路を障害が発生していない光伝送路へ切り替えてやることにより、ＯＡＭ信号を常に他ノードへ伝送することができる。又、光分岐器２３４１を用いない場合、光送信器２３４１を光伝送路分（実施例の場合は８）用意しなければならないが、光分岐器で分岐する構成を用いていることより、光送信器の数が１つでよく、用いる光送信器の数を少なくすることができ、コスト削減になる。又、受信の面に関して光セレクタ２３４２を用いて、ＯＡＭ情報を得る光伝送路を選択することができるので、どこかの光伝送路に障害が発生した場合に於いても、光セレクタ２３４２を障害が発生していない光伝送路へ切り替えてやることにより、ＯＡＭ信号を常に受け取ることができる。例えば、今、光セレクタ２３４２は光伝送路２３０１からのＯＡＭ信号光を選択しているとする。光伝送路２３０１と２３０２に障害が発生した場合、光受信器２３４３に於いてＯＡＭ信号光を受信することができなくなってしまう。しかし、障害が発生していない光伝送路２３０８のＯＡＭ信号光を選択するように光セレクタ２３４２を切り替えてやることにより、ＯＡＭ光伝送路２３０８からＯＡＭ信号光を得ることができる。又、光セレクタ２３４２を用いない場合、光受信器２３４３を光伝送路分（実施例の場合は８本）用意しなければならないが、光セレクタで選択する構成を用いていることより、光受信器の数が１つでよく、用いる光受信器の数を少なくすることができ、コスト削減になる。
【０３７４】
本発明は、この実施例に限定されるものではない。
【０３７５】
例えば、実施例では、光分岐手段（光分岐器２３４１）として、石英の光導波路の方向性結合器を用いた光分岐器を用いたが、ＬｉＮｂＯ３等他の導波路の方向性結合を用いても、本発明は適用できる。また、方向性結合をもちいなくても、導波路のＹ分岐、ファイバの融着等、他の光分岐方法を用いても本発明は実現できる。
【０３７６】
又、主信号光に１．３１μｍの波長の光信号、ＯＡＭ信号光に１．５５μｍの波長の光信号を用いたが、それぞれの伝送、スイッチング等が可能であれば、他の波長の組み合わせを用いても本発明は適用できる。
【０３７７】
また、光重畳手段として、光カップラを用いたが、ＷＤＭカップラを用いて重畳しても、本発明は適用できる。
【０３７８】
また、実施例では、選択手段（光セレクタ１９２５）として、ＬｉＮｂＯ３の光セレクタを用いたが、他の電気光学効果や音響光学効果を用いた光スイッチや、プリズムを電磁石で偏向させるような機械式光スイッチ等の光スイッチであれば、本発明は適用できる。
【０３７９】
また、光分離手段として、ＷＤＭカップラを用いたが、光分離手段として、偏向制御器と偏光スプリッタを用いても本発明は適用できる。その場合、主信号をＴＥ偏向、ＯＡＭ情報を伝送する光信号をＴＭ偏向を用いて偏波多重して伝送し各ブロックを偏波保持ファイバで接続し、ＴＭ偏向の光のみを抽出してＯＡＭ情報を得る。偏光制御器としては、ファイバに圧力をかけ偏光を変えて制御する装置を用いることができ、偏光スプリッタとしては、例えばＬｉＮｂＯ３はこのような複屈折性を持つ結晶を用いることにより実現できる。
【０３８０】
第５８の発明の実施例について、図２４を用いて説明する。図２４は、本発明の一実施例を示すブロック図である。図２４に於いて、２４４６は光ネットワークノード（光ネットワーク装置）である。２４３３〜２４４０は光受信器（ｍ個の光受信手段）で、２４４１は電気のセレクタ（選択手段）である。第５７の実施例を示す図２３に於いて、光セレクタ２３４２と光受信器２３４３とを用いる代わりに、光受信器２４３３〜２４４０（ｍ個の光受信手段）と電気のセレクタ２４４１（選択手段）を用いることにより、図２４のような実施例であるノード２４４６を構成することができる。これらの８個の光受信器と電気のセレクタを用いた構成は、第５４の発明の実施例の説明と同様である。残りの部分については第５７の実施例で説明した。
【０３８１】
第５９の発明の実施例について、図２５を用いて説明する。図２５は、本発明の一実施例を示すブロック図である。図２５に於いて２５４６は光ネットワークノード（光ネットワーク装置）である。２５３３〜２５４０は光送信器（ｍ個の光送信手段）、２５４１は電気の分岐器（分岐手段）である。第５７の実施例を示す図２３に於いて、光分岐器２３４１と光送信器２３４０とを用いる代わりに、光送信器２５３３〜２５４０（ｍ個の光送信手段）と電気の分岐器２５４１（分岐手段）を用いることにより、図２５のような実施例を構成することができる。これらの８個の光送信器と１個の分岐器を用いた構成は、第５６の発明の実施例の説明と同様である。残りの部分については第５７の実施例で説明した。
【０３８２】
第６０の発明の実施例について、図２６を用いて説明する。図２６は、本発明の一実施例を示すブロック図である。図２６に於いて２６４６は光ネットワークノード（光ネットワーク装置）である。２６３３〜２６４０は光送信器、２６４１は電気の分岐器である。第５８の実施例を示す図２４に於いて光分岐器２３４１と光送信器２３４０とを用いる代わりに、光送信器２６３３〜２６４０（ｍ個の光送信手段）と電気の分岐器２６４１（分岐手段）を用いることにより、図２６のような実施例を構成することができる。これらの８個の光送信器と１個の分岐器を用いた構成は、第５６の発明の実施例の説明と同様である。残りの部分については第５８の実施例で説明した。
【０３８３】
第６１の発明の実施例について、図２７を用いて説明する。
【０３８４】
図２７は、本発明の一実施例を示すブロック図である。図２７に示すように、第１の光ネットワーク装置として、第５５の発明の実施例に示したノード２１２９を用いることができる。第２の光ネットワーク装置として、第５３の発明の実施例に示したノード１９２９を用いることができる。主信号光は、ノード２１２９、ノード１９２９に於いて、光電変換されることなく、光信号のまま通過する。第１群に属する波長の光信号として、１．３１μｍの波長の光信号、第２群に属する波長として１．５５μｍの波長を用いることができる。
【０３８５】
情報処理装置２１２７からのＯＡＭ情報は光送信器２１２６へ入力され、１．５５μｍの波長の光信号に変換される。その光信号は、光分岐器２１２５へ入力され８分岐される。分岐されたＯＡＭ信号光は、それぞれ光カップラ２１１７〜２１２４へ入力され、１．３１μｍの波長の主信号光と重畳される。ノード１９２９へ到着した光信号は、ＷＤＭカップラ１９１７〜１９２５へ入力され、１．３１μｍの波長の主信号光は光スイッチ回路網１９２８へ入力され、１．５５μｍの波長のＯＡＭ信号光は、光セレクタ１９２５へ入力される。光セレクタ１９２５により、１つのＯＡＭ信号光を選択し、光受信器１９２６へ入力する。光受信器１９２６で電気信号に変換され、情報処理装置１９２７へ入力される。このようにして、光信号のまま通過するノードに於いて、ＯＡＭ情報の伝達を行うことが可能となる。
【０３８６】
本発明はこの実施例に限定されるものではない。
【０３８７】
例えば、実施例では光送信器２１２６の光信号を光分岐器２１２５を用いて分岐する構成を用いたが、光送信器２１２６へ入力される前の電気のＯＡＭ信号を電気の分岐器で分岐し、分岐した信号をそれぞれ８個の光送信器へ入力して、８つのＯＡＭ信号光を生成しても、光本発明は適用できる。
【０３８８】
例えば、実施例では、第２の光ネットワーク装置に於いて、光セレクタを用いてＯＡＭ信号光を選択する構成を用いたが、光伝送路分の個数の光受信器を用いて全てのＯＡＭ信号光を受信し、受信信号を電気のセレクタで選択する構成を用いても、本発明は適用できる。
【０３８９】
第６２の発明の実施例について、図２８を用いて説明する。
【０３９０】
図２８は、本発明の一実施例を示すブロック図である。図２８に示すように、第６１の発明の実施例で用いた図２７の構成に於いて、ノード２１２９中の光分岐器２１２５を用いる代わりに光セレクタ１９２５を用い、ノード１９２９中の光セレクタ１９２５を用いる代わりに光分岐器２１２５を用いる構成を使用することができる。２８２９は光ネットワークノード（第１の光ネットワーク装置）で、２８３０は光ネットワークノード（第２の光ネットワーク装置）である。第１群に属する波長として１．３１μｍの波長、第２群に属する波長として１．５５μｍの波長を用いることができる。
【０３９１】
ノード２８２９に於いて、情報処理装置２１２７からのＯＡＭ情報は光送信器２１２６へ入力され、１．５５μｍの波長の光信号に変換される。その光信号は、光セレクタ１９２５へ入力される。光セレクタ１９２５により、ＯＡＭ信号光を伝送する光伝送路を選択し、光カップラ２１１７〜２１２４のいづれかへ入力され、１．３１μｍの波長の主信号光と重畳される。ノード２８３０へ到着した光信号は、ＷＤＭカップラ１９１７〜１９２５へ入力され、１．３１μｍの波長の主信号光は光スイッチ回路網１９２８へ入力され、１．５５μｍの波長のＯＡＭ信号光は、光分岐器２１２５を通り光受信器１９２６で電気信号に変換され、情報処理装置１９２７へ入力される。このようにして、光信号のまま通過するノードに於いて、ＯＡＭ情報の伝達を行うことが可能となる。
【０３９２】
本発明はこの実施例に限定されるものではない。
【０３９３】
例えば、実施例では光送信器２１２６の光信号を光セレクタ１９２５を用いて選択する構成を用いたが、光送信器２１２６へ入力される前の電気のＯＡＭ信号を送出する光伝送路を電気のセレクタで選択し、ＯＡＭ信号を選択した光伝送路に接続された光送信器へ入力して、ＯＡＭ信号光を伝送しても、本発明は適用できる。
【０３９４】
第６３の発明の実施例について、第６１の発明の実施例を示す図２７を用いて説明する。図２７は、本発明の一実施例を示すブロック図である。図２７に於いて、光セレクタ１９２５として、例えば２５ｍｓｅｃ毎に順番に選択する対象を切り替えるような制御機構を持つものを用いる。送信ノード２１２９に於いて、光送信器２１２６へ入力する信号として、２０ｍｓｅｃ毎の異なる光伝送路に対するＯＡＭ情報を用意し、光セレクタの切り替えとフレーミングとに必要な時間（５ｍｓｅｃ）を各ＯＡＭ情報の間に挿入して、ノード１９２９へ送出する。ノード１９２９では、各光伝送路からの時分割多重されたＯＡＭ情報を光セレクタの切り替えのタイミングと同期させるために、光セレクタへ入力される直前で、ファイバ遅延線を挿入し、送信ノード２１２９で時分割多重されたＯＡＭ情報を分離して受信できるように遅延量を調整するものとする。そうすると、送信ノード２１２９で、２５ｍｓｅｃ周期で他の光伝送路のＯＡＭ情報を送出するＯＡＭ信号光を、受信ノード１９２７でも、２５ｍｓｅｃ周期で光セレクタ１９２５を切り替えて、各光伝送路のＯＡＭ情報を得ることができる。
【０３９５】
このような方法を用いることにより、全ての光伝送路に於いてＯＡＭ情報の伝送が可能であり、又、各光伝送路のＯＡＭ信号光の受信光パワーを観測することにより、全ての光伝送路の監視を行うことができる。
【０３９６】
本発明は、この実施例に限定されるものではない。
【０３９７】
例えば、実施例では２５ｍｓｅｃ毎に光セレクタ１９２５を切り替えたが、送信ノード２１２９で生成するＯＡＭ信号光のフレーム構成が、３０ｍｓｅｃ毎に各光伝送路のＯＡＭ情報を載せるようにしてあれば、光セレクタ１９２５は、光セレクタの切り替えとフレーミングとに必要な時間（５ｍｓｅｃ）を合わせ込んで、３５ｍｓｅｃ毎に光セレクタ１９２５を切り替えることにより、本発明は適用できる。
【０３９８】
第６４の発明の実施例について、第６２の発明の実施例を示す図２８を用いて説明する。図２８は、本発明の一実施例を示すブロック図である。図２８に於いて、光セレクタ１９２５を例えば２５ｍｓｅｃ毎に順番に選択する対象を切り替えるような制御機構を持つ。送信ノード２８２９に於いて、光送信器２１２６へ入力する信号として、２０ｍｓｅｃ毎の異なる光伝送路に対するＯＡＭ情報を用意し、光セレクタ１９２５の切り替えとフレーミングとに必要な時間（５ｍｓｅｃ）を各ＯＡＭ情報の間に挿入して、ノード２８３０へ送出する。ノード２８３０では、各光伝送路からの時分割多重されたＯＡＭ情報を光セレクタ１９２５の切り替えのタイミングと同期させるために、光セレクタ１９２５へ入力される直前で、ファイバ遅延線を挿入し、送信ノード２８２９で時分割多重されたＯＡＭ情報を分離して受信できるように遅延量を調整するものとする。そうすると、送信ノード２８２９で、２５ｍｓｅｃ周期で切り替えて送出されるＯＡＭ信号光を受信ノード２８３０でも、２５ｍｓｅｃ周期で切り替えて、各光伝送路のＯＡＭ情報を得ることができる。
【０３９９】
このような方法を用いることにより、全ての光伝送路に於いてＯＡＭ情報の伝送が可能であり、又、各光伝送路のＯＡＭ信号光の受信光パワーを観測することにより、全ての光伝送路の監視を行うことができる。
【０４００】
本発明は、この実施例に限定されるものではない。
【０４０１】
例えば、実施例では２５ｍｓｅｃ毎に光セレクタ１９２５を切り替えたが、送信ノード２８２９で生成するＯＡＭ信号光のフレーム構成が、３０ｍｓｅｃ毎に各光伝送路のＯＡＭ情報を載せるようにしてあれば、光セレクタ１９２５は、光セレクタ１９２５の切り替えとフレーミングとに必要な時間（５ｍｓｅｃ）を合わせ込んで、３５ｍｓｅｃ毎に光セレクタ１９２５を切り替えることにより、本発明は適用できる。
【０４０２】
第６５の発明の実施例について、図２７、図２９を用いて説明する。図２７は本発明の一実施例を示すブロック図であり、図２９は本発明に関わるフローチャートを示す図である。
【０４０３】
第６５の発明の実施例としての、第６１の発明の実施例で用いた図２７に於いて、情報処理装置１９２７は、光受信器１９２６が正常に受信しているか否かを判断し（図２９に於いて２９０１）、正常に受信していなければ、他の光伝送路からのＯＡＭ信号光を受信するように光セレクタ１９２５を切り替える命令を光セレクタ１９２５へ出す（図２９に於いて２９０２）ようにする。そのアルゴリズムは、図２９に示すようなものとなる。このような方法を用いることにより、光信号のまま通過するノードに於いても、光伝送路障害に対応したＯＡＭを行うことができる。
【０４０４】
本発明は、この実施例に限定されるものではない。
【０４０５】
例えば、実施例では、図２７に於いて光分岐器２１２５と光送信器２１２６を用いたが、電気の８分岐器と、８台の光送信器を８分岐器の出力端に接続したシステムを用いても、本発明は適用できる。
【０４０６】
第６６の発明の実施例について、図２９、図３０を用いて説明する。図２９は本発明に関わるフローチャートを示す図であり、図３０は、本発明の一実施例を示すブロック図である。
【０４０７】
図３０は、図２８に於いて、光送信器２８３１、光カップラ２８３２、光伝送路２８３２、ＷＤＭカップラ２８３３、光受信器２８３４を付加したもので、このシステムを第６６の発明に適用することができる。ＷＤＭカップラ２８３３は、１．３１μｍの波長の光信号を光スイッチ回路網２１２８の方へ出力し、１．５５μｍの波長の光を光受信器２８３４の方へ出力するように接続する。ノード２８３０からノード２８２９へＯＡＭ情報を伝送したい場合、情報処理装置１９２７からのＯＡＭ信号を光送信器２８３１で光信号に変換し、ＷＤＭカップラ２８３２に於いて１．３１μｍの波長の主信号光と１．５５μｍの波長のＯＡＭ信号光とを重畳する。重畳された光信号は光伝送路２８３２へ入力され、ノード２８２９へ伝送される。ノード２８２９ではＷＤＭカップラ２８３３へ入力され、１．５５μｍのＯＡＭ信号光を光受信器２８３４で受信し、情報処理装置２１２７へＯＡＭ情報を伝達する。このようにして、ノード２８３０からノード２８２９へのＯＡＭ回線が構成される。
【０４０８】
図２９のフローチャートを用いて、本発明の動作について説明する。図３０に於いて、１９２７は、図３０の光受信器１９２６が正常に受信しているか否かを判断し（図２９に於いて２９０１）、正常に受信していなければ、ノード２８３０からノード２８２９へのＯＡＭ回線を用い、他の光伝送路からのＯＡＭ信号光を受信するように光セレクタ１９２５を切り替える命令を光セレクタ１９２５へ出す（図２９に於いて２９０２）ようにする。光伝送路１９２６が正常に受信していれば、開始（２９００）へ戻る。
【０４０９】
本発明は、この実施例に限定されるものではない。
【０４１０】
例えば、実施例では、図２８に於いて光セレクタ１９２５と光送信器２１２６を用いたが、電気のセレクタと、８台の光送信器を電気のセレクタに接続したシステムを用いても、本発明は適用できる。
【０４１１】
第６７の発明の実施例について図３１、図３２を用いて説明する。
【０４１２】
図３１は、本発明の第１の一実施例を示すブロック図である。第６７の発明の実施例として、図３１のように、第５３の発明の実施例として用いた図１９のノード構成を改造したものを用いることができる。図３１において、３１２９は光ネットワークノードを表す。３１０９〜３１１６は、光信号の状態を判断するための光受信器（ｍ個の光信号判定手段）であり、ここでは断検出のみを行うため、光パワーのみをモニタする簡易な光受信器を用いることができる。３１０１〜３１０８は、光を入力すると５：９５にパワーが分岐されて出力される光カップラ（ｍ個の第２の光分離手段）であり、ここでは、入力光の５％程度の光パワーが得られる出力端を光受信器３１０９〜３１１６に接続し、入力光の９５％程度の光パワーが得られる出力端を情報処理装置１９２７に接続する。１９１７〜１９２４は、１．３１μｍの波長と１．５５μｍの波長とを分離するＷＤＭカップラ（ｍ個の第１の光分離手段）で、１．３１μｍの波長の光を光スイッチ回路網１９２８の方へ出力し、１．５５μｍの波長の光を光カップラ３１０１〜３１０８の方へ出力する。
【０４１３】
第５３の発明の実施例である図１９の構成では、光セレクタ１９２５を用いてどれかの光信号を選択するので、光伝送路１９０１〜１９０８を伝送される各光信号の状態を観測できなかった。しかし、図３１のような構成を用いることにより、光セレクタへ入力される前に１９０１〜１９０８の各光伝送路を伝送されてきた光信号を一部分岐して、光受信器３１０９〜３１１６へ入力することができ、１９０１〜１９０８の各光伝送路を伝送されてきたＯＡＭ信号光の状態（正常に受信してるか否か）を観測することができる。光伝送路の断線などの障害の場合は、主信号光の受信状態とＯＡＭ信号光の受信状態はほぼ比例するので、光信号のまま通過するノード３１２９に於いて、主信号光の状態を擬似的に観測することができ、又、光伝送路の断検出を行うことができる。
【０４１４】
本発明は、この実施例に限定されるものではない。
【０４１５】
例えば、光信号の状態を判断する光信号判定手段として、光パワーだけを検出する簡易な光受信器を用いたが、ビット誤り率まで観測できる光受信器を用いても、本発明は適用できる。
【０４１６】
次に、本発明の第２の実施例について、図３２を用いて説明する。
【０４１７】
図３２は、本発明の第２の実施例を示すブロック図である。図３２に於いて３２２９は光ネットワークノード（光ネットワーク装置）を表す。図３２は、第６７の発明の実施例の図３１に於いて光スイッチ回路網１９５８の位置とＷＤＭカップラ１９１７〜１９２４以下に接続されている部分を左右逆に入れ替えたものである。図３１に比べて配置が異なるだけであり、その他の詳細な説明は、第１の実施例と同様である。
【０４１８】
第６８の発明の実施例について、図３３、図３４を用いて説明する。図３３は本発明の一実施例を示すブロック図であり、図３４は本発明を実現するために、本発明のノードで授受を行うＯＡＭ信号光の転送フレームの一例を表す。
【０４１９】
図３３は、第１の発明の第２の実施例の構成を改造したものであり、図２中の光受信器１０１（光受信手段）と情報処理装置１０５（情報処理手段）の間に、時分割多重分離装置３３０１（情報分離手段）、パケット処置装置３３０２（第２群のプロトコル処理手段）、ビット情報処理装置３３０３（第１群のプロトコル処理手段）を挿入したものである。時分割多重分離装置３３０１は、ビットのフレーミングバイトからの相対的位置と値がＯＡＭ情報であるバイトをビット情報処理装置３３０３の方へ出力し、パケット転送を行っているバイトをパケット処理装置３３０２の方へ出力する。パケット処置装置３３０２は、Ｘ．２５に基ずくプロトコル（第２群のプロトコル）の処理を行う。ビット情報処理装置３３０３は、転送フレーム時間軸上でのビットの位置と値を認識し、ＯＡＭ情報処理に用いる変数へ値を格納する処理を行う（第１群のプロトコル）。時分割多重分離装置３３０１、ビット情報処理装置３３０３、パケット処理装置３３０２としては、ＳＤＨの光信号終端装置（Ｏｐｔｉｃａｌ  Ｌｉｎｅ  Ｔｅｒｍｉｎａｔｏｒｓ  ａｎｄ  Ｍｕｌｔｉｐｌｅｘｅｒｓ）に含まれる装置を用いることができる。
【０４２０】
第１の発明の第２の実施例と同様に、主信号は１．３１μｍ、ＯＡＭ信号光は１．５５μｍの波長の光で伝送している系を用いる。１．３１μｍの波長の主信号光の伝送フレームとして、ＳＤＨの伝送フレームを用いることができる。１．５５μｍの波長のＯＡＭ信号光の伝送フレームとしては、図３４に示す伝送フレームを用いることができる。図３４に於いて、３４００は転送フレームを表し、横軸は時間を表す。３４０１はフレーミングバイトであり、フレームの始まりを認識するために１１０１０１１０等のある固定パターンのビット列を持つ。３４０２は、光伝送路の状態を表したり、スイッチング命令を転送するバイトであり、ビットのフレーム上での位置と値が意味（以下、ビット情報と呼ぶ）を持つ。第１ビットは、１ならば光伝送路は正常であり、０ならば光伝送路が遮断されていることを表す。その他、第２ビットと第３ビットの組み合わせで情報を表す。例えば、第２ビットが０で第３ビットが１であるならば、現在使用している現用光伝送路から予備光伝送路に切り替える命令を表すものを用いる。ビット情報を持つバイト３４０２には、簡単な制御で行える網障害回復に必要な、光伝送路の情報や、光スイッチ回路網の切り替え命令等が格納される。３４０３は、パケットを転送する領域であり、Ｘ．２５のプロトコルによるパケットが載せられる。パケットを用いる回線は、複雑な制御情報のやり取りを必要とする情報や、隣接ノードに対する命令でないＯＡＭ情報や、緊急でないＯＡＭ情報のやり取りを行う回線として用いる。例えば、遠隔操作により光スイッチ回路網を切り替えて光信号の通る経路を変える命令の授受を行う回線として用いる。
【０４２１】
光伝送路１０３には、主信号光とＯＡＭ信号光が重畳された光信号が伝送されている。ノード３３００へ到着すると、ＷＤＭカップラ２０４により１．３１μｍの波長の主信号光は光スイッチ回路網１０２へ伝送され、１．５５μｍの波長のＯＡＭ信号光は光受信器１０１へ入力される。光受信器１０１へ入力された光信号は、電気信号に変換され、図３４に示すフレーミング・バイト３４０１を検出し、フレーム同期を行う。その後、ＯＡＭ信号を時分割多重分離装置３３０１へ入力し、ビット情報を持つバイトをビット情報処理装置３３０３の方へ出力し、パケット転送を行っているバイトをパケット処理装置３３０２の方へ出力する。パケット処理装置３３０２では、このパケット伝送で用いているプロトコル（Ｘ．２５）の処理を行いＯＡＭ情報を得て、情報処理装置１０５へＯＡＭ情報を引き渡す。ビット情報処理装置３３０３では、「ビットの位置と値がＯＡＭ情報であるバイト」の第１ビットの内容を変数Ｘ１に格納し、第２ビットの内容を変数Ｘ２に格納し、第３ビットの内容を変数Ｘ３に格納し、情報処理装置１０５へＯＡＭ情報を引き渡す。
【０４２２】
図３３のような光ネットワークノード構成を用いることにより、光信号のまま通過するノード３３００に於いて、ＯＡＭ信号を得ることができる。図３４のようなフレーム構成を用いているので、急を要するＯＡＭ情報であるビット情報とそんなに急を要しないパケット情報を分離してＯＡＭ情報を得ることにより、より効率的なＯＡＭを行うことができる。例えば、現用光伝送路から現用光伝送路と同じ経路を通っている予備光伝送路へ障害回復のような比較的簡単な障害回復の場合は、バイト３４０２の持つビット情報のみにより障害回復を行うと、情報がビットの位置とその値のみにより伝送され、パケット通信の処理に時間がかるプロトコルを通ってないことにより、ＯＡＭ情報の転送速度が早く、より速い障害回復が可能となる。
【０４２３】
本発明は、この実施例に限定されるものではない。
【０４２４】
例えば、実施例では、第１群のプロトコル処理手段としてパケット処理装置３３０２を用いているが、フレーム・リレーのセルやＡＴＭのセルを組み立て処理する装置を用いても、本発明は適用できる。
【０４２５】
又、実施例では、第２群のプロトコル処理手段としてビット情報処理装置３３０３を用いているが、フレーム・リレーのセルやＡＴＭのセルを組み立て処理する装置を用いても、本発明は適用できる。
【０４２６】
又、実施例では、光スイッチ回路網１０２の入力端にＷＤＭカップラ２０４の出力端を接続した構成を用いたが、光スイッチ回路網１０２の出力端にＷＤＭカップラ２０４の入力端を接続した構成を用いても、光機能回路手段とＯＡＭ信号光を重畳する位置を入れ替えただけなので、本発明は適用できる。
【０４２７】
第６９の発明の実施例について、図３３、図３４を用いて説明する。図３３は、本発明の一実施例を示すブロック図であり、図３４は本発明の実施実施例に係る、ＯＡＭ信号の転送フレームの一例である。
【０４２８】
第６９の発明は、第６８の発明に於いて、第１群のプロトコル処理手段として、ビットの相対的位置、及びビットの値や複数ビットの組み合わせが前記ネットワークの運用、管理、及び保守情報を持つプロトコルを処理するプロトコル処理手段に限定するものであり、本発明の実施例として、第６８の発明の実施例を用いることができ、説明は第６８の実施例と同様である。
【０４２９】
本発明に於いては、ビットのフレーミングバイトからの相対的位置、及びビットの値や複数ビットの組み合わせが前記ネットワークの運用、管理、及び保守情報を持つようにすることにより、複雑なプロトコル処理を介さない分、速いＯＡＭ情報の転送が可能となり、障害回復等の急な対応が必要なＯＡＭを速く行い、それほど急な対応が必要でないＯＡＭは、より機能性の高いプロトコルを用いて転送することができ、光信号のまま主信号が通過するノードで、より効率的なＯＡＭを行うことができる。
【０４３０】
第７０の発明の実施例について、図３４、図３５を用いて説明する。図３５は本発明の一実施例を示すブロック図であり、図３４はそのノードにおいて転送される信号の転送フレームの一例である。
【０４３１】
図３５に於いて、３５００は光ネットワークノード（光ネットワーク装置）である。図３５は、第３の発明の実施例の構成を示す図３を改造したものであり、図３中の光送信器３０１（光送信手段）と情報処理装置３０５（情報処理手段）の間に、時分割多重装置３５０１（情報重畳手段）、パケット処置装置３５０２（第２群のプロトコル処理手段）、ビット情報処理装置３５０３（第１群のプロトコル処理手段）を挿入したもので、本発明の実施例として用いることができる。第３の発明の実施例と同様に１．３１μｍの波長の光信号が主信号として、光伝送路を伝送されており、１．５５μｍの波長の光信号をＯＡＭ信号光として用いる。パケット処理装置３５０２は、Ｘ．２５に基づくプロトコル（第２群のプロトコル）の処理を行う。ビット情報処理装置３３０３は、ＯＡＭ情報処理に用いる変数へ値を格納する処理を行う（第１群のプロトコル）。時分割多重装置３５０１、ビット情報処理装置３５０３、パケット処理装置３５０２としては、ＳＤＨの光信号終端装置（Ｏｐｔｉｃａｌ  Ｌｉｎｅ  Ｔｅｒｍｉｎａｔｏｒｓａｎｄ  Ｍｕｌｔｉｐｌｅｘｅｒｓ）に含まれる装置を用いることができる。第１の発明の第２の実施例と同様に、主信号は１．３１μｍ、ＯＡＭ信号光は１．５５μｍの波長の光で伝送している系を用いる。１．３１μｍの波長の主信号光の伝送フレームとして、ＳＤＨの伝送フレームを用いることができる。１．５５μｍの波長のＯＡＭ信号光の伝送フレームとしては、図３４に示す伝送フレームを用いることができる。その詳細な説明は、第６８の発明の実施例にて説明した。
【０４３２】
情報処理装置３０５が発生したＯＡＭ情報の内、ビットやバイトのままで転送する情報をビット情報処理装置３５０３へ入力し、パケットにして転送する情報をパケット処理装置３５０２へ入力する。ビット情報処理装置３５０３では、ある変数で入ってきた情報をビット列に変換し、その情報の入るべき時間軸上の相対的位置へ値を格納する（第１群のプロトコル）。パケット処理装置３５０２では、入力された信号を分割しパケットに変換する。時分割多重装置３５０１には、ビット情報処理装置３５０３とパケット処理装置３５０２とからの信号が入力され、受信ノードでのフレーミングに用いるフレーミングバイト３４０１を付加し、図３４に示す転送フレーム３４００を構成する。この転送フレーム３４００は、光送信器３０１へ入力され、１．５５μｍの波長の光信号に変換される。このＯＡＭ信号光は、ＷＤＭカップラ３０４へ入力され、光スイッチ回路網３０２から出力された１．３１μｍの波長の主信号光と重畳されて、光伝送路３０３へ伝送される。このようにＯＡＭ信号光と主信号光とが重畳された光信号は、第６８の発明の実施例である図３３に示すノードを用いることにより、ＯＡＭ信号光をそのノードにて得ることができる。
【０４３３】
図３５のような光ネットワークノード構成を用いることにより、光信号のまま通過するノード３５００に於いて、ＯＡＭ信号を他ノードへ送ることができる。図３４のようなフレーム構成を用いているので、急を要するＯＡＭ情報であるビット情報とそんなに急を要しないパケット情報を分離してＯＡＭ情報を得ることにより、より効率的なＯＡＭを行うことができる。例えば、現用光伝送路から現用光伝送路と同じ経路を通っている予備光伝送路へ障害回復のような比較的簡単な障害回復の場合は、バイト３４０２の持つビット情報のみにより障害回復を行うと、情報がビットの位置及びその値のみにより伝送され、パケット通信の処理に時間がかるプロトコルを通ってないことにより、ＯＡＭ情報の転送速度が早く、より速い障害回復が可能となる。
【０４３４】
本発明は、この実施例に限定されるものではない。
【０４３５】
例えば、実施例では、第１群のプロトコル処理手段としてパケット処理装置３５０２を用いているが、フレーム・リレーのセルやＡＴＭのセルを組み立て処理する装置を用いても、本発明は適用できる。
【０４３６】
又、実施例では、第２群のプロトコル処理手段としてビット情報処理装置３５０３を用いているが、フレーム・リレーのセルやＡＴＭのセルを組み立て処理する装置を用いても、本発明は適用できる。
【０４３７】
又、実施例では、光スイッチ回路網３０２の出力端に光カップラ３０４の入力端を接続した構成を用いているが、光スイッチ回路網３０２の入力端に光カップラ３０４の出力端を接続した構成を用いても、光機能回路手段とＯＡＭ信号光を重畳する位置を入れ替えただけなので、本発明は適用できる。
【０４３８】
第７１の発明の実施例について、図３４、図３５を用いて説明する。
【０４３９】
図３５は、本発明の一実施例を示すブロック図であり、図３４は本発明を実施するに辺り、用いるＯＡＭ信号の転送フレームの一例である。第７１の発明は、第７０の発明に於いて、第１群のプロトコル処理手段として、ビットのフレーミングバイトからの相対的位置、及びビットの値や複数ビットの組み合わせが前記ネットワークの運用、管理、及び保守情報を持つプロトコルを処理するプロトコル処理手段に限定するものであり、本発明の実施例は、第７０の発明の実施例の説明と同様である。
【０４４０】
本発明に於いては、ビットのフレーミングバイトからの相対的位置、及びビットの値や複数ビットの組み合わせが前記ネットワークの運用、管理、及び保守情報を持つようにすることにより、複雑なプロトコル処理を介さない分、速いＯＡＭ情報の転送が可能となり、障害回復等の急な対応が必要なＯＡＭを速く行い、それほど急な対応が必要でないＯＡＭは、より機能性の高いプロトコルを用いて転送することができ、光信号のまま主信号が通過するノードで、より効率的なＯＡＭを行うことができる。
【０４４１】
第７２の発明の実施例について、図３６と図３７を用いて説明する。図３６は、本発明の一実施例を示すブロック図であり、図３７は本発明を実現するためにそのノードを転送されるＯＡＭ信号の転送フレームの一例である。
【０４４２】
図３６に於いて、３６００は光ネットワークノード（光ネットワーク装置）である。図３６は、第５３の発明の実施例で用いた図１９の構成に於いて、光受信器１９２６と情報処理装置１９２７（情報処理手段）の間に、時分割多重分離装置３６０１（情報分離手段）、パケット処理装置３３０２（第１群のプロトコル処理手段）、ビット情報処理装置３６０３〜３６１０（第２群のプロトコル処理手段）が接続される構成を用いることができる。３６２０は光受信器１９２６と光セレクタ１９２５からなる「選択光受信手段」である。ビット情報処理装置３６０３〜３６１０は、ＯＡＭ情報処理に用いる変数へ値を格納する処理を行う（第２群のプロトコル）。時分割多重分離装置３６０１は、ビット情報を持つバイトをビット情報処理装置３６０３〜３６１０の方へ出力し、パケット転送を行っているバイトをパケット処理装置３６０２の方へ出力する。パケット処置装置３６０２は、Ｘ．２５に基づくプロトコル（第１群のプロトコル）の処理を行う。時分割多重分離装置３６０１、ビット情報処理装置３６０３〜３６１０、パケット処理装置３３０２としては、ＳＤＨの光信号終端装置（Ｏｐｔｉｃａｌ  Ｌｉｎｅ  Ｔｅｒｍｉｎａｔｏｒｓ  ａｎｄ  Ｍｕｌｔｉｐｌｅｘｅｒｓ）に含まれる装置を用いることができる。
【０４４３】
第５３の発明の実施例と同様に、主信号は１．３１μｍ、ＯＡＭ信号光は１．５５μｍの波長の光で伝送している系を用いる。１．３１μｍの波長の主信号光の伝送フレームとして、ＳＤＨの伝送フレームを用いることができる。１．５５μｍの波長のＯＡＭ信号光の伝送フレームとしては、図３７に示す伝送フレームを用いることができる。図３７に於いて、３７００は転送フレームを表し、横軸は時間を表す。３７０９はフレーミングバイトであり、フレームの始まりを認識するために１１０１０１１０等のある固定パターンのビット列を持つ。３７０１〜３７０８は、１９０１〜１９０８の各光伝送路の状態を表すバイトであり、光伝送路１９０１に関するＯＡＭ情報はバイト３７０１に対応し、光伝送路１９０２はバイト３７０２．．．と、各ＯＡＭ情報と各光伝送路は対応する。３７０１〜３７０８の各バイトが持つ情報は、第６８の実施例の説明で用いた図３４の転送フレーム中の「ビットの値と位置がＯＡＭ情報であるバイト」３４０２と同様である。パケット転送バイト３７１０は、第６８の発明の実施例で説明したパケット転送バイト３４０３と同じようにＸ．２５のプロトコルによるパケット通信を行う。
【０４４４】
光受信器１９２５へＯＡＭ信号光が入力されるまでの動作は、第５３の発明の実施例の動作の説明と同様である。光受信器１９２６へ入力された光信号は、電気信号に変換され、図３７に示すフレーミング・バイト３７０９を検出し、フレーム同期を行う。その後、ＯＡＭ信号を時分割多重分離装置３６０１へ入力し、ビット情報を持つバイトをビット情報処理装置３６０３〜３６１０の方へ出力し、パケット転送を行っているバイトをパケット処理装置３３０２の方へ出力する。パケット処理装置３３０２では、このパケット伝送で用いているプロトコル（Ｘ．２５）の処理を行いＯＡＭ情報を得て、情報処理装置１０５へＯＡＭ情報を引き渡す。ビット情報処理装置３６０３〜３６１０では、バイト３７０１の第１ビットの内容を変数Ｘ１１に格納し、第２ビットの内容を変数Ｘ１２に格納し、．．．、バイト３７０２の第１ビットの内容を変数Ｘ２１に格納し、．．．、バイト３７０８の第８ビットの内容を変数Ｘ８８に格納する等して、情報処理装置１９２７へ各光伝送路の持つＯＡＭ情報を引き渡す。
【０４４５】
図３６のような光ネットワークノード構成を用いることにより、光信号のまま通過するノード３６００に於いて、ＯＡＭ信号を得ることができる。図３７のようなフレーム構成を用いているので、急を要するＯＡＭ情報であるビット情報とそんなに急を要しないパケット情報を分離してＯＡＭ情報を得ることにより、より効率的なＯＡＭを行うことができる。例えば、現用光伝送路から現用光伝送路と同じ経路を通っている予備光伝送路へ障害回復のような比較的簡単な障害回復の場合は、バイト３７０１の持つビット情報のみにより障害回復を行うと、情報がビットの値のみにより伝送され、パケット通信の処理に時間がかるプロトコルを通ってないことにより、ＯＡＭ情報の転送速度が早く、より速い障害回復が可能となる。又、光セレクタ１９２５を用いてどれかの光伝送路を通ってきたＯＡＭ信号光を選択しても、常に光伝送路１９０１〜１９０８に必要なＯＡＭ情報を得ることができ、主信号系とは独立に、ＯＡＭ回線の障害回復を行うことができる。
【０４４６】
本発明は、この実施例に限定されるものではない。
【０４４７】
例えば、実施例では、第１群のプロトコル処理手段としてパケット処理装置３３０２を用いているが、フレーム・リレーのセルやＡＴＭのセルを組み立て処理する装置を用いても、本発明は適用できる。
【０４４８】
又、実施例では、第２群のプロトコル処理手段としてビット情報処理装置３６０３〜３６１０を用いているが、フレーム・リレーのセルやＡＴＭのセルを組み立て処理する装置を用いても、本発明は適用できる。
【０４４９】
又、実施例では、光スイッチ回路網１９２７の入力端にＷＤＭカップラ１９１７〜１９２４の出力端を接続した構成を用いたが、光スイッチ回路網１９２７の出力端にＷＤＭカップラ１９１７〜１９２４の入力端を接続した構成を用いても、光機能回路手段とＯＡＭ信号光を重畳する位置を入れ替えただけなので、本発明は適用できる。
【０４５０】
第７３の発明の実施例について、図３６、図３７を用いて説明する。
【０４５１】
図３６は本発明の一実施例を示すブロック図であり、図３７は本発明を実現するためにそのノードを転送されるＯＡＭ信号の転送フレームの一例である。第７３の発明は、第７２の発明に於いて、第２群のプロトコル処理手段として、ビットそのもの又は複数ビットの組み合わせそのものが前記ネットワークの運用、管理、及び保守情報を持つプロトコルを処理するプロトコル処理手段に限定するものであり、本発明の実施例は、第７２の発明の実施例の説明と同様である。
【０４５２】
本発明に於いては、ビットそのもの又は複数ビットの組み合わせそのものが前記ネットワークの運用、管理、及び保守情報を持つようにすることにより、複雑なプロトコル処理を介さない分、速いＯＡＭ情報の転送が可能となり、障害回復等の急な対応が必要なＯＡＭを速く行い、それほど急な対応が必要でないＯＡＭは、より機能性の高いプロトコルを用いて転送することができ、光信号のまま主信号が通過するノードで、より効率的なＯＡＭを行うことができる。
【０４５３】
第７４の発明の実施例について、図３７、図３８を用いて説明する。図３８は本発明の一実施例を示すブロック図であり、図３７は、本発明を実現するためにそのノードを転送されるＯＡＭ信号光の転送フレームである。
【０４５４】
図３８は、第５５の発明の実施例を示す図２１に於いて、光送信器２１２６と情報処理手段２１２７（情報処理手段）の間に、時分割多重装置３８０１（情報重畳手段）、パケット処理装置３８０２（第１群のプロトコル処理手段）、ビット情報処理装置３８０３〜３８１０（第２群のプロトコル処理手段）を挿入したものであり、この図３８の構成を第７４の発明の実施例として用いることができる。３８１１は光送信器２１２６と光分岐器２１２５からなる「光分岐送信手段」である。図３８の光伝送路２１０９に関するＯＡＭ情報をビット情報処理装置３８０３に入力させ図３７のバイト３７０１を生成し、光伝送路２１１０に関するＯＡＭ情報をビット情報処理装置３８０４に入力しバイト３７０２を生成し、．．．、光伝送路２１１６に関するＯＡＭ情報をビット情報処理装置３８１０に入力しバイト３７０８を生成する（第２群のプロトコル）。各バイトは、あるビットの時間軸上の相対的位置と値が意味を持つ。パケット通信で転送するＯＡＭ情報は、パケット処理装置３８０２へ入力しパケット転送バイト３７１０を生成する（第１群のプロトコル）。時分割多重装置３８０１に於いて、これらのバイトを時分割多重し、図３７の転送フレーム３７００を生成する。この後は、第５５の発明の実施例の説明と同様にして他ノードへＯＡＭ信号光が伝送される。この信号を受信したノードに於いては、第７２の発明の実施例で用いた図３６の構成を用いることによりＯＡＭ情報を得ることができる。
【０４５５】
図３８のような光ネットワークノード構成を用いることにより、光信号のまま通過するノード３８００に於いて、ＯＡＭ信号を他ノードへ送ることができる。図３７のようなフレーム構成を用いているので、急を要するＯＡＭ情報であるビット情報とそんなに急を要しないパケット情報を分離してＯＡＭ情報を得ることにより、より効率的なＯＡＭを行うことができる。例えば、現用光伝送路から現用光伝送路と同じ経路を通っている予備光伝送路へ障害回復のような比較的簡単な障害回復の場合は、バイト３７０１の持つビット情報のみにより障害回復を行うと、情報がビットの値のみにより伝送され、パケット通信の処理に時間がかるプロトコルを通ってないことにより、ＯＡＭ情報の転送速度が早く、より速い障害回復が可能となる。又、光伝送路２１０９〜２１１６の全ての光伝送路に、全ての光伝送路に関するＯＡＭ情報を持っているＯＡＭ信号を送っているので、どの光伝送路に障害が発生しても、ＯＡＭ情報の受け側で切り替えてやることにより、全ての光伝送路に関するＯＡＭ情報を得ることができる。
【０４５６】
本発明は、この実施例に限定されるものではない。
【０４５７】
例えば、実施例では、第１群のプロトコル処理手段としてパケット処理装置３５０２を用いているが、フレーム・リレーのセルやＡＴＭのセルを組み立て処理する装置を用いても、本発明は適用できる。
【０４５８】
又、実施例では、第２群のプロトコル処理手段としてビット情報処理装置３５０３を用いているが、フレーム・リレーのセルやＡＴＭのセルを組み立て処理する装置を用いても、本発明は適用できる。
【０４５９】
又、実施例では、光スイッチ回路網３０２の出力端に光カップラ３０４の入力端を接続した構成を用いているが、光スイッチ回路網３０２の入力端に光カップラ３０４の出力端を接続した構成を用いても、光機能回路手段とＯＡＭ信号光を重畳する位置を入れ替えただけなので、本発明は適用できる。
【０４６０】
第７５の発明の実施例について、図３７、図３８を用いて説明する。
【０４６１】
図３８は本発明の一実施例を示すブロック図であり、図３７は、本発明を実現するためにそのノードを転送されるＯＡＭ信号光の転送フレームである。第７５の発明は、第７４の発明に於いて、第２群のプロトコル処理手段として、ビットの時間軸上での相対的位置、及びビットの値や複数ビットの組み合わせの値が前記ネットワークの運用、管理、及び保守情報を持つプロトコルを処理するプロトコル処理手段に限定するものであり、本発明の実施例は、第７４の発明の実施例の説明と同様である。
【０４６２】
本発明に於いては、ビットの時間軸上の相対的位置、及びビットの値や複数ビットの組み合わせによる値が前記ネットワークの運用、管理、及び保守情報を持つようにすることにより、複雑なプロトコル処理を介さない分、速いＯＡＭ情報の転送が可能となり、障害回復等の急な対応が必要なＯＡＭを速く行い、それほど急な対応が必要でないＯＡＭは、より機能性の高いプロトコルを用いて転送することができ、光信号のまま主信号が通過するノードで、より効率的なＯＡＭを行うことができる。
【０４６３】
第７６の発明の実施例について、図３９を用いて説明する。
【０４６４】
図３９は本発明の一実施例を示すブロック図である。図３９に於いて、３９００は光ネットワークノード（光ネットワーク装置）を表す。１０２は第１の発明の実施例で用いた光スイッチ回路網１０２（光機能回路手段）である。３９０１、３９０２、３９０３は、他ノードと接続される光伝送路であり、これらの光伝送路には、ＳＤＨの転送フレームを用いた光信号が伝送されている。３９０７は光受信器（光受信手段）であり、光伝送路３９０１を通っている光信号の光レベルが落ちてないかをチェックする。１０４は光カップラ（光分離手段）で、第１の発明の実施例で用いたものと同じものを用いることができる。１０５は情報処理装置（情報処理手段）で、第１の発明の実施例で用いたものを用いることができる。３９０４は主信号発生器（信号出力装置）で、ＳＤＨの転送フレームのペイロードの信号を出力する。情報処理装置１０５から出力するＳＯＨの空きバイトには、光ネットワークのＯＡＭ情報が載せられており、ＳＤＨの装置を改造することにより実現することができる。３９０５は、情報処理装置１０５から受け取るＳＯＨ（Ｓｅｃｔｉｏｎ  Ｏｖｅｒｈｅａｄ）信号と主信号発生器３９０４からの出力信号とを重畳する時分割多重装置（信号重畳手段）であり、ＳＤＨの装置を用いることができる。３９０６は光送信器（光送信手段）であり、ＳＤＨの終端装置（Ｏｐｔｉｃａｌ  Ｌｉｎｅ  Ｔｅｒｍｉｎａｔｏｒｓ  ａｎｄ  Ｍｕｌｔｉｐｌｅｘｅｒｓ）の送信部を用いることができる。
【０４６５】
光伝送路３９０１から伝送されてきた光信号は光カップラ１０４に入力後、大部分の光信号は光スイッチ回路網１０２を通って光信号のまま光伝送路３９０２へ伝送され、他ノードへ伝送される。従来、光信号のまま通過するノードに於いてＯＡＭ情報の授受ができなかったが、光カップラ１０４で、一部光信号をタップして光受信器３９０７へ入力することにより、光信号の監視が可能となる。光受信器３９０７は、光信号がある閾値以上のパワーを持っていると光伝送路３９０１を伝送されてきた光信号は正常の信号であると判断し、その旨を情報処理装置１０５へ転送する。情報処理装置１０５では、ＳＤＨのＳＯＨを生成するが、ＳＤＨのフレームのＳＯＨ中の未使用のバイトに光ネットワーク特有のＯＡＭ情報を載せることができる。主信号発生器３９０４はＳＤＨのフレーム中のペイロードを生成するが、時分割多重装置３９０５に於いて、情報処理装置１０５からのＳＯＨと多重され、ＳＤＨの転送フレームを生成する。生成されたＳＤＨ転送フレームは光送信器３９０６により光信号に変換され、他ノードへ伝送される。
【０４６６】
光伝送路３９０１を通って、光伝送路３９０２へいく光信号はノード３９００では、光信号のまま光スイッチ回路網１０２により切り替えられて他ノードへ伝送されるので、従来構成であると、ＯＡＭ信号の授受が不可能であった。しかし、図３９のノード構成を用いることにより、光伝送路３９０１や、ノード３９００に関するＯＡＭ情報の授受が可能となる。
【０４６７】
本発明はこの実施例に限定されるものではない。
【０４６８】
例えば、実施例では、ＳＤＨの転送フレームを用いたが、ＳＯＮＥＴ他の転送フレームを用いても、本発明は適用できる。
【０４６９】
又、実施例では、光分離手段（光カップラ１０４）を光機能回路手段（光スイッチ回路網１０２）に入力される前に配置したが、光スイッチ回路網１０２の出力された後に配置しても、本発明は適用できる。
【０４７０】
又、実施例では、光送信手段（光送信器３９０６）を光スイッチ回路網１０２（光機能回路手段）の入力端に接続したが、光スイッチ回路網１０２を通さずに、直接他ノードへ接続される光伝送路３９０３に接続しても、本発明は適用できる。
【０４７１】
第７７の発明の実施例について、図４０を用いて説明する。
【０４７２】
図４０は本発明の一実施例を示すブロック図である。図４０に於いて、４０００は光ネットワークノード（光ネットワーク装置）を表す。、１０２は光スイッチ回路網（光機能回路手段）であり、第１の発明の実施例で用いたものを用いることができる。４００１、４００２、４００３、４００４は、他ノードと接続される光伝送路であり、これらの光伝送路には、ＳＤＨの転送フレームを用いた光信号が伝送されている。４００５は光受信器（光受信手段）であり、ＳＤＨの終端装置（Ｏｐｔｉｃａｌ  Ｌｉｎｅ  Ｔｅｒｍｉｎａｔｏｒｓ  ａｎｄ  Ｍｕｌｔｉｐｌｅｘｅｒｓ）の受信部を用いることができる。４００７は主信号処理装置（信号入力手段）で、ＳＤＨのペイロード信号の処理を行う。４００６は時分割多重分離装置（信号分離手段）で、ＳＤＨの終端装置を用いることができ、ＳＯＨとペイロードを分離Ｌて、ＳＯＨを情報処理装置１０５へ出力し、ペイロードを主信号処理装置４００７へ出力する。１０５は情報処理装置（情報処理手段）で、第１の発明の実施例で用いたものを用いることができる。３９０４は主信号発生器（信号出力手段）で、ＳＤＨの転送フレームのペイロードの信号を出力する。情報処理装置１０５から出力するＳＯＨの空きバイトには、光ネットワークのＯＡＭ情報が載せられており、ＳＤＨの装置を改造することにより実現することができる。３９０５は、情報処理装置１０５から受け取るＳＯＨ（Ｓｅｃｔｉｏｎ  Ｏｖｅｒｈｅａｄ）信号と主信号発生器３９０４からの出力信号とを重畳する時分割多重装置（信号重畳手段）であり、ＳＤＨの装置を用いることができる。３９０６は光送信器（光送信手段）であり、ＳＤＨの終端装置（Ｏｐｔｉｃａｌ  Ｌｉｎｅ  Ｔｅｒｍｉｎａｔｏｒｓ  ａｎｄ  Ｍｕｌｔｉｐｌｅｘｅｒｓ）の送信部を用いることができる。
【０４７３】
ＳＤＨのＳＯＨ中に光ネットワークのＯＡＭ情報を載せる部分には、パケットを載せＸ．２５のプロトコルにより通信を行う。ノード４０００で、受け取ったパケットは、自ノード宛のＯＡＭ情報でなければ、受け取ったＯＡＭ情報をそのまま他ノードへ転送し、自ノード宛であれば、受け取ったＯＡＭ情報を処理する。このようにして、光信号のまま切り替えられてノードを通過する光信号（光伝送路４００１、４００３を通る光信号）が存在しても、電気終端されている光伝送路４００２、４００４の光信号のＳＯＨを利用してＯＡＭ情報の授受を行うことができる。
【０４７４】
本発明は、この実施例に限定されるものではない。
【０４７５】
例えば、伝送される光信号の転送フレームとしてＳＤＨの転送フレームを用いたが、ＳＯＮＥＴのような他の転送フレームを用いても、本発明は適用できる。
【０４７６】
又、実施例では、光受信手段（光受信器４００５）を光機能回路手段（光スイッチ回路網１０２）の出力端に接続したが、光光伝送路４００２に直接接続しても、本発明は適用できる。又、光送信器３９０６を光スイッチ回路網１０２の入力端に接続したが、光伝送路４００４に直接接続しても、本発明は適用できる。
【０４７７】
第７８の発明の実施例について、図４０を用いて説明する。
【０４７８】
第７８の発明は、第７７の発明の光機能回路手段を光スイッチ回路網に限定するものであり、実施例として図４０のノード構成を用いることができる。光スイッチ回路網として、第１の発明の実施例で説明した光スイッチ回路網１０２を用いることができる。光伝送路４００２から伝送されてきた光信号は、ノード４０００の中で、光受信器４００５により終端されており、ノード４０００は、電気的な終端点となっている。又、光伝送路４００４は、光送信器３９０６に於いて電気信号から光信号に変化されたものが出力されており、ノード４０００は光伝送路４００４を伝送されている光信号の電気的な終端点となっている。動作、作用等の説明は第７７の発明の実施例の記述と同様である。光機能回路手段として光スイッチ回路網を用いることにより、光受信器４００５を用いて受信する対象となる光伝送路を光伝送路４００２以外の他の光伝送路に切り替えることができるので、光伝送路４００２に障害が発生しても、他の光伝送路の光信号を受信するように切り替えてやることにより、ＯＡＭ情報を受け取ることができる。
【０４７９】
以上、実施例により第１の発明から第７８の発明までを詳細に説明したが、これらの発明は上述した実施例に限定されるものではない。
【０４８０】
例えば、実施例で、光分離手段として、光分岐器や、ＷＤＭカップラを用いた発明があるが、光分離手段として、偏向制御器と偏光スプリッタを用いても本発明は適用できる。その場合、主信号をＴＥ偏向、ＯＡＭ情報を伝送する光信号をＴＭ偏向を用いて偏波多重して伝送し各ブロックを偏波保持ファイバで接続し、ＴＭ偏向の光のみを抽出してＯＡＭ情報を得る。偏光制御器としては、ファイバに圧力をかけ偏光を変えて制御する装置を用いることができ、偏光スプリッタとしては、例えばＬｉＮｂＯ３はこのような複屈折性を持つ結晶を用いることにより実現できる。
【０４８１】
又、光分離手段（ＷＤＭカップラ４０２）として、１．３１μｍと１．５５μｍの波長を分離するＷＤＭカップラを用いた実施例に対しては、主信号光が１．３１μｍ、監視信号光が１．５５μｍの波長でない場合でも、主信号光とＯＡＭ信号光とに用いている波長を分離できるＷＤＭカップラを用いても、本発明は適用できる。
【０４８２】
又、光分離手段や光重畳手段として用いた光カップラは、分岐比が９５：５や１：１のものを用いたが、分岐比は、主信号系に影響がなく、光受信手段で受信できるように分岐されている値であれば、９５：５や１：１でなくても本発明は適用できる。
【０４８３】
実施例では、光機能回路手段として光スイッチ回路網を用いたが、光分岐器、スターカップラ、ＷＤＭカップラ、アイソレータ等の受動光素子を用いても、本発明は適用できる。又、光機能回路手段として、光スイッチ回路網に光分岐器、ＷＤＭカップラ等の光部品を付加した構成のものを用いても、本発明は適用できる。又、光機能回路手段として、光機能回路手段が主信号用の光受信器や光送信器を含む場合でも、本発明は適用できる。光機能回路手段として、Ｅｒドープトファイバ、半導体光増輻器のような光増幅器を用いても本発明は適用できる。又、光機能回路手段として、光信号の終端装置と電気信号を切り替えるスイッチ回路網手段（交換機、クロスコネクト装置）とからなる「光信号の終端装置と電気のスイッチ回路網手段とからなる装置」を用いても本発明は適用できる。又、光機能回路手段として、光信号の終端装置と電気信号を再生中継する中継器とからなる装置を用いても本発明は適用できる。又、光機能回路手段として、入力端と出力端とを光ファイバで接続するだけの光回路網を用いても、本発明は適用できる。又、光機能回路手段として、他の光機能回路手段の前段、後段に、光重畳手段や、光分離手段や他の光機能回路手段を接続した光機能回路手段を用いても、本発明は適用できる。又、光機能回路手段として、波長分割多重光スイッチ回路網や、時分割多重スイッチ回路網を含む構成を用いても、本発明は適用できる。
【０４８４】
光スイッチ回路網の中で用いる光スイッチとして、ＬｉＮｂＯ３を用いて作られた光スイッチを用いたが、機械式光スイッチ、半導体光スイッチ、石英光スイッチ等任意の光スイッチを用いて構成された光スイッチ回路網を用いても、本発明は適用できる。
【０４８５】
光スイッチ回路網として第１の発明の実施例で説明したような、光スイッチ回路網１０２を用いたが、任意のスイッチ回路網構成の、任意の入出力ポート数のスイッチ回路網を用いても、本発明は適用できる。
【０４８６】
又、情報処理手段としてワークステーションを用いたが、パーソナル・コンピュータ、ＤＳＰ（デジタル・シグナル・プロセッサ）等、光ネットワークのＯＡＭ情報を処理できるものであれば、本発明は適用できる。
【０４８７】
第５３の発明〜第６７の発明までの実施例では、選択手段として１×８の光セレクタや電気のセレクタを用いたが、１×ｍ（ｍは２以上の整数）の光セレクタや電気のセレクタを用いても、本発明は適用できる。
【０４８８】
第５３の発明〜第６７の発明までの実施例では、光分岐手段として８分岐の光分岐器を用いたが、ｍ（ｍは２以上の整数）分岐の光分岐器を用いても、本発明は適用できる。
【０４８９】
第５３の発明〜第６７の発明までの実施例では、分岐手段として８分岐の電気の分岐器を用いたが、ｍ（ｍは２以上の整数）分岐の分岐器を用いても、本発明は適用できる。
【０４９０】
【発明の効果】
本発明を適用するならば、主信号光が光のまま通過するノードに於いて、ネットワークの運用、管理、及び保守情報の授受を行うことができる。通過する主信号光にＯＡＭ信号光を重畳し、又、分離することにより、ＯＡＭ情報を他ノードへ伝送することができ、効率的なネットワークの運用、管理及び保守を行うことができる。又、光ネットワークの連用、管理及び保守用の光伝送路を別に用意する必要もなく、経済的にネットワークの運用、管理、及び保守を行うことができる。又、ノード内に於いては、光信号、光伝送路、光機能回路手段の監視を行うことが可能であり、効率的なネットワークの連用、管理及び保守を行うことができる。
【図面の簡単な説明】
【図１】第１の発明等の一実施例を示すブロック図である。
【図２】第２の発明等の一実施例を示すブロック図である。
【図３】第３の発明等の一実施例を示すブロック図である。
【図４】第４の発明等の一実施例を示すブロック図である。
【図５】第５の発明等の一実施例を示すブロック図である。
【図６】第６の発明等の一実施例を示すブロック図である。
【図７】第１５の発明等の一実施例を示すブロック図である。
【図８】第１７の発明等の一実施例を示すブロック図である。
【図９】第１９の発明等の一実施例を示すブロック図である。
【図１０】第２０の発明等の一実施例を示すブロック図である。
【図１１】第２９の発明等の一実施例を示すブロック図である。
【図１２】第３７の発明等の一実施例を示すブロック図である。
【図１３】第３８の発明等の一実施例を示すブロック図である。
【図１４】第４１の発明等の一実施例を示すブロック図である。
【図１５】第４３の発明等の一実施例を示すブロック図である。
【図１６】第４６の発明等の一実施例を示すブロック図である。
【図１７】第４７の発明等の一実施例を示すブロック図である。
【図１８】第４８の発明等の一実施例を示すブロック図である。
【図１９】第５３の発明等の一実施例を示すブロック図である。
【図２０】第５４の発明等の一実施例を示すブロック図である。
【図２１】第５５の発明等の一実施例を示すブロック図である。
【図２２】第５６の発明等の一実施例を示すブロック図である。
【図２３】第５７の発明等の一実施例を示すブロック図である。
【図２４】第５８の発明等の一実施例を示すブロック図である。
【図２５】第５９の発明等の一実施例を示すブロック図である。
【図２６】第６０の発明等の一実施例を示すブロック図である。
【図２７】第６１の発明等の一実施例を示すブロック図である。
【図２８】第６２の発明等の一実施例を示すブロック図である。
【図２９】第６５の発明等の一実施例に関わる流れ図である。
【図３０】第６６の発明等の一実施例を示すブロック図である。
【図３１】第６７の発明等の第１の実施例を示すブロック図である。
【図３２】第６７の発明等の第２の実施例を示すブロック図である。
【図３３】第６８の発明等の一実施例を示すブロック図である。
【図３４】第６８の発明等の実施例に係るＯＡＭ信号の転送フレーム例である。
【図３５】第７０の発明等の一実施例を示すブロック図である。
【図３６】第７２の発明等の一実施例を示すブロック図である。
【図３７】第７２の発明等の一実施例に係るＯＡＭ信号の転送フレーム例である。
【図３８】第７４の発明等の一実施例を示すブロック図である。
【図３９】第７６の発明等の一実施例を示すブロック図である。
【図４０】第７７の発明等の一実施例を示すブロック図である。
【図４１】従来例の光クロスコネクト・システム・ノードを示すブロック図である。
【図４２】光スイッチ回路網の一構成例を示すブロック図である。
【符号の説明】
１０１  光受信器（光受信手段)
１０２  光スイッチ回路網（光機能回路手段)
１０３  光伝送路
１０４  光カップラ（光分離手段)
１０５  情報処理装置（情報処理手段)
１０６  光伝送路
１０７  光ネットワークノード（光ネットワーク装置)
２０４  ＷＤＭカップラ（光分離手段)
３０１  光送信器（光送信手段)
３０４  光カップラ（光重畳手段)
４０２  ＷＤＭカップラ（光分離手段)
４０４  光カップラ（光重畳手段)
５０２  ＷＤＭカップラ（光分離手段)
５０４  光カップラ（光重畳手段)
６０２  ＷＤＭカップラ（光分離手段)
６０４  光カップラ（光重畳手段)
７０２  光カップラ（光重畳手段)
７０４  ＷＤＭカップラ（光分離手段)
８０４  ＷＤＭカップラ（光分離手段)
９０４  光カップラ（光重畳手段)
１００２  ＷＤＭカップラ（光分離手段)
１００４  光カップラ（光重畳手段)
１１０２  ＷＤＭカップラ（第１の光分離手段)
１１０４  光カップラ（第２の光重畳手段)
１１１０  光カップラ（第１の光重畳手段)
１１１１  ＷＤＭカップラ（第２の光分離手段)
１２０２  光カップラ
１２０９  光変調器
１２１０  変調器
１２２１  光ネットワーク・ノード（第１の光ネットワーク装置)
１２２２  光ネットワーク・ノード（第２の光ネットワーク装置)
１３２１  光ネットワーク・ノード（第１の光ネットワーク装置)
１３２２  光ネットワーク・ノード（第２の光ネットワーク装置)
１４０１  ＷＤＭカップラ（第１の光分離手段)
１４０２  光カップラ（第３の光分離手段)
１４０３  光カップラ（第１の光重畳手段)
１４０５  ＷＤＭカップラ（第２の光分離手段)
１４０６  光カップラ（第２の光重畳手段)
１５０１  ＷＤＭカップラ（第１の光分離手段)
１５０２  光カップラ（第３の光分離手段)
１５０３  光カップラ（第１の光重畳手段)
１５０５  ＷＤＭカップラ（第２の光分離手段)
１５０６  光カップラ（第２の光重畳手段)
１６０１  変調器（変調器手段)
１６０４  光変調器（光信号変調器手段)
１７０１  変調器（変調器手段)
１７０４  光変調器（光信号変調器手段)
１８０４  光カップラ（光重畳手段)
１９１７〜１９２４  ＷＤＭカップラ（ｍ個の光分離手段)
１９２５  光セレクタ（選択手段)
２０１７〜２０２４  ＷＤＭカップラ（ｍ個の光分離手段)
２０２５〜２０３２  光受信器（ｍ個の光受信手段)
２０３３  セレクタ（選択手段)
２１１７〜２１２４  光カップラ（ｍ個の光重畳手段)
２１２５  光分岐器（光分岐手段)
２２１７〜２２２４  光カップラ（ｍ個の光重畳手段)
２２２５〜２２３２  光送信器（ｍ個の光送信手段)
２２３３  分岐器（分岐手段)
２３１７〜２３２４  ＷＤＭカップラ（ｍ個の光分離手段)
２３２５〜２３３２  光カップラ（ｍ個の光重畳手段)
２３４１  光分岐器（光分岐手段)
２３４２  光セレクタ（選択手段)
２４３３〜２４４０  光受信器（ｍ個の光受信手段)
２４４１  セレクタ（選択手段)
２５４１  分岐器（分岐手段)
２５５３〜２５４０  光送信器（ｍ個の光送信手段)
２６３３〜２６４０  光送信器（ｍ個の光送信手段)
２６４１  分岐器（分岐手段)
２８３０  第２の光ネットワーク装置
３１０１〜３１０８  光カップラ（ｍ個の第２の光分離手段)
３１０９〜３１１６  光受信器（ｍ個の光信号判定手段)
３３０１  時分割多重分離装置（情報分離手段)
３３０２  パケット処置装置（第２群のプロトコル処理手段)
３３０３  ビット情報処理装置（第１群のプロトコル処理手段)
３４００  転送フレーム
３４０１  フレーミングバイト
３４０２  ビットの位置と値がＯＡＭ情報を表すバイト
３４０３  パケット転送を行うバイト
３５０１  時分割多重装置（情報重畳手段)
３５０２  パケット処置装置（第２群のプロトコル処理手段)
３５０３  ビット情報処理装置（第１群のプロトコル処理手段)
３６０１  時分割多重分離装置（情報分離手段)
３３０２  パケット処理装置（第１群のプロトコル処理手段)
３６０３〜３６１０  ビット情報処理装置（第２群のプロトコル処理手段)
３８０１  時分割多重装置（情報重畳手段)
３８０２  パケット処理装置（第１群のプロトコル処理手段)
３８０３〜３８１０  ビット情報処理装置（第２群のプロトコル処理手段)
３９０５  時分割多重装置（信号重畳手段)
４００６  時分割多重分離装置（信号分離手段)
４１０１  光スイッチ回路網
４２０１  ８×８マトリクス光スイッチ
【図１】
0003747878.tif 000002
【図２】
0003747878.tif 000003
【図３】
0003747878.tif 000004
【図４】
0003747878.tif 000005
【図５】
0003747878.tif 000006
【図６】
0003747878.tif 000007
【図７】
0003747878.tif 000008
【図８】
0003747878.tif 000009
【図９】
0003747878.tif 000010
【図１０】
0003747878.tif 000011
【図１１】
0003747878.tif 000012
【図１２】
0003747878.tif 000013
【図１３】
0003747878.tif 000014
【図１４】
0003747878.tif 000015
【図１５】
0003747878.tif 000016
【図１６】
0003747878.tif 000017
【図１７】
0003747878.tif 000018
【図１８】
0003747878.tif 000019
【図１９】
0003747878.tif 000020
【図２０】
0003747878.tif 000021
【図２１】
0003747878.tif 000022
【図２２】
0003747878.tif 000023
【図２３】
0003747878.tif 000024
【図２４】
0003747878.tif 000025
【図２５】
0003747878.tif 000026
【図２６】
0003747878.tif 000027
【図２７】
0003747878.tif 000028
【図２８】
0003747878.tif 000029
【図２９】
0003747878.tif 000030
【図３０】
0003747878.tif 000031
【図３１】
0003747878.tif 000032
【図３２】
0003747878.tif 000033
【図３３】
0003747878.tif 000034
【図３４】
0003747878.tif 000035
【図３５】
0003747878.tif 000036
【図３６】
0003747878.tif 000037
【図３７】
0003747878.tif 000038
【図３８】
0003747878.tif 000039
【図３９】
0003747878.tif 000040
【図４０】
0003747878.tif 000041
【図４１】
0003747878.tif 000042
【図４２】
0003747878.tif 000043